(57)【要約】【課題】睡眠時呼吸障害の治療のため、空気供給源から陽圧で患者に空気を供給するためのマスクシステムを提供する。【解決手段】マスクシステムは、少なくとも患者の鼻孔の両方に供給空気を送達するように適合され、患者の気道の入口に係合するように構成されたインターフェース構造と、このインターフェース構造に着脱自在に接続可能とされると共に、供給空気を送達するように適合され、患者の頭頂部または患者の頭頂部の正面から、患者の目と耳の間を通って患者の顔面の両側に沿って、インターフェース構造へと延在するように適合された、インレット導管と、インレット導管よりも剛性を有しており、インターフェース構造への連結を容易するための端部分と、を備え、インレット導管が、シリコーン材料から成形された１部片構造とされている。【選択図】図１−１
2020171825.tif 000002
【特許請求の範囲】
【請求項１】
睡眠時呼吸障害の治療のため、空気供給源から陽圧で患者に空気を供給するためのマスクシステムであって、
患者の気道の入口に係合するように構成されたインターフェース構造であって、少なくとも患者の鼻孔の両方に供給空気を送達するように適合されたインターフェース構造と、
該インターフェース構造に着脱自在に接続可能とされると共に、前記インターフェース構造に供給空気を送達するように適合された２つのインレット導管であって、該インレット導管の各々が、患者の頭頂部または患者の頭頂部の正面から、患者の目と耳の間を通って患者の顔面の両側に沿って、前記インターフェース構造へと延在するように適合された、インレット導管と、
２つの剛性を有する端部分であって、該剛性を有する端部分の各々が前記インレット導管のそれぞれ１つの端部に設けられて前記インレット導管の前記インターフェース構造への連結を容易にしており、前記２つの剛性を有する端部分が、前記２つのインレット導管よりも剛性を有している、端部分と、を備え、
前記２つのインレット導管が、シリコーン材料から成形された１部片構造とされている、マスクシステム。
【請求項２】
前記２つのインレット導管の間で延在し、患者の頭部の後ろと係合するように適合されたバックストラップを更に備え、該バックストラップは前記インレット導管とは異なる材料から成ると共に伸縮性を有している、請求項１に記載のマスクシステム。
【請求項３】
前記インレット導管の各々が、前記バックストラップのそれぞれの端部を受容する穴を含む、請求項２に記載のマスクシステム。
【請求項４】
前記バックストラップの長さが選択的に調節可能であり、前記バックストラップがフック及びループ材を含む、請求項３に記載のマスクシステム。
【請求項５】
前記２つのインレット導管が、例え該インレット導管の１つが少なくとも部分的に圧潰された構成を呈していても、前記空気供給源からの圧縮空気が、前記インレット導管の片方または両方を介して前記インターフェース構造に送達されるべく協働するように構築及び構成された、請求項１〜４のいずれか一項に記載のマスクシステム。
【請求項６】
前記インレット導管の各々が、（１）該インレット導管が空気の流れを可能にする開通フェーズと、（２）前記インレット導管が圧潰された圧潰フェーズと、の間を移行することを可能にするように構築されており、且つ、前記インレット導管の各々が、寝具に対する典型的な患者の頭部の重さが、前記インレット導管を、前記開通フェーズから前記圧潰フェーズに圧潰するのに十分であるように構築された、請求項５に記載のマスクシステム。
【請求項７】
前記インレット導管が、使用時に略楕円形または略リング形を画成するように配置された、請求項１〜６のいずれか一項に記載のマスクシステム。
【請求項８】
前記インターフェース構造が、患者の鼻と係合するように構成されている、請求項１〜７のいずれか一項に記載のマスクシステム。
【請求項９】
前記インターフェース構造が、使用時に患者の鼻の下に配置された、請求項１〜８のいずれか一項に記載のマスクシステム。
【請求項１０】
前記インターフェース構造が、患者の鼻の下側と係合して封止するように配置された、請求項９に記載のマスクシステム。
【請求項１１】
前記インレット導管の各々が、患者の顔面と調和するように、調和する輪郭を提供する断面形状を備えている、請求項１〜１０のいずれか一項に記載のマスクシステム。
【請求項１２】
前記インレット導管の各々が、略Ｄ字形の断面を有している、請求項１１に記載のマスクシステム。
【請求項１３】
前記インレット導管の各々が、その長さに沿って変化する断面を有している、請求項１２に記載のマスクシステム。
【請求項１４】
前記２つのインレット導管を前記空気供給源と流体的に接続するように適合されたマニフォールドを更に備え、該マニフォールドがスイベル機能を含む、請求項１〜１３のいずれか一項に記載のマスクシステム。
【請求項１５】
前記マニフォールドが、スイベルして前記インレット導管と相対移動するよう構成された、請求項１４に記載のマスクシステム。
【請求項１６】
前記剛性を有する端部分の各々は、前記インレット導管のうちの１つとそれぞれ共成型された、請求項１〜１５のいずれか一項に記載のマスクシステム。
【請求項１７】
前記インレット導管の各々が、前記インターフェース構造と係合するように構成された底部と、圧縮空気供給源と流体的に連通している上部と、前記底部から前記上部へと延在している壁部と、を備えており、
各壁部は断面視で、それぞれの前記インレット導管の断面の周囲に沿った第１の位置での厚さと、該第１の位置での厚さとは異なる、前記インレット導管の断面の周囲に沿った第２の位置での厚さと、
を有している、請求項１〜１６のいずれか一項に記載のマスクシステム。
【請求項１８】
伸縮性を有するバックストラップを更に備え、該バックストラップの長さは選択的に調節可能であると共に、前記バックストラップがフック及びループ材を含み、
前記２つのインレット導管は、例え該インレット導管の１つが少なくとも部分的に圧潰された構成を呈していても、前記空気供給源からの圧縮空気が、前記インレット導管の片方または両方を介して前記インターフェース構造に送達されるべく協働するように構築及び構成されており、
前記インレット導管の各々が、（１）該インレット導管が空気の流れを可能にする開通フェーズと、（２）前記インレット導管が圧潰された圧潰フェーズと、の間を移行することを可能にするように構築されており、且つ、前記インレット導管の各々が、寝具に対する典型的な患者の頭部の重さが、前記インレット導管を、前記開通フェーズから前記圧潰フェーズに圧潰するのに十分であるように構築されており、
前記インターフェース構造が、患者の鼻の下側と係合して封止するためのシリコーンインターフェースを含み、
前記インレット導管の各々が、患者の顔面と調和するように、調和する輪郭を提供する断面形状を備えている、請求項１に記載のマスクシステム。
【発明の詳細な説明】
【技術分野】
【０００１】
関連出願の相互参照
本出願は、２００６年７月２８日出願の米国仮出願第６０／８３３８４１号、２００６年１２月１５日出願の第６０／８７４９６８号、２００７年５月４日出願の第６０／９２４２４１号及び２００７年６月２５日出願の第６０／９２９３９３号の利益を主張するものであり、各文献は、参照によりその全体が本明細書に組み込まれている。
【０００２】
本発明は、患者への呼吸療法の提供に関する。その治療の例には、持続陽圧気道圧（ＣＰＡＰ：Continuous Positive Airway Pressure）法、非侵襲性陽圧換気法（ＮＩＰＰＶ：Non-Invasive Positive Pressure Ventilation）、及び可変陽圧気道圧法（ＶＰＡＰ：Variable Positive Airway Pressure）がある。こうした療法は、睡眠時呼吸障害（ＳＤＢ：Sleep Disordered Breathing）、より詳細には、閉塞性睡眠時無呼吸（ＯＳＡ：obstructive sleep apnea）を含む、様々な呼吸器の症状を治療するために使用される。
【背景技術】
【０００３】
典型的には、呼吸療法は、圧縮空気または呼吸用の気体を供給する、患者と装置の間に配置されたマスクシステムの形態で提供される。本発明の分野のマスクシステムは、具体的には、快適性を重要視するので、航空及び安全等、他の用途で使用されるマスクシステムとは異なる。患者が何時間も、場合によっては生涯毎晩マスクを着用して眠らなければならないので、高いレベルの快適性が望まれる。更に、患者と一緒に寝る人が、患者の治療及び一般的にマスクを装着していることによって悪い方向に影響を受けない場合は、治療のコンプライアンスを改善することができる。
【０００４】
マスクシステムは、典型的には、（以下に説明するように）治療をしていることが外観から分かりやすい（highly clinical aesthetic）。これは、患者が治療について恥ずかしく思うようになることがある。というのは、そのような外観が、彼らが病気であることを露骨に思い出させるように働き、従って、見た人の心にその患者に対する否定的な認識を残す虞があるからである。
【０００５】
マスクシステムは、常にではないが、典型的には、（ｉ）シェルまたはフレームと称されることが多い、剛性または半剛性の部分と、（ｉｉ）クッションと称されることが多い、柔軟な、患者と接触する部分と、（ｉｉｉ）フレーム及びクッションを適位置に保持する、いくつかの形態のヘッドギアとを備える。マスクシステムが、実際のところ複数の構成要素を含む場合は、少なくともいくらかの組立て及び調整を必要とすることがあり、それは、器用さ等に欠ける患者にとって難しくなる虞がある。更に、マスクシステムは、空気送達導管を連結するための機構を含むことが多い。その空気送達導管は通常、ブロワまたは流れ生成器に連結される。
【０００６】
患者と接触する部分、例えば、クッションは、典型的には、シリコーン材料から構築されるが、発泡体を含む患者と接触する部分が知られている。例えば、特許文献１には、外皮（例えば、ラテックスまたはシリコーン）で被覆された発泡ポリウレタン製のマスクのための内張りが記載されている。しかし、被覆した発泡体は、顔面と接触する部分が呼吸することができず、それにより、肌に刺激をもたらすことがあり、封止した部分は、皺になりやすく、不快にしたり、漏れを引き起こしたりする虞がある。厚さ及び支持構造によっては、その外皮が何人かの患者にとっては硬すぎる虞もある。外皮はまた、局部的に大きく変形することができず、表面にわたって張力を伝達しやすいことがあり、そのため、マスクが顔面上でずれ、封止／快適性を損なう虞がある。
【０００７】
マスクシステムの範囲は、鼻マスク、鼻及び口のマスク、全顔面マスク並びに鼻プロング、枕、ノズル及びカヌーレを含むと知られている。マスクは、典型的には、鼻プロング、枕、ノズル及びカヌーレより顔面を覆う。鼻プロング、鼻枕、ノズル及びカヌーレはすべて、まとめて鼻プロングと称される。
【先行技術文献】
【特許文献】
【０００８】
【特許文献１】米国特許第５４２９６８３号明細書
【特許文献２】米国特許出願公開第２００３／０１５４９８０号明細書
【特許文献３】国際公開第０３／０９０８２７号
【特許文献４】米国特許出願公開第２００４／０２２６５６６号明細書
【特許文献５】オーストラリア特許第２００５１００７３８号明細書
【特許文献６】米国特許第６９０７８８２号明細書
【特許文献７】特表平１０−５０８７８６号公報
【特許文献８】特開２００５−１３４９２号公報
【特許文献９】欧州特許出願公開第００４２７４７４号明細書
【特許文献１０】特表２００６−５０５３７３号公報
【特許文献１１】特表２００３−５０１２２０号公報
【特許文献１２】国際公開第２００５／０７６８７４号
【特許文献１３】米国特許出願公開第２００５／０１９９２４２号明細書
【発明の概要】
【発明が解決しようとする課題】
【０００９】
当技術分野では、快適性及び操作性のレベルが高いマスクシステムを提供することが絶えず必要とされ、外観が改良された（すなわち、治療中に見えず、かさばらない）マスクシステムを提供する必要性が新たに認識されている。
【課題を解決するための手段】
【００１０】
本発明の一態様は、治療のコンプライアンスを高める患者とのインターフェースを提供することである。
【００１１】
本発明の他の態様は、快適な患者とのインターフェースを提供することである。
【００１２】
本発明の他の態様は、外見が医療的ではない患者とのインターフェースを提供することである。一形態では、これは、外見が衣服の１つである、柔軟で、快適で、可撓性のある患者とのインターフェースを作り出すことによって実現することができる。
【００１３】
本発明の他の態様は、睡眠時呼吸障害の鼻用ＣＰＡＰ治療で使用することができる、患者の気道の入口に、陽圧で供給空気を送達するための、快適で、目立たず、使いやすく、安定したシステムに関する。こうしたシステムは、鼻マスク、鼻クッション、口マスク等を含む、ある範囲のインターフェース及び／または封止構造と互換性がある。このシステムは、具体的には、不快な経験をせずに適切な治療を維持しながら、患者が、寝返りをうって顔の側面を下にすることを含む、ある範囲の異なる位置で快適に眠ることができるように設計してきた。このシステムは、従来技術に対するいくつかの改良形態を提供する。
【００１４】
本発明の他の態様は、快適性を改善し、インターフェース性能を向上させ、従来の封止構造より使いやすい、インターフェース構造に関する。改良したインターフェース構造のいくつかの態様は、従来の封止構造ほど正確な装着を必要とせず、より快適であり、患者の顔面に圧力を均一に分配する場合は必要である。インターフェース構造は、従来の封止構造より皮膚に対する感触がより自然であり、皮膚呼吸が可能になるように制御した通気性も特徴とする。改良したインターフェース構造の他の態様は、従来の封止構造より、動きによる分離の傾向がない。
【００１５】
本発明の他の態様は、患者の気道の入口に配置されたインターフェース構造に、空気供給源から陽圧で空気を供給するための空気送達システムに関する。空気送達システムは、陽圧の空気の供給部と連結するように適合されたマニフォールドと、そのマニフォールドに連結された少なくとも１本のチューブとを含み、インターフェース構造に供給空気を送達するように適合される。チューブはそれぞれ、（１）チューブが空気の通過を可能にする開通フェーズ（open phase）と、（２）チューブが圧潰される圧潰フェーズ（collapsed phase）との間を移行することが可能になるように構成される。チューブはそれぞれ、寝具（例えば、枕）に対する典型的な患者の頭部の重さが、チューブを開通フェーズから圧潰フェーズに圧潰するのに十分であるように構成される。
【００１６】
本発明の他の態様は、その上で横になるのに快適な空気導管またはチューブに関する。その上で横になるのに快適であるのは、導管の上に横になるときに、横になった部分が平坦または実質上平坦に潰れ、導管が、その上に横になることができるように全体的に十分に薄く、且つ／または導管が、既に十分快適なので、平らになる必要がないからである。
【００１７】
本発明の他の態様は、いくつかのまたは１本の導管が閉塞する場合に、そのシステムが治療圧力の十分な空気流を保持する、十分な余剰分を有する空気導管のシステムに関する。
【００１８】
本発明の他の態様は、患者が一部分の上に横になったときに、圧力下の治療用空気を供給するように適合された空気送達システムに関する。
【００１９】
本発明の他の態様は、患者の気道の入口に配置されたインターフェース構造に、空気供給源から陽圧で空気を供給するための空気送達システムに関する。空気送達システムは、陽圧の空気の供給部と連結するように適合されたマニフォールドと、そのマニフォールドに連結された少なくとも１本のチューブとを含み、チューブがインターフェース構造に供給空気を送達するように適合される。マニフォールドは、使用時に患者の頭頂部上またはその正面に配置するように適合される。
【００２０】
本発明の他の態様は、患者の気道の入口に配置されたインターフェース構造に、空気供給源から陽圧で空気を供給するための空気送達及び安定化システムに関する。空気送達及び安定化システムは、陽圧の空気の供給部と連結するように適合されたマニフォールドと、そのマニフォールドに連結され、インターフェース構造に供給空気を送達するように適合された１対のチューブと、そのチューブに剛性を加えるように各チューブに提供された剛性化要素と、チューブ及び／または剛性化要素に提供され、患者の頭部の後ろと係合するように適合されたバックストラップとを含む。各チューブは、患者の頭頂部においてまたはその正面でマニフォールドの両側から延びるように適合され、患者の顔面の横に沿って患者の目と耳の間を通って患者の鼻の下に至る。
【００２１】
本発明の他の態様は、患者の気道の入口に配置されたインターフェース構造に関し、そのインターフェース構造は、空気供給源から陽圧で空気を供給する空気送達システムに連結するように適合された支持構造と、その支持構造に提供されたインターフェースとを含む。そのインターフェースは、柔軟で粘弾性の発泡体から構築され、使用時に患者の顔面及び鼻の表面と接触するように適合される。
【００２２】
本発明の他の態様は、第１のループと、第１のループに連結された第２のループとを含む、患者とのインターフェースに関する。第１のループは、使用時に患者の鼻の下側に対する封止力を画成するように、患者の鼻の下側に沿って、頬領域に沿って、耳の上を通り患者の頭頂部に至るように適合される。第２のループは、ヘッドギアのベクトルを第１のループに対して４０度〜８０度の角度に画定するように、概して後頭骨の上を通る。
【００２３】
本発明の他の態様は、患者の気道の入口に配置されたインターフェース構造に関する。そのインターフェース構造は、使用時に患者の鼻の下側の皮膚表面と接触するように適合されたインターフェースを含み、そのインターフェースの厚さが約５〜５０ｍｍである。
【００２４】
本発明の他の態様は、患者の気道の入口に配置されたインターフェース構造に関する。そのインターフェース構造は、使用時に患者の鼻の下の皮膚表面と接触するように適合されたインターフェースを含み、そのインターフェースは、使用時に患者の皮膚と界接または接触するための面に被覆されていない表面を含む。
【００２５】
本発明の他の態様は、患者の気道の入口に配置されたインターフェース構造に関する。そのインターフェース構造は、使用時に患者の鼻の下の皮膚表面と接触するように適合されたインターフェースを含み、そのインターフェースは、それが界接する顔面の解剖学的構造に沿うように、患者の顔面に垂直な方向に十分な柔軟性及びコンプライアンスを有する。
【００２６】
本発明の他の態様は、患者の気道の入口に配置されたインターフェース構造に関する。そのインターフェース構造は、使用時に患者の鼻の下の皮膚表面と接触するように適合されたインターフェースを含み、そのインターフェースは、呼吸可能な（breathable）または透過性の材料から構築される。
【００２７】
本発明の他の態様は、患者の気道の入口に配置されたインターフェース構造に関する。そのインターフェース構造は、発泡体から構築された、使用時に患者の鼻の下の皮膚表面と接触するように適合されたインターフェースを含み、そのインターフェースが、使用中に患者の皮膚に対して封止するように圧縮力を提供するように適合される。
【００２８】
本発明の他の態様は、患者の気道の入口に配置されたインターフェース構造に関する。そのインターフェース構造は、使用時に患者の鼻の下の皮膚表面と接触するように適合されたインターフェースを含み、そのインターフェースは、テクスチャード加工された面を有する。
【００２９】
本発明の他の態様は、患者の気道の入口に配置されたインターフェース構造に関する。そのインターフェース構造は、使用時に患者の鼻の下の皮膚表面と接触するように適合されたインターフェースを含み、そのインターフェースは、約５ｃｍ／秒より遅い復元速度を有する。
【００３０】
本発明の他の態様は、空気供給源から陽圧で患者に空気を供給するための空気送達システムに関する。空気送達システムは、患者の気道の入口に配置されたインターフェース構造と、患者の顔面の両側に沿って延び、インターフェース構造に供給空気を送達するように適合された１対のチューブとを含む。各チューブは、（１）チューブが過度の抵抗なしに空気流を可能にする開通フェーズと、（２）チューブが少なくとも部分的に圧潰されて空気流を制限または防止する、少なくとも部分的に圧潰したフェーズの間を移行することを可能にするように構成された少なくとも１つの部分を含む。チューブはそれぞれ、その上に横になるのが快適であるように構成される。
【００３１】
他の態様は、患者の気道の入口に配置されたインターフェース構造に、気体供給源から陽圧で気体を供給するための気体送達システムに関する。気体送達システムは、インターフェース構造に供給気体を送達するために気体供給源と連通するように適合された少なくとも２つの気体流路を含む。少なくとも２つの気体流路は、たとえ、気体流路の１つが、空気流を防止または実質上妨害するように圧潰した構成を呈していたとしても、インターフェース構造に適切な供給気体を送達するために協働するように構成され構築される。
【００３２】
本発明の他の態様、特性及び利点が、本開示の一部であり例示によって本発明の原理を示す、添付の図面と併せて、以下の詳細な説明から明らかになるであろう。
【図面の簡単な説明】
【００３３】
【図１−１】本発明の実施形態による患者とのインターフェースを示す図である。
【図１−２】本発明の実施形態による患者とのインターフェースを示す図である。
【図１−３】本発明の実施形態による患者とのインターフェースを示す図である。
【図１−４】本発明の実施形態による患者とのインターフェースを示す図である。
【図１−５】本発明の実施形態による患者とのインターフェースを示す図である。
【図１−６】本発明の実施形態による患者とのインターフェースを示す図である。
【図１−７】本発明の実施形態による患者とのインターフェースを示す図である。
【図１−８】本発明の実施形態による患者とのインターフェースを示す図である。
【図１−９】本発明の実施形態による患者とのインターフェースを示す図である。
【図１−１０】本発明の実施形態による患者とのインターフェースを示す図である。
【図１−１１】本発明の実施形態による患者とのインターフェースを示す図である。
【図１−１２】本発明の実施形態による患者とのインターフェースを示す図である。
【図１−１３】本発明の実施形態による患者とのインターフェースを示す図である。
【図１−１４】本発明の実施形態による患者とのインターフェースを示す図である。
【図１−１５】本発明の実施形態による患者とのインターフェースを示す図である。
【図１−１６】本発明の実施形態による患者とのインターフェースを示す図である。
【図２−１】本発明の実施形態による患者とのインターフェースの組立てを示す概略図である。
【図２−２】本発明の実施形態による患者とのインターフェースの組立てを示す概略図である。
【図２−３】本発明の実施形態による、ＰＡＰ装置への患者とのインターフェースの取付けを示す概略図である。
【図２−４ａ】本発明の他の実施形態による、ＰＡＰ装置への患者とのインターフェースの取付けを示す図である。
【図２−４ｂ】本発明の他の実施形態による、ＰＡＰ装置への患者とのインターフェースの取付けを示す図である。
【図３−１】本発明の実施形態による、開通フェーズの患者とのインターフェースのチューブを示す図である。
【図３−２ａ】本発明の実施形態による、圧潰フェーズの患者とのインターフェースのチューブを示す図である。
【図３−２ｂ】本発明の実施形態による、圧潰フェーズの患者とのインターフェースのチューブを示す図である。
【図３−３】本発明の実施形態による患者とのインターフェースのチューブ及び剛性化要素の概略図である。
【図３−４】本発明の実施形態による、その長さに沿ったチューブの断面を示す図である。
【図３−４ａ】本発明の実施形態による、その長さに沿ったチューブの断面を示す図である。
【図３−４ｂ】本発明の実施形態による、その長さに沿ったチューブの断面を示す図である。
【図３−４ｃ】本発明の実施形態による、その長さに沿ったチューブの断面を示す図である。
【図３−４ｄ】本発明の実施形態による、その長さに沿ったチューブの断面を示す図である。
【図３−４ｅ】本発明の実施形態による、その長さに沿ったチューブの断面を示す図である。
【図３−４ｆ】本発明の実施形態による、その長さに沿ったチューブの断面を示す図である。
【図３−５ａ】本発明の他の実施形態による、開通フェーズ及び圧潰フェーズまたは部分圧潰フェーズの患者とのインターフェースのチューブの概略図である。
【図３−５ｂ】本発明の他の実施形態による、開通フェーズ及び圧潰フェーズまたは部分圧潰フェーズの患者とのインターフェースのチューブの概略図である。
【図３−５ｃ】本発明の他の実施形態による、開通フェーズ及び圧潰フェーズまたは部分圧潰フェーズの患者とのインターフェースのチューブの概略図である。
【図３−６ａ】本発明の他の実施形態による、蛇腹構造を有するチューブを示す図である。
【図３−６ｂ】本発明の他の実施形態による、蛇腹構造を有するチューブを示す図である。
【図４−１】本発明の実施形態による患者とのインターフェースのための配管を示す図である。
【図４−２】本発明の実施形態による患者とのインターフェースのための配管を示す図である。
【図４−３】本発明の実施形態による患者とのインターフェースのための配管を示す図である。
【図４−４】本発明の実施形態による患者とのインターフェースのための配管を示す図である。
【図４−５】本発明の実施形態による患者とのインターフェースのための配管を示す図である。
【図４−６】本発明の実施形態によるチューブ及び剛性化要素を示す図である。
【図４−７】本発明の実施形態によるチューブ及び剛性化要素を示す図である。
【図４−８】本発明の実施形態によるチューブ及び剛性化要素を示す図である。
【図４−９】本発明の実施形態によるチューブ及び剛性化要素を示す図である。
【図５−１】本発明の代替の実施形態による患者とのインターフェースのチューブを示す図である。
【図５−２】本発明の代替の実施形態による患者とのインターフェースのチューブを示す図である。
【図５−３】本発明の代替の実施形態による患者とのインターフェースのチューブを示す図である。
【図６−１】本発明の実施形態による患者とのインターフェースのバックストラップを示す図である。
【図６−２】本発明の実施形態による患者とのインターフェースのバックストラップを示す図である。
【図６−３】本発明の実施形態による患者とのインターフェースのバックストラップを示す図である。
【図６−４】本発明の実施形態による患者とのインターフェースのバックストラップを示す図である。
【図６−５】本発明の他の実施形態による患者とのインターフェースのバックストラップを示す図である。
【図７−１】本発明の代替の実施形態による患者とのインターフェースのマニフォールドを示す図である。
【図７−２】本発明の代替の実施形態による患者とのインターフェースのマニフォールドを示す図である。
【図８−１】本発明の実施形態によるチューブの構成を示す図である。
【図８−２】本発明の実施形態によるチューブの構成を示す図である。
【図８−３】本発明の実施形態によるチューブの構成を示す図である。
【図８−４】本発明の実施形態によるチューブの構成を示す図である。
【図８−５】本発明の実施形態によるチューブの構成を示す図である。
【図８−６】本発明の実施形態による、配管が通る可能性のある領域を示す概略図である。
【図８−７】本発明の他の実施形態による調節可能なチューブの構成を示す図である。
【図９−１】本発明の実施形態による患者とのインターフェースを装着するための方法を示す図である。
【図９−２】本発明の実施形態による患者とのインターフェースを装着するための方法を示す図である。
【図９−３】本発明の実施形態による患者とのインターフェースを装着するための方法を示す図である。
【図１０−１】本発明の実施形態による、カバーを含む患者とのインターフェースの図である。
【図１０−２】本発明の実施形態による、カバーを含む患者とのインターフェースの図である。
【図１０−３】本発明の実施形態による、カバーを含む患者とのインターフェースの図である。
【図１０−４】本発明の実施形態による、カバーを含む患者とのインターフェースの図である。
【図１０−５】本発明の実施形態による、カバーを含む患者とのインターフェースの図である。
【図１０−６】本発明の実施形態による、カバーを含む患者とのインターフェースの図である。
【図１１−１】本発明の実施形態による患者とのインターフェースのバルブを示す図である。
【図１２−１】本発明の代替の実施形態による患者とのインターフェースのクリップを示す図である。
【図１２−２】本発明の代替の実施形態による患者とのインターフェースのクリップを示す図である。
【図１２−３】本発明の代替の実施形態による患者とのインターフェースのクリップを示す図である。
【図１３−１】本発明の実施形態による発泡体インターフェース及び支持体の図である。
【図１３−２】本発明の実施形態による発泡体インターフェース及び支持体の図である。
【図１３−３】本発明の実施形態による、被覆していない切断面を有する発泡体インターフェースの上面図である。
【図１３−４】本発明の実施形態による、被覆していない切断面を有する発泡体インターフェースの側面図である。
【図１３−５】本発明の実施形態による、被覆した面を有する発泡体インターフェースの上面図である。
【図１３−６】図１３−５に示す発泡体インターフェースの一部分の拡大概略断面図である。
【図１３−７ａ】本発明の代替の実施形態による発泡体を示す図である。
【図１３−７ｂ】本発明の代替の実施形態による発泡体を示す図である。
【図１３−７ｃ】本発明の代替の実施形態による発泡体を示す図である。
【図１３−８】本発明の実施形態による、被覆した面及び通気口を有する発泡体インターフェースの一部分の概略断面図である。
【図１４−１】本発明の実施形態による発泡体インターフェースの機械的特性の表である。
【図１４−２】本発明の実施形態による発泡体インターフェースの特性を示すグラフである。
【図１４−３】本発明の実施形態による発泡体インターフェースを含む個々の包装を送り出すように適合されたディスペンサの概略図である。
【図１５−１】本発明の実施形態による発泡体インターフェースの正面断面図である。
【図１５−２】本発明の実施形態による発泡体インターフェースの側面断面図である。
【図１６−１】本発明の実施形態による患者とのインターフェースの概略図である。
【図１６−２】本発明の実施形態によるフレーム及び力のベクトルの概略図である。
【図１６−３】本発明の実施形態によるフレーム及び力のベクトルの概略図である。
【図１７−１】本発明の実施形態によるインターフェース構造の層を概略的に示す図である。
【図１７−２】本発明の実施形態によるインターフェースをフレームに接合する方法を示す図である。
【図１７−３Ａ】本発明の実施形態によるインターフェース構造を患者とのインターフェースに着脱可能に取り付けるための機械的な干渉タイプの取付け機構を示す図である。
【図１７−３Ｂ】本発明の実施形態によるインターフェース構造を患者とのインターフェースに着脱可能に取り付けるための機械的な干渉タイプの取付け機構を示す図である。
【図１７−３Ｃ】本発明の実施形態によるインターフェース構造を患者とのインターフェースに着脱可能に取り付けるための機械的な干渉タイプの取付け機構を示す図である。
【図１７−４Ａ】本発明の実施形態によるインターフェース構造を患者とのインターフェースに着脱可能に取り付けるためのフック及びループタイプの取付け機構を示す図である。
【図１７−４Ｂ】本発明の実施形態によるインターフェース構造を患者とのインターフェースに着脱可能に取り付けるためのフック及びループタイプの取付け機構を示す図である。
【図１７−４Ｃ】本発明の実施形態によるインターフェース構造を患者とのインターフェースに着脱可能に取り付けるためのフック及びループタイプの取付け機構を示す図である。
【図１８−１】本発明の実施形態による鼻下とのインターフェースをフレームに接合する方法を示す図である。
【図１８−２】本発明の実施形態による鼻下とのインターフェースをフレームに接合する方法を示す図である。
【図１８−３】本発明の実施形態による鼻下とのインターフェースをフレームに接合する方法を示す図である。
【図１９−１】本発明の実施形態による鼻下とのインターフェースの裏に感圧性接着剤を塗布するための製造工程を示す図である。
【図１９−２】本発明の実施形態による鼻下とのインターフェースの裏に感圧性接着剤を塗布するための製造工程を示す図である。
【図１９−３】本発明の実施形態による鼻下とのインターフェースの裏に感圧性接着剤を塗布するための製造工程を示す図である。
【図２０−１】本発明の実施形態による鼻下とのインターフェースをフレームに接合する方法を示す図である。
【図２０−２】本発明の実施形態による鼻下とのインターフェースをフレームに接合する方法を示す図である。
【図２０−３】本発明の実施形態による鼻下とのインターフェースをフレームに接合する方法を示す図である。
【図２０−４】本発明の実施形態による複合型の鼻下とのインターフェースを形成するための製造工程を示す図である。
【図２０−５】本発明の実施形態による複合型の鼻下とのインターフェースを形成するための製造工程を示す図である。
【図２０−６】本発明の実施形態による複合型の鼻下とのインターフェースを形成するための製造工程を示す図である。
【図２０−７】本発明の実施形態による複合型の鼻下とのインターフェースを形成するための製造工程を示す図である。
【図２１−１】本発明の実施形態による可撓性のフレームを示す図である。
【図２１−２】本発明の実施形態による可撓性のフレームを示す図である。
【図２１−３】本発明の実施形態による可撓性のフレームを示す図である。
【図２２−１】本発明の他の実施形態による可撓性のフレームを示す図である。
【図２３−１】本発明の実施形態による、ばね要素を有する可撓性のフレームを示す図である。
【図２３−２】本発明の実施形態によるｋ値がその長さにわたって変わる、可変ばね要素のグラフである。
【図２３−３】本発明の他の実施形態による、ばね要素を有する可撓性のフレームを示す図である。
【図２４−１】本発明の実施形態による、排気を行うリジダイザを含む発泡体インターフェースを示す図である。
【図２５−１】本発明の実施形態による鼻下とのインターフェース及び口とのインターフェースを含む患者とのインターフェースを示す図である。
【図２６−１】Respironics社によってComfortCurve（商標）という名で市販されている既知のマスクの斜視図である。
【図２６−２】本発明の実施形態による、Respironics社のComfortCurve（商標）マスクの改良形態及び／または代替の構成を示す図である。
【図２６−３】本発明の実施形態による、Respironics社のComfortCurve（商標）マスクの改良形態及び／または代替の構成を示す図である。
【図２６−４】本発明の実施形態による、Respironics社のComfortCurve（商標）マスクの改良形態及び／または代替の構成を示す図である。
【図２６−５】本発明の実施形態による、Respironics社のComfortCurve（商標）マスクの改良形態及び／または代替の構成を示す図である。
【図２６−６】本発明の実施形態による、Respironics社のComfortCurve（商標）マスクの改良形態及び／または代替の構成を示す図である。
【図２６−７】本発明の実施形態による、Respironics社のComfortCurve（商標）マスクの改良形態及び／または代替の構成を示す図である。
【図２６−８】本発明の実施形態による、Respironics社のComfortCurve（商標）マスクの改良形態及び／または代替の構成を示す図である。
【図２６−９】本発明の実施形態による、Respironics社のComfortCurve（商標）マスクの改良形態及び／または代替の構成を示す図である。
【図２６−１０】本発明の実施形態による、Respironics社のComfortCurve（商標）マスクの改良形態及び／または代替の構成を示す図である。
【図２７−１】Respironics社によってOptiLife（商標）という名で市販されている既知のマスクの斜視図である。
【図２７−２】本発明のいくつかの実施形態による、Respironics社のOptiLife（商標）マスクの改良形態及び／または代替の構成を示す図である。
【図２７−３】本発明のいくつかの実施形態による、Respironics社のOptiLife（商標）マスクの改良形態及び／または代替の構成を示す図である。
【図２７−４】本発明のいくつかの実施形態による、Respironics社のOptiLife（商標）マスクの改良形態及び／または代替の構成を示す図である。
【図２７−５】本発明のいくつかの実施形態による、Respironics社のOptiLife（商標）マスクの改良形態及び／または代替の構成を示す図である。
【図２７−６】本発明のいくつかの実施形態による、Respironics社のOptiLife（商標）マスクの改良形態及び／または代替の構成を示す図である。
【図２７−７】本発明のいくつかの実施形態による、Respironics社のOptiLife（商標）マスクの改良形態及び／または代替の構成を示す図である。
【図２８−１Ａ】Respironics社によってComfortLite（商標）という名で市販されている既知のマスクの斜視図である。
【図２８−１Ｂ】Respironics社によってComfortLite（商標）2という名で市販されている既知のマスクの斜視図である。
【図２８−２Ａ】本発明の実施形態による、Respironics社のComfortLite（商標）マスクの改良形態及び／または代替の構成を示す図である。
【図２８−２Ｂ】本発明の実施形態による、Respironics社のComfortLite（商標）2マスクの改良形態及び／または代替の構成を示す図である。
【図２９−１】Fisher & PaykelによってOpus（商標）という名で市販されている既知のマスクを示す図である。
【図２９−２】Fisher & PaykelによってOpus（商標）という名で市販されている既知のマスクを示す図である。
【図２９−３】本発明の実施形態による、Fisher & Paykel社のOpus（商標）マスクの改良形態及び／または代替の構成を示す図である。
【図２９−４】本発明の実施形態による、Fisher & Paykel社のOpus（商標）マスクの改良形態及び／または代替の構成を示す図である。
【図２９−５】本発明の実施形態による、Fisher & Paykel社のOpus（商標）マスクの改良形態及び／または代替の構成を示す図である。
【図２９−６】本発明の実施形態による、Fisher & Paykel社のOpus（商標）マスクの改良形態及び／または代替の構成を示す図である。
【図２９−７】本発明の実施形態による、Fisher & Paykel社のOpus（商標）マスクの改良形態及び／または代替の構成を示す図である。
【図２９−８】本発明の実施形態による、Fisher & Paykel社のOpus（商標）マスクの改良形態及び／または代替の構成を示す図である。
【図２９−９】本発明の実施形態による、Fisher & Paykel社のOpus（商標）マスクの改良形態及び／または代替の構成を示す図である。
【図３０−１】Puritan Bennett社によってBreeze（登録商標）、SleepGear（登録商標）、DreamSeal（登録商標）という名で市販されている既知のマスクの斜視図である。
【図３０−２】Puritan Bennett社によってBreeze（登録商標）、SleepGear（登録商標）、DreamSeal（登録商標）という名で市販されている既知のマスクの斜視図である。
【図３０−３】本発明のいくつかの実施形態による、Puritan Bennett社のBreeze（登録商標）、SleepGear（登録商標）、DreamSeal（登録商標）マスクの改良形態及び／または代替の構成を示す図である。
【図３０−４】本発明のいくつかの実施形態による、Puritan Bennett社のBreeze（登録商標）、SleepGear（登録商標）、DreamSeal（登録商標）マスクの改良形態及び／または代替の構成を示す図である。
【図３０−５】本発明のいくつかの実施形態による、Puritan Bennett社のBreeze（登録商標）、SleepGear（登録商標）、DreamSeal（登録商標）マスクの改良形態及び／または代替の構成を示す図である。
【図３１−１】InnoMed Technologies社によってNasal-Aire（商標）という名で市販されている既知のマスクを示す図である。
【図３１−２】InnoMed Technologies社によってNasal-Aire（商標）という名で市販されている既知のマスクを示す図である。
【図３１−３】本発明のいくつかの実施形態による、InnoMed Technologies社のNasal-Aire（商標）マスクの改良形態及び／または代替の構成を示す図である。
【図３１−４】本発明のいくつかの実施形態による、InnoMed Technologies社のNasal-Aire（商標）マスクの改良形態及び／または代替の構成を示す図である。
【発明を実施するための形態】
【００３４】
添付の図面により、本発明の様々な実施形態の理解が容易になる。
【００３５】
特徴及び特性を共有することができるいくつかの実施形態に関連して以下の説明を行う。いずれか１つの実施形態の１つまたは複数の特性は、他の実施形態の１つまたは複数の特性と組合せ可能であることを理解されたい。更に、いずれかの実施形態のどの単独の特性または複数の特性の組合せは、追加の実施形態を構成することができる。
【００３６】
以下の患者とのインターフェースは、鼻下とのインターフェースタイプを含むものとされているが、患者とのインターフェースを他の適切なインターフェースのタイプと一緒に使用するように適合することができる。すなわち、インターフェースのタイプは、単に例示的なものであり、本発明のいくつかの態様を、例えば、鼻クッション、鼻プロング、全顔面マスク、口マスク等、他のインターフェースのタイプを含むように適合することができる。
【００３７】
本発明のいくつかの実施形態は、使い心地の悪い、魅力のないマスクシステムから、柔軟で、快適で、軽量で、機能的で、治療を向上し、ファッショナブルで、殆んどまたは全く調節なしの簡単で直感的な装着及び調節、形状を保持し、インパクトが少なく、低プロフィルで、連続性のある形態で、個人に合わせられまたはカスタマイズされ、且つ／または患者及び同様に一緒に寝る人にとってより魅力的でずっと不快ではない、滑らかでエレガントな患者とのインターフェースへの進展を対象とする。対象の患者とのインターフェースは、見苦しいかまたは魅力的ではないように見える可能性がある、患者に取り付けられた、大きい機械的な延長部分ではなく、あまり邪魔にならず、あまり目立たず、解剖学的に整合性があり、有機的な延長部分のように見え、且つ／または患者と調和する。これは、患者及び患者と一緒に寝る人が、治療中により簡単にリラックスし且つ／または眠ることを助けることができる。更に、患者とのインターフェースは、患者が、呼吸器の病気のための治療をしているのではなく、単にナイトキャップまたは寝るときの衣服等のような衣服を着るように、全体的な認識を改善することができる。このように認識が改善されると、患者が実際に患者とのインターフェースを着用し、治療に従うかまたはより従うようになる可能性を高める助けをし、従って、装置のユーザのための効果的な治療の見込みを増大させることができる。一緒に寝る人が、患者の治療をより簡単に受け入れ、使用／調節が簡単で、より魅力的且つ／または興味を引くインターフェースである、睡眠促進装置の使用を促すことによって治療に参加するようになる可能性もある。
【００３８】
患者とのインターフェース
図１−１から図１−１６は、本発明の実施形態による患者とのインターフェースまたはマスクシステム１０を示す。図示のように、患者とのインターフェース１０は、患者の顔面との効果的なインターフェースを提供するように適合された（緩衝構造または適合構造とも称される）インターフェース構造２０と、インターフェース構造２０に呼吸に適した気体を送達し、患者の頭部上の所望の位置に患者とのインターフェース１０を支持するように適合された（導管ヘッドギアまたはインレット導管構成とも称される）空気送達及び安定化システム３０とを含む。インターフェース構造２０及び／または空気送達及び安定化システム３０の１つまたは複数の部分を実質上封入するために、（ソックスまたは被覆とも称される）カバーを任意選択で提供することができる。
【００３９】
１．空気送達及び安定化システム
１．１  背景及び概要
既知の患者とのインターフェースは典型的には、別々のヘッドギア及び空気送達構成要素を含み、それらは、マスク等を位置決めしマスク等に呼吸に適した気体を供給するために使用される。既知のヘッドギアは、典型的には、伸縮性（または非伸縮性）のストラップ、バックル、ロック、及び／またはクリップのアセンブリを含む。既知の空気送達構成要素は、典型的には、直径１５〜２２ｍｍのらせん状の補強配管及びスイベル式コネクタを含む。ヘッドギア及び空気送達構成要素のこれらの既知の構成は、不器用な人及び／またはそれらに慣れていない人たちにとって扱うのが難しい可能性がある。ヘッドギア及び空気送達構成要素のこれらの既知の構成はまた、その上に横たわるには不快または非実用的である可能性がある。
【００４０】
本発明の一態様は、１つの合体システムによってもたらされる、空気送達及びインターフェース構造の安定性に関する。図示の実施形態では、空気送達及び安定化システム３０は、４つの主要な構成要素、すなわち、配管４０、リジダイザ５０、バックストラップ６０、及びマニフォールド７０（例えば、図１−６参照）を含む。使用の際には、空気の供給は、例えば、患者の頭頂部上またはその正面に位置するマニフォールド７０に向けられる。空気の供給は、患者の鼻及び／または口に向かって、マニフォールド７０から配管５０、例えば、少なくとも１本、好ましくは２本のチューブを通る。配管４０は、その上に横たわると圧潰可能であるという特性を有するが、インターフェースの十分な安定性を維持するように他の方向には十分に剛性がある。
【００４１】
１．２  配管
図示の実施形態では、配管４０は、２本のチューブまたはインレット導管４２（気体流路または気体導管とも称される）を含み、その２本のチューブまたはインレット導管４２は、呼吸に適した気体をインターフェース構造２０に送るためにインターフェース構造２０と連通している（例えば、図１−６参照）。一実施形態では、単一のチューブを使用することができる。しかし、例えば、患者が横向きに横たわることによって、一方のチューブ４２が完全に圧潰されているときに、なおインターフェース構造２０に十分な呼吸に適した気体の供給を行うことができるように、２本のチューブを使用することが好ましい。すなわち、２本のチューブ４２を使用すると、使用中に一方または両方のチューブ４２を開通させることができる。代替の実施形態では、２本以上のチューブ、例えば、３本以上のチューブを使用することができる。例えば、配管は、患者の顔面の上側に沿った２本の上側チューブと、患者の顔面の下側に沿った２本の下側チューブとを含む、４チューブ構成を提供することができる。
【００４２】
チューブ４２はそれぞれ、図２−１及び図２−２に示すように、インターフェース構造２０のフレーム２２の各端部に係合するように適合された第１の端部４２．１と、マニフォールド７０の各端部に係合するように適合された第２の端部４２．２とを含む。一実施形態では、フレーム２２及びマニフォールド７０はそれぞれ、チューブ部分２５を含むことができ、それらのチューブ部分２５は、例えば、摩擦嵌めによって、チューブ４２の各端部に係合するように適合される。使用の際には、チューブ４２は、マニフォールド７０から加圧された呼吸に適した気体を供給され、その加圧された呼吸に適した気体が、インターフェース構造２０の両端に送達される。
【００４３】
図示の実施形態では、フレーム２２及びマニフォールド７０のチューブ部分２５（例えば図２−１及び図２−２参照）はそれぞれ、段の付いた構成であり、その結果、各チューブがチューブ部分２５に取り付けられたときに、接続部が平滑で殆んど継ぎ目のない形状、例えば、全体的な形状では段が変わること見えなくなる。例えば、各チューブ部分２５とフレームまたはマニフォールド本体との間の境界は、段の高さをチューブの各端部４２．１、４２．２の壁厚と実質上等しくすることができ、チューブ部分とチューブの各端部を結合することにより、接続部が平滑で殆んど継ぎ目のない形状になる。こうした平滑な接続部により、外観が改善され、使用中に患者がベッドの上を転がるときに枕、寝具等の上で引っ掛けられる抵抗力を低下させることにおいて機能上の利益を有することができる。
【００４４】
代替の実施形態では、２本のチューブを、気体の供給部（例えば、陽圧気道圧（ＰＡＰ、positive airway pressure）装置または流れ生成器）に独立に連結することができる。例えば、図２−３に概略的に示すように、一方のチューブ４２は、インターフェース構造２０の一方の端部からＰＡＰ装置の第１のアウトレットＯ１まで延びることができ、もう一方のチューブ４２は、インターフェース構造２０のもう一方の端部からＰＡＰ装置の第２のアウトレットＯ２まで延びることができる。このような構成では、マニフォールドをなくすこともでき、ＰＡＰ装置自体に組み込むこともできる。
【００４５】
他の実施形態では、２本のチューブ同士を、ＰＡＰ装置のアウトレットで接合することができ（例えば、両方のチューブが、ＰＡＰ装置の単一のアウトレットに連結されるように適合される）、次いで、それらのチューブが、インターフェース構造に向かって分岐する（すなわち、別々のチューブに分裂または分割する）。例えば、図２−４ａに示すように、チューブ４２（１）を、ＰＡＰ装置の単一のアウトレットＯに連結することができ、次に、インターフェース構造２０の各端部に向かって分裂させて別々のチューブ４２（２）にする。図２−４ｂに示すように、チューブ４２（１）は、チューブを分割して、チューブ４２（２）のそれぞれ１つと関連した２本の導管にするために、内部隔壁Ｗを含むことができる。
【００４６】
１．２．１  圧潰可能であり、薄いこと
図示の実施形態では、チューブ４２はそれぞれ、２つのフェーズ、すなわち、チューブ４２が空気の通過を可能にする第１の開通フェーズ（例えば、図３−１参照）と、チューブ４２が完全に圧潰し、その上に横たわるのが快適である第２の圧潰フェーズ（例えば、図３−２ｂ参照）との間を移行することができるように構築される。各チューブ４２は、チューブ４２に載るどの患者（例えば、大人または乳児／子供）の頭部の重さでも、チューブ４２を圧潰するのに十分であるように構築され、そのため、患者が横向きに快適に横になることができる（例えば、図１−３、図１−５、及び図１−１４参照）。しかし、チューブが、低圧下で膨張するチューブ状の風船と同様のコンシステンシーを有するので、典型的な患者の頭部よりずっと軽い重さで各チューブ４２を圧潰することができる。
【００４７】
開通フェーズでは、チューブは、開通しているかまたは少なくとも部分的に開通し、そのため、チューブは、例えば、流れに対する過度の抵抗なしに、治療を行うのに十分な空気の通過を可能する。圧潰フェーズでは、チューブは、空気の通過または導通性を実質上妨げるように圧潰される。
【００４８】
各チューブが、快適性を改善するために完全にまたは全面的に圧潰する必要はないことを理解されたい。例えば、各チューブは、チューブ４２が空気の通過を可能にする第１の開通フェーズと、チューブ４２が少なくとも部分的にまたは実質上圧潰して、空気の通過を制限し、且つ／または少なくとも部分的に妨げる部分的にまたは実質上圧潰した第２のフェーズ（例えば、図３−２ａ参照）との間を移行することができるように構成することができる。
【００４９】
部分的にまたは実質上圧潰したフェーズでは、チューブの対向する壁面は、その長さに沿って１つまたは複数の点または面で互いに係合することができ、その結果、部分的にまたは実質上圧潰したチューブ中の導通性は、最低限に抑えられるか、またはそれどころか、無視してよい量まで減らすことができる。また、部分的にまたは実質上圧潰したフェーズでは、チューブを、加圧した気体の導通性の程度を小さいままに維持するのに十分に開通させることができる。わずかな程度の開放性は、（治療中に通常出合う荷重が加えられる際に、対向する壁面が互いに接触しないかまたは完全には接触しない）ある基準寸法の壁厚及び／またはチューブの内面に提供された１つまたは複数の短い、押しつぶし防止リブを利用して、実現することができる。
【００５０】
各チューブ４２は、十分に気密性があり、患者にとって不快なことなしに、患者の頭頂部から患者の鼻に空気を送達するように構成される（例えば、図１−４及び図４−２参照）。チューブによってもたらされる抵抗（impedance）は、開通フェーズにあるのが片方のチューブか両方のチューブかにかかわらず、使用中のブロワに適している。すなわち、チューブ４２は、開通フェーズのときは抵抗が小さい、幅広の開通した断面を提供し、圧潰フェーズのときは低プロフィルをもたらす。更に、チューブは、本質的には、オンまたはオフ（すなわち、開通フェーズまたは圧潰フェーズ）に切り替えることができる、平行なラインを有する線状の配管システムを提供し、平行なラインのいずれかをオフに切り替えることは、配管システムの抵抗の合計にはわずかな影響しか及ぼさない。すなわち、ＰＡＰ装置によって「感じる」抵抗は、片方のチューブが開通しているか両方が開通しているかとは実質上無関係である。チューブは、圧力の揺れ、例えば、患者の深呼吸を制御するように適合することもできる。
【００５１】
一実施形態では、チューブ４２はそれぞれ、圧縮されることなく、開放性または開通しておりふさがれていない状態を維持するのに十分な強度を有することができる。すなわち、チューブ４２は、「能動的に」圧縮するときにのみ圧潰され、そうでない場合は、チューブ４２は開通フェーズのままであるように構築することができる。代替の実施形態では、気体の供給が各チューブの膨張を助けることができる。
【００５２】
チューブ４２はそれぞれ、その長さに沿ったどの位置でも圧潰することができ、実質上平坦な構成に圧潰することができ、そのため、チューブ４２は、快適性のために患者の顔面に対して実質上平坦になる。しかし、チューブ４２を、例えば、中間部のみ、中心部のみ等、その選択した部分に沿って圧潰するように構築することができる。
【００５３】
他の実施形態では、少なくとも一方のチューブが、少なくとも１箇所横方向に膨らむ特性を有することができる。こうしたチューブ（「バブル」チューブとも称される）では、チューブの一部分が、圧潰されるか、または部分的に圧潰され、チューブの一部分が開通し、例えば、チューブが中間部において「はさまれ」て、全体的に数字の８の形をもたらす。他の実施形態では、患者の頬のより多くを被覆するように適合された、引き伸ばされたチューブを提供するように、少なくとも一方のチューブが比較的幅広の平坦な形状を有することができる。例えば、図３−５ａは、チューブ１４２の最初の構成の概略図であり、図３−５ｂは、端部分１４４、１４６が圧潰または部分的に圧潰して平坦な構成になったときのチューブ１４２を示し、図３−５ｃは、中間部分１４５が圧潰または部分的に圧潰されて平坦な構成になったときのチューブ１４２を示す。他の変形形態では、チューブを、図３−５ｂ及び図３−５ｃに示すように、１つまたは複数の比較的平坦な部分１４４、１４５、１４６と、１つまたは複数の円形の導管部分１４７とを有するように、あらかじめ形成することができる。
【００５４】
患者とのインターフェースが、好ましくは、マニフォールド及び患者の鼻の正面の領域において、例えば、インターフェース構造２０において圧潰されないことを理解されたい。すなわち、マニフォールドを、実質上剛性の材料から構築することができ、インターフェース構造２０は、使用中に圧潰を防ぐ実質上剛性のフレーム（例えば、図２−１に示すフレーム２２）を含むことができる。こうした構成により、少なくとも１本のチューブ４２から患者の鼻まで空気流の通路を確実に提供する。
【００５５】
一実施形態では、各チューブ４２を、約０．５ｍｍの薄い壁厚を有する、シリコーン材料、例えば、液状シリコーンゴム（ＬＳＲ、liquid silicone rubber）から成型することができる。しかし、各チューブは、約０．３ｍｍから５ｍｍの壁厚を有することができる。チューブは、様々な色を有することができ、チューブに平滑な外面を施すように、チューブを、研磨面を有する型で形成することができる。しかし、各チューブを、他の柔軟で可撓性の材料、例えば、熱可塑性エラストマー（例えば、Santoprene（商標））、発泡体、発泡体ラミネート、独立気泡の不浸透性発泡体、綿または絹を含む、浸漬及び編地のテキスタイルから構築することができる。一実施形態では、チューブを形成するために、各チューブを、例えば熱溶着して互いに取り付けた２枚の材料シート、例えば、積層製品から構築することができる。代替の実施形態では、チューブはそれぞれ、チューブが開通フェーズと圧潰フェーズの間を移行することが可能になるように蛇腹構造に構成された、複数の要素、例えば、比較的剛性の要素から構築することができる。一実施形態では、チューブはそれぞれ、各チューブをある体積から他のより小さい体積に圧潰することが可能になる蛇腹構造を有することができる。例えば、図３−６ａは、第１の体積をもたらす第１のフェーズの蛇腹タイプのチューブ５４２の断面を示し、図３−６ｂは、第１の体積より小さい第２の体積をもたらす第２のフェーズの蛇腹タイプのチューブ５４２を示す。この例では、チューブ５４２の片側５４３が患者の顔面に隣接して配置される。
【００５６】
本発明の実施形態によるチューブの構成は、InnoMed’s社のNasalAire及び他の形状の鼻カニューレ等、従来の構成とは異なる。その従来の構成は、押しつぶすことに耐える（すなわち、呼吸に適した気体を、常に両方のチューブを通して送ることができる）ように設計され、従って、患者がその上に横たわると不快な構造を呈する。更に、従来の構成とは異なり、本発明のいくつかの実施形態によるチューブの構成は、その対のチューブの片方が完全に圧潰されるときに圧縮された気体を十分に提供することが可能である。本発明の実施形態によるチューブの対が特定の構成であるので、両方のチューブが、通常の使用中に一度に押しつぶされることはない。これにより、圧縮された気体の供給を漏らすことなく、患者がどんな寝姿勢（例えば、完全に自由な寝姿勢）をとることも可能である（例えば、図１−１、図１−３、図１−５、図１−７、図１−８、及び図１−１４参照）。すなわち、本発明の実施形態によるチューブの構成は、２本以上のチューブを提供し、それらのチューブは、不必要に高い抵抗を導入することなしに、気体の十分な導通性（例えば、治療の圧力における気体の十分な流れ）及び患者に対する快適性を維持するように協働する。例えば、２チューブ構成が提供されるとき、各チューブは、例えば、その上に横になることで、チューブの片方が閉塞しているときに、十分な気体の供給を促進する、十分に低い抵抗（例えば、十分に大きい水力直径）を有する。
【００５７】
１．２．２  断面プロフィル
図示の実施形態では、チューブ４２はそれぞれ、断面形状が非円筒形であり、その断面は、患者の顔面と調和するように、調和する輪郭を提供する（例えば、図３−１及び図４−１から図４−５参照）。すなわち、各チューブ４２は、鋭い縁部または直線が殆んどないか、または全くない、調和する輪郭または自由な形式を提供する。その調和する輪郭は、平滑で、流線形で、滑らかであり、患者の頭部の輪郭とまたはそれに、チューブ４２を調和させまたは先細りにし、例えば、解剖学的に整合性があり、より目立たず、外観がより魅力的である。更に、調和する輪郭は、不快さ、例えば、皮膚の炎症または擦傷を引き起こす虞のある鋭利な縁部を持たない。
【００５８】
各チューブ４２の輪郭または断面を、その長さに沿って変えることができ、例えば、患者の頭部の周りの位置と共に不均一に変えることができる。一実施形態では、チューブはそれぞれ、ほぼ一定の水力直径を有し、断面積がその長さに沿って変わってよい。例えば、チューブ４２はそれぞれ、ある領域、例えば、患者が睡眠中に載るチューブの領域に、より平坦な領域を提供することができる。このようにして、チューブは、患者の顔面の輪郭の有機的な延長部分であると言うことができる。
【００５９】
図３−１は、チューブ４２の例示的な断面を示す。図示のように、チューブ４２は、断面が概してＤ字形であり、内側の面または内側に向いた面４４と外側の面または外側に向いた面４５を含む。
【００６０】
内側面４４は、比較的平坦であり、使用中患者の顔面に接して実質上面一に置かれるように適合される。内側面４４は、広範囲の患者に快適に装着するように、内側縁部から外側縁部まで先細りした構成を有することができる。内側面４４は、荷重の分配をより均等にする比較的大きい表面積を提供する。こうした構成は、使用中に圧力点を作りにくい。また、内側面４４は、患者の顔面上に患者とのインターフェースを安定させるのを助けるために、取っ手のような器具を有することができる。以下に説明するように、チューブに剛性を加えるために、内側面に剛性化要素を提供することができる。
【００６１】
外側面４５は、患者の顔面と調和する平滑な輪郭を有する。すなわち、外側面４５は、睡眠中（例えば、患者寝返りをうつとき）に縁部が寝具、枕等に引っかかるのを防止するために、例えば、接線方向に、患者の顔面と調和する縁部を有するプロフィルまたは有機的な形状を有する。
【００６２】
上述のように、概してＤ字形の断面を、その長さに沿って変えることができ、例えば、患者の鼻の近くでは厚みがある、幅の細いＤ字形の断面であり、頬に沿った部分及び患者の頭頂部の近くでは幅広の浅いＤ字形の断面である。例えば、図３−４及び図３−４ａから図３−４ｆは、本発明の実施形態による、その長さに沿ったチューブ４２の様々な断面を示す。具体的には、図３−４ａは、マニフォールド７０と係合するように適合された端部におけるチューブ４２の断面を示し、図３−４ｂは、マニフォールド端部からチューブの長さの２０％の位置のチューブ４２の断面を示し、図３−４ｃは、マニフォールド端部からチューブの長さの４０％の位置のチューブ４２の断面を示し、図３−４ｄは、マニフォールド端部からチューブの長さの６０％の位置のチューブ４２の断面を示し、図３−４ｅは、マニフォールド端部からチューブの長さの８０％の位置のチューブ４２の断面を示し、図３−４ｆは、インターフェース構造２０と係合するように適合された端部におけるチューブ４２の断面を示す。図示のように、Ｄ字形の断面は、その長さに沿って変わる。具体的には、断面はそれぞれ、幅ｗ及び高さｈであり、様々な断面の幅及び高さは、チューブの長さに沿って変わり、例えば、マニフォールド端部では比較的幅が広く高さが低く、インターフェース構造の端部では比較的幅が狭く高さが高い。また、すべての断面は、よく似たまたは一般的な水力直径、例えば、約１０〜１５ｍｍまたは約１３ｍｍを有する。その形状を、外観及び／または抵抗要件に基づいて構成することができる。更に、その形状を、低プロフィル、快適性及び／または安定性を提供するように構成することができる。
【００６３】
しかし、チューブ４２は、例えば、台形、半円、円筒、長円、楕円、より平坦な断面等、他の適切な断面形状を有することができる。また、チューブは、押しつぶし防止リブを有する平坦な構成を有することができる。こうした構成は、その全体が参照により本明細書に組み込まれている、特許文献２に記載されている。
【００６４】
図５−１から図５−３は、チューブの代替の断面を示す。図５−１は、より漸進的に患者の顔面に調和するチューブ２４２を示す。図５−２に示すように、チューブ３４２は、例えば、空気流または呼吸を可能にするために、内側面に隙間３４３を提供することができる。図３−１、図５−１、及び図５−２に示す断面よりは好ましくないが、図５−３のチューブ４４２の断面は、調和する輪郭のために、通常の円筒形のチューブよりは好ましいであろう。
【００６５】
Ｄ字形または概して台形のチューブが、半円形のチューブ程はっきりとした圧力領域をその底縁部に沿って生成しないことが留意されよう。その理由は、Ｄ字形または全体的に台形のチューブの側壁が、鋭角α、すなわち、図３−１に示すように、９０度より小さい角度で、基部と出合うからである。半円形のチューブの側壁は、約９０度で基部と出合い、チューブが患者の顔面に対して押し付けられる場合に、側壁が基部と出合う領域は、剛性が高くなり、圧力点を導くことがある。更に、半円形のチューブは、患者の顔面の輪郭に関して見るときに不連続な形状をもたらすことがある。
【００６６】
１．３  空気送達剛性化要素
図示の実施形態では、剛性化要素またはリジダイザ５０が、チューブ４２に剛性を加えるために各チューブ４２に提供される（例えば、図１−６、図３−３、及び図４−３から図４−５参照）。本発明の実施形態による剛性化要素５０は、好ましくは、薄く、患者がその上に横になったときにしっくりなじむが、面外への曲げに抵抗するのに十分な堅さを有する。すなわち、剛性化要素５０は、いくつかの平面では曲げることが可能であり、いくつかの面では曲げることに抵抗し、例えば、患者の顔面に向かう方向及び顔面から離れる方向には曲げることが可能であるように構築される。剛性化要素５０はまた、チューブ４２が張力には強くその寸法を維持するように、チューブ４２を非伸縮性にするかまたは伸縮性をなくす。
【００６７】
一実施形態では、剛性化要素５０は、患者とのインターフェース１０が患者の頭部上にあっても、そこから離れていても、患者とのインターフェース１０がその形状を保ち、積み重なってしまわないようにすることができ、例えば形状記憶のように、患者とのインターフェース１０に構造上の完全性または自己保持の形状をもたらすことができる。こうした形状保持機構は、チューブを所望の位置に維持し、使用の際に患者とのインターフェースを着用するのを容易にすることができる。
【００６８】
チューブ４２の内側及び／または外側部分に剛性化要素５０を提供することができる。例えば、図１−６及び図４−１から図４−５は、使用中に患者の頭部に係合するように適合された、チューブ４２の外側部分に（例えば、内面４４に沿って）提供された剛性化要素５０を示す。図示のように、剛性化要素５０は、マニフォールド７０及び／またはインターフェース構造２０へのチューブ４２の連結を容易にするために、チューブ状の端部分５２を含むことができる。チューブ／リジダイザサブアセンブリは、バックストラップ６０を支持するための延長部分５３を提供することもできる（例えば、図４−１、図４−２、及び図４−４参照）。
【００６９】
図４−６から図４−９は、チューブ４２が取り付けられた剛性化要素５０の他の実施形態を示す。図示のように、剛性化要素５０を、使用の際にインターフェース構造、マニフォールド、及び／またはバックストラップの下を延びるように構築することができる。
【００７０】
剛性化要素５０は、例えば、チューブ４２の堅さまたは剛性をその長さに沿って変えるために、その長さに沿って厚さが変化してよい。例えば、剛性化要素５０は、患者の頬でより薄く、患者の頭頂部でより厚くてよい。一実施形態では、剛性化要素５０及び／またはチューブ４２は、患者の眼鏡のそれぞれのアームを収容するように構築することができる。
【００７１】
一実施形態では、剛性化要素５０は、薄いプラスチックシート、例えば、０．５ｍｍの耐衝撃性のポリスチレン（またはＥＰＰ発泡体）を切断し、且つ／またはそれから形成することができる。しかし、例えば、テキスタイル、ナイロン、ポリプロピレン、高硬度シリコーン（high duro silicone）、エラストマー等、他の適切な材料が可能であり、剛性化要素は、例えば、約０．３ｍｍから５ｍｍの、他の適切な壁厚を有することができる。
【００７２】
一実施形態では、配管／リジダイザサブアセンブリはそれぞれ、全厚（例えば、圧潰された配管／リジダイザの厚さ）を約１．５ｍｍ、例えば、剛性化要素０．５ｍｍ、片側のチューブ壁面０．５ｍｍ、及び反対側のチューブ壁面０．５ｍｍとすることができる。しかし、全厚は、用途に応じて厚くすることも薄くすることもでき、例えば、１〜１０ｍｍ、１〜５ｍｍ、５ｍｍより薄い、約１０ｍｍ、約５ｍｍ、及び／または約３ｍｍにすることができる。チューブ及び／またはリジダイザの壁圧を、快適性及び／または頑丈さのために調節し、例えば、壁圧を厚くすることができることを理解されたい。チューブ及びリジダイザの壁圧は、好ましくは、できるだけ薄いが、より形状保持、自己支持、及び／または頑丈になるように、厚くしてよい。
【００７３】
一実施形態では、別個の剛性化要素５０を採り入れることができる。例えば、参照によりその全体が本明細書に組み込まれている特許文献３を参照されたい。
【００７４】
一実施形態では、別個の剛性化要素５０を形成することができ、次いで、それぞれのチューブ４２に、例えば、接着剤によって、または機械式のかみ合い機構によって取り付けることができる。
【００７５】
他の実施形態では、剛性化要素５０を、それぞれのチューブ４２と共成型または共押し出し成形することができる。すなわち、チューブ４２と剛性化要素５０が、一体の、１部片構造を形成することができる。
【００７６】
他の実施形態では、剛性化要素を、ポリプロピレンから作ることができ、チューブを、ポリプロピレンの剛性化要素に溶接／共成型するのに適したグレードの熱可塑性エラストマーから作ることができる。
【００７７】
代替の実施形態では、剛性化要素は、剛性化要素によってもたらされた剛性及び／または位置を調整するために、互いに対して調節可能または可動式、例えば、摺動可能である、複数の構成要素を含むことができる。
【００７８】
１．４  バックストラップ
図示の実施形態では、配管／リジダイザサブアセンブリにバックストラップ６０が提供される（例えば、図１−２、図１−６、及び図６−１から図６−４参照）。そのバックストラップ６０は、患者の頭部の上に患者とのインターフェースを安定させるのを促進するために、使用の際に患者の後頭骨上に全体的に配置されるように適合される。バックストラップ６０は、例えば、患者の鼻の下のインターフェース面に対して接続力（interfacing force）を提供することを助けることもできる。
【００７９】
一実施形態では、バックストラップ６０（弾性の安定装置または伸縮性の安定装置とも称される）は、ある長さの伸縮性ストラップ６２を含む。その伸縮性ストラップ６２の両端は、例えば、図６−３及び図６−４に示すように、それぞれのチューブ４２によって提供された穴４６を介して、配管／リジダイザサブアセンブリに取り付けられる。
【００８０】
使用の際には、バックストラップ６０は、患者の頭部上のある範囲の位置に配置することができ、やはり、大きさと方向の両方において適切な接続力を生じさせる。こうした配置により、いくつかの異なる適切な寸法を可能にし、バックストラップ６０を最も快適な位置、例えば、図６−３及び図６−４に示すように、患者の頭部の後においてより高い位置またはより低い位置に動かす際に患者の快適性を増進する。バックストラップの伸縮性により、患者とのインターフェースが、人口の広い範囲、例えば、人口の８０〜９０％に合うことを可能にする。
【００８１】
バックストラップ６０は、接続力を提供するのではなく、基本的には、患者の頭部上に患者とのインターフェースを維持するために使用される。すなわち、インターフェース構造２０は、（以下に説明するように）インターフェースのための高い張力を必要とせず、従って、バックストラップ６０を、接続力のための張力に関して当てにする必要はない。
【００８２】
一実施形態では、ストラップ６２は、例えば、伸張がゼロから比較的小さい範囲まで、張力が上昇し横ばいになる、選択された伸縮性の特性を有することができる。その張力は、弾性限界まで完全に伸び切るまで、比較的大きい更なる伸張にわたって概して同様なままにすることができる。
【００８３】
様々な寸法の頭部で使用するための患者とのインターフェースを有する、代替のストラップ６２の範囲、例えば、様々な伸縮性、厚さ、長さ等を提供することができる。
【００８４】
バックストラップ６０は、長さが選択的に調節可能である他の適切な構成、例えば、野球帽のアジャスタ（例えば、図１０−４参照）、フック及びループ材、ラダーロック、調節可能な弾性体を有することができる。一実施形態では、図６−５に示すように、バックストラップは、（例えば、剛性化要素５０と一体に形成された）剛性の側部６５と、剛性の部分６５の自由端に接続する伸縮性ストラップ６２とを含むことができる。
【００８５】
他の代替の実施形態では、バックストラップをチューブと同じ材料から構築し、例えば、剛性化要素と共成型されたチューブ及びバックストラップを構築することができる。一実施形態では、患者とのインターフェースの２つの側面を同時に成型し、例えば、両方の剛性化要素に調和するバックストラップによって一緒に保持された２つの剛性化要素を成型することができる。患者とのインターフェースを完成させるには、チューブをマニフォールド及びインターフェース構造と係合することになる。
【００８６】
代替の実施形態では、患者の耳と係合し患者の顔面上で患者とのインターフェースを支持するように適合された耳アンカーを、バックストラップの代わりに使用することができる。
【００８７】
他の実施形態では、バックストラップは、後頭部の一部分のみ横切って延びることができる（例えば、バックストラップは、伸縮性フィンガーを備え、それらのフィンガーは、各側面から内側に延び後頭部を押し付けて、後方向に向いた力を生じさせる）。
【００８８】
１．５  マニフォールド
マニフォールド７０は、２本のチューブ４２を相互連結し、適切な供給源、例えば、ブロワから流れる空気を、それらの２本のチューブ４２中に向けるために提供される（例えば、図１−２、図１−４、及び図１−６参照）。図２−２に最良に示すように、マニフォールド７０は、全体的にＴ字形であり、ベース部分７２と、ベース部分７２に連結された（例えば、ボールジョイント、ヒンジ、全体的な可撓性等によって可動式に連結された）インレットチューブ部分７４とを含む。一実施形態では、マニフォールド７０は、滑らかになるように、患者の頭部及び患者とのインターフェースの形状と連続した、例えば、目立たない形状を有するように、設計される。例えば、マニフォールドは、空気送達の高さまたは角度を最小限に抑えるように、比較的平坦な形状または低プロフィルにすることができる。
【００８９】
マニフォールドは、ＰＡＰ装置からつながる空気送達配管から、インターフェース構造につながるインレット配管までの移行部を提供する。従って、マニフォールドは、押しつぶすことができない配管である空気送達配管を、押しつぶすことが可能な配管であるインレット配管に移行する。また、マニフォールドは、配管のプロフィルを、例えば、空気送達配管の比較的円形の配管をインレット配管の比較的平坦な配管に移行する。
【００９０】
ベース部分７２は、それぞれのチューブ４２と、例えば、摩擦嵌めで係合するように適合された、対向するチューブ部分２５を含む。チューブ部分２５の断面形状は、非円形でよく、チューブ４２の断面形状に対応することができる。ベース部分７２は、患者の頭部の形状に合うように湾曲してよく、使用の際に患者の頭頂部に載り、それと実質上面一に位置するように、そうでない場合は適切に起伏が付けられる。しかし、ベース部分は、チューブとの他の適切な連結部または空気保持結合部を含むことができる。
【００９１】
インレットチューブ部分７４を、ベース部分７２に固定することもでき、インレットチューブ部分７４が使用の際にベース部分７２に関して角度を付けることができるように、インレットチューブ部分７４をベース部分７２に可動式に、例えば、スイベルで結合することもできる。そのスイベル構成は、３６０度の回転または他の適切な角度範囲を提供することができる。インレットチューブ部分７４は、適切な空気送達供給源、例えば、ブロワに連結された、空気送達チューブＴ１（例えば、図１−２、図１−７、及び図２−２参照）に連結するように適合された、例えば、直径１５ｍｍのインレットチューブ７５を有する。
【００９２】
一実施形態では、マニフォールド７０及びチューブ４２を、例えば、部品の数を減らすために１部片構造として一体に形成することができる。
【００９３】
一実施形態では、マニフォールドを、動的流れを制御し、且つ／または騒音を軽減するように構築することができる。
【００９４】
１．５．１  配置
マニフォールド７０は、患者とのインターフェースが使用されるときに枕と干渉しない患者の頭頂部上の領域に配置される（例えば、図１−２、図１−４、及び図１−７参照）。すなわち、マニフォールド７０は、空気送達チューブＴ１をベッドの外に向け、従って、空気送達チューブＴ１は、枕と干渉せず、患者の人体に沿って通らない。一実施形態では、患者の頭頂部、例えば、概して患者の耳の平面に、マニフォールド７０を配置することができる。例えば、使用の際に概してブレグマの領域にマニフォールド７０を配置することができる。
【００９５】
こうした手法の一利点は、チューブの引きずりが、使用中にインターフェースに直接影響を与えないことである。例えば、頭頂部の近くにマニフォールド７０を配置することによって、インターフェース構造２０から最も遠くに配置され、従って、空気送達チューブが引っ張られるか動かされる場合に、例えば、インターフェース領域の荷重の分配を変えることによって、その動きがインターフェースにあまり影響を及ぼさず、従って、インターフェースの安定性が増す。また、マニフォールドの配置により、マスクへのチューブ連結部を、患者の視野を避けることによって目立たなくすることが可能になる。
【００９６】
マニフォールドは、複数の機能または実用性を提供することができる。例えば、マニフォールドは、患者とのインターフェースのための基準点または固定点を提供することができる。すなわち、マニフォールドは、ヘッドサポートまたは安定装置、空気送達導管、及びインレット配管取付点として働くことができる。更に、マニフォールドは、上述のように、チューブの引きずりに耐える。
【００９７】
１．５．２  スイベル機能
一実施形態では、マニフォールド７０は、全体的にＴ字形であり、概して直角の２本の軸、すなわち、第１の軸に沿ったベース部分７２と、第１の軸に垂直な第２の軸に沿ったインレットチューブ部分７４を画定する。
【００９８】
マニフォールド７０は、マニフォールド７０が片方または両方の軸の周りで旋回または蝶番で動くことが可能である、スイベル機能を組み込むことができる（例えば、図７−１参照）。図７−２は、インレットチューブ部分２７４がベース部分２７２に関して回転または旋回することを可能にする、玉継手の構成を有するマニフォールド２７０を示す。ベース部分及び／またはインレットチューブ部分は、使用中の旋回を制限するために１つまたは複数のストップを組み込むことができる。スイベル機能により、空気送達チューブに患者とのインターフェースに関して適切に角度を付けることが可能になり、例えば、従って、空気送達チューブが、壁またはベッドのヘッドボードに延びない。
【００９９】
１．５．３  オフセット配置
図示の実施形態では、マニフォールド７０は、患者の頭頂部に配置される（例えば、図１−２、図１−４、及び図１−７参照）。代替の実施形態では、マニフォールド７０を、患者の頭頂部からずらして、例えば、患者の頭部の側面に配置することができる。このようなオフセット配置により、（具体的には、患者が頭の反対側を下に寝るときに場合に）引きずることが減る可能性があるので、より快適にすることができる。こうした配置はまた、代替のチューブの取付け及び経路設定、例えば、スノーケルのような側部チューブ経路設定を容易にすることができる。
【０１００】
患者が空気送達チューブの連結部を見ることができ、より簡単に操作することができる位置まで、マニフォールド７０を調節するためにチューブ４２の長さを選択することができる。
【０１０１】
一実施形態では、マニフォールド７０は、調節可能な連結部、例えば、滑り継手または平行継手を有することができ、（例えば、ヘッドギアのバックストラップに沿った）マニフォールドの２つ以上の位置を選択することができる。
【０１０２】
１．６  頭上の位置
図示の実施形態では、空気送達及び安定化システム３０は、両方の経路を閉塞することなしに患者がほぼ完全な円を通って寝返りをうつことができるように、患者の頭部の異なる部分（例えば、好ましくは、患者の顔面の両側）に位置する代替の相補的な２本の空気送達経路を含む。
【０１０３】
一実施形態では、空気送達及び安定化システム３０は、全体的に長円または環状の構成を有する（例えば、図８−１から図８−４参照）。使用の際には、システムの各チューブ４２は、図８−５に示すように、患者の頭頂部上を通る一方の端部と、患者の鼻の下を通るもう一方の端部とを有する。このようにして、空気送達及び安定化システム３０は、患者の目の外側にあり、患者の視界または視野とは干渉せず、キャップをかぶるように単純に着用することができる。代替の実施形態では、環状の構成は、例えば、リング形状をマニフォールドにおいてまたは鼻の下で分割する等、リング形状を分裂させるために分割機を組み込むことができる。
【０１０４】
空気送達及び安定化システム３０のチューブ４２はそれぞれ、患者の顔面の横に沿って患者の目と耳の間を通って、患者の視界を邪魔しない配置を提供する。すなわち、各チューブ４２は、騒音を軽減するように耳から十分に間隔をあけて配置され、目から十分に間隔をあけて配置され、従って、視野に影響を及ぼさない。一実施形態では、チューブ４２は、患者の鼻から患者の頭頂部まで直線に通る。しかし、チューブ４２は、特定の経路に限定されない。
【０１０５】
例えば、図８−６に示すように、チューブ４２はそれぞれ、第１の境界曲線Ｐ１と第２の境界曲線Ｐ２の間に画成された領域内を通ることができる。第１及び第２の境界曲線Ｐ１、Ｐ２は、一方の曲線がもう一方の曲線に対して回転した、同一の２本の曲線によって表される。それらの曲線は、両方ともその領域の端に位置するように配置される。図示のように、第１の境界曲線Ｐ１は、患者の視野にぶつかる地点で目に隣接し、第２の境界曲線Ｐ２は、患者の耳に隣接する。第２の境界曲線Ｐ２は、耳介が患者のこめかみに接する、患者の耳介の上前方に隣接する位置であると説明することができる。寸法Ｂは、頭部の高さを示す。図示のように、曲線Ｐ２は患者の頭頂部上で止まる。すなわち、その曲線が配管を示す場合は、患者の頭頂部に接して実質上ぴったりとフィットすることになる。曲線または配管が前方に回転するときに、寸法Ａは、曲線または配管がフィットする患者の頭の高さを示す。図示のように、適合範囲デルタＡＢは、同じ調節不能の配管を使用して実現可能である。
【０１０６】
一実施形態では、空気送達及び安定化システム３０は、患者の顎骨の上側に沿って通ることができ、例えば、頬を避け、患者の顔面の肉厚の領域に追従することができる。また、一実施形態では、空気送達及び安定化システム３０は、使用の際に患者のこめかみの中間地点にあってよい。しかし、空気送達及び安定化システム３０は、快適性のために敏感な領域を避ける必要がないように、十分柔軟でよい。
【０１０７】
空気送達及び安定化システム３０を患者の頭部に配置することは、従来技術のシステムが行うような特定の顔のパーツとの正確な位置合わせに決定的には依存しないことを理解されたい。すなわち、空気送達及び安定化システム３０によって、動くにもかかわらず十分なインターフェースを形成し保持することができる。
【０１０８】
１．７  システムの他の態様
１．７．１  組立て
好ましい一実施形態では、患者とのインターフェース１０は、患者とのインターフェースを患者の頭部に合わせるために調節が少ししか必要ないか、全く必要ないように構成される。従って、患者とのインターフェースは、比較的自動的に位置決めし、直感的であり、自動調節であり、簡単に合わせることができる。一実施形態では、例えば、帽子のようにスリップオンで患者とのインターフェースを片手で組み立てることができる。
【０１０９】
上述のように、空気送達及び安定化システム３０は、全体的に長円または環状の配置、例えば、全体的に切頭楕円錐または漏斗形である。先細りした面または楕円錐のリングが、患者と係合する接触面を画定するために、内側縁部と外側縁部の間に提供される。患者の頭部の寸法に応じて、先細りした接触面は、様々な位置で患者の頭部と係合する。例えば、患者の頭がより大きい場合は、患者とのインターフェースを患者の頭部のより高い位置に配置することができる。患者の頭部がより小さい場合は、患者とのインターフェースを患者の頭部のより後ろ側に向けて配置することができる。一旦装着されると、患者は、バックストラップ６０を必要に応じて調節することができる。従って、患者は、患者とのインターフェースを頭部に装着するために調節を１度必要とすることがある。こうした配置の更なる詳細は、参照により全体が本明細書に組み込まれている、２００６年７月２８日出願の米国仮出願第６０／８３３８４１号に記載されている。
【０１１０】
一実施形態では、空気送達及び安定化システム３０の長円または環状の構成は、例えば、患者のフィット感及び／または好みに応じて調節可能とすることができる。例えば、図８−７に示すように、「リング」の上部及び／または底部は、例えば、患者の頭部の寸法に応じて、リングの寸法の調節を可能にするために、調整機構５５を含むことができる。
【０１１１】
１．７．１．１  患者に装着する方法
図９−１から図９−３は、患者とのインターフェースを患者に装着するための例示的な方法を示す。図９−１に示すように、インターフェース構造２０は、最初に患者の鼻の下に配置することができる。次いで、図９−２に示すように、空気送達及び安定化システム３０を、インターフェース構造２０を中心として患者の頭部上に回転することができる。患者とのインターフェースを、空気送達及び安定化システム３０が患者の頭部と係合し、更なる動きを防止するまで、例えば、Ｘ度回転させる。最後に、図９−３に示すように、患者とのインターフェースを患者の頭部上に快適に固定するように、バックストラップ６０を必要に応じて調節することができる。
【０１１２】
代替の実施形態では、患者とのインターフェースの「段階的に嵌める」ように、患者とのインターフェースを構成することができる。こうした実施形態では、患者とのインターフェースの一部分（例えば、空気送達及び安定化システム）を患者と係合させることができ、続いて、患者とのインターフェースの他の部分（例えば、インターフェース構造）を、患者が治療を始める準備ができたときに係合させることができる。こうした構成により、インターフェース構造が係合していないときに、空気送達及び安定化システムを患者の頭部と係合させることができる。例えば、Adam’s circuit（商標）（例えば、図３０−１から図３０−４に示すもの等）の場合は、インターフェース構造を、患者の視野の外であり、且つ／または患者の顔面または鼻と係合していない「待機」位置に上または横に旋回するように適合することができる。患者が使用の準備ができる直前に（例えば、就寝前に）、「待機」位置から完全に動作可能／係合した位置までインターフェース構造を移動させることができる。一例では、チューブまたはチューブとマスクの間の接合部は、ヘッドギアを適位置に維持しながらも、マスクを顔面から離れる方に動かすように旋回可能／曲げ可能／可動式とすることができる。例えば、図３０−３は、マスクが顔面から離れる方（例えば、破線で示した位置）に動くのを可能にする、チューブとマスクの間の接合部の例示的な旋回軸１９１５を示す。
【０１１３】
１．７．１．２  寸法設定
図示の実施形態では、患者とのインターフェースは、単一の調節点を含む。調節機構は、受動的な調節（例えば、伸縮性バックストラップ）であるか、またはフリーサイズ構成を提供するために能動的な調節（例えば、野球帽の寸法合わせ）を必要とすることができる。一実施形態では、調節点を、販売の時点で患者に合わせるかまたは修正し、次いで、更なる調節、例えば、切離しを防止するために直すことができる。
【０１１４】
代替の実施形態では、患者とのインターフェースは、例えば、伸縮性が少ししかないかまたは全くない靴のような調節不能なスリップオン形状でよい。こうした構成では、患者とのインターフェースを、多くの異なる寸法、例えば、２０までの異なる寸法、５、１０、１５、または他の数の寸法（例えば、小、中、及び大）で提供することができる。このような構成を、十分な適合範囲を提供するために、封止式インターフェースの機械的コンプライアンスが高いことよって助けることができる。
【０１１５】
他の代替の実施形態では、患者とのインターフェースは、ヘッドギアの上側部分及び後方部分の片方または両方において、ヘッドギアの寸法（例えば、長さ）を調節するための方法を含むことができる。
【０１１６】
１．７．１．３  表面の特徴
いくつかの実施形態では、空気送達及び安定化システムを、外観及び／または快適性のための布のような感触または柔軟性を与えるために、テクスチャード加工、着色、発泡、及び／またはフロック加工（例えば、多くの小さい小片の紡ぎ糸またはそれに接着された綿毛）することができる。例えば、配管、剛性化要素、バックストラップ、及び／またはマニフォールドを、テクスチャード加工、着色、発泡、及び／またはフロック加工することができる。
【０１１７】
代替の実施形態では、配管、剛性化要素、バックストラップ、及び／または、マニフォールドの１つ、または複数の部分を実質上封入するように、ソックスＳを提供することができる（例えば、図１０−１から図１０−６参照）。こうした構成は、参照によりその全体が本明細書に組み込まれている、２００６年７月２８日出願の米国仮出願第６０／８３３８４１号に記載されている。
【０１１８】
他の実施形態では、様々な材料を、同じ型で共成型して、１部片の一体構造を提供することができる。例えば、配管にカバーまたはソックスを提供する代わりに、布地または生地材料を、シリコーンの配管と共成型して、外面が布地／生地で内面がシリコーンの１部片の一体のチューブを提供することができる。こうした実施形態では、布地／生地材料を、型の中に配置することができ、次いで、シリコーンを同じ型に注入して、布地／生地材料と結合させ、１部片の一体のチューブを形成することができる。
【０１１９】
他の実施形態では、患者とのインターフェースの複数の部分を、様々な材料を同じ型で共成型して、１部片の一体構造を提供することができる。例えば、布地／生地材料を、第１の材料から構築された配管、第２の材料から構築されたマニフォールド、及び第３の材料から構築されたフレームと共成型して、１部片の一体構造を提供することができる。一実施形態では、第１、第２、及び第３の材料は、デュロメーター（durometer）または堅さが異なる同じ材料、例えば、比較的柔軟なシリコーンから構築された配管並びに比較的硬いシリコーンから構築されたマニフォールド及びフレームを含むことができる。或いは、第１、第２、及び第３の材料は、異なるポリマーまたは材料を含むことができる。更に、患者とのインターフェースの各部分が、異なる特性を有する領域を含むことができ、例えば、配管の端部分は、配管の中間部分より硬くてよい。こうした実施形態では、布地／生地材料を１つの型に配置することができ、次いで、第１、第２、及び第３の材料を同じ型に注入することができ、その結果、すべての材料が結合し１部片の一体構造、例えば、布地／生地のカバーを有する一体に形成された配管、マニフォールド、フレームを形成する。
【０１２０】
他の実施形態では、配管、剛性化要素、マニフォールド、及び／またはバックストラップは、把持のためのシリコーンまたは他の伸縮性のビード加工を含むことができる。こうした構成は、ビード加工が、はげ頭を把持するように適合され、使用中に患者の頭部に対して患者とのインターフェースの滑動または移動を防止するので、はげ頭の患者にとって特に有用であるかもしれない。一実施形態では、患者とのインターフェースを、例えば、患者がはげているかどうかに応じて、ビード加工を選択的に使用することができるように、リバーシブルにすることができる。例えば、患者が好みに応じて一方または反対側を使用することができるように、布地を一方に備えることができ、ビード加工を反対側に備えることができ、例えば、ビード加工をはげ頭のために患者の頭部に向けて、布地を髪のある頭のための患者の頭部に向けることができる。
【０１２１】
１．７．１．４  製造
一実施形態では、各チューブ４２を、リジダイザを形成する、共成型した厚い部分を有する分岐したチューブとして製造することができる。
【０１２２】
他の実施形態では、各チューブ４２を、２部片に構築することができ、すなわち、上半分と、上半分に取り付けられた下半分にすることができる。例示的な一実施形態では、上半分を、テキスタイルまたは発泡体から（例えば、封止層と共に）構築することができ、下半分は、皮膚に接触する部分と共にリジダイザを構成することができる。
【０１２３】
１．７．２  あまり目障りにならないこと
患者とのインターフェースは、ユーザにとっての見た目のインパクトを低減するか、または目につきにくくするように、異なる色（色の対比）、柄、及び／または表面のテクスチャー加工を有する１つまたは複数の領域を組み込むことができる。このような着色、柄付け、及び／または表面テクスチャー加工を、配管、剛性化要素、マニフォールド、バックストラップ、及び／またはインターフェース構造に組み込むことができる。或いは、着色、柄付け、及び／または表面のテクスチャー加工を有するソックスを、患者とのインターフェースに提供することができる。
【０１２４】
例えば、図１０−１〜図１０−６は、２色、例えば、暗色Ｄ及び明色Ｌのスキームを有するカバーまたはソックスＳを含む患者とのインターフェースを示す。こうした患者とのインターフェースは、参照により全体が本明細書に組み込まれている２００６年７月２８日出願の米国仮出願第６０／８３３８４１号に記載されている。図示のように、暗色Ｄは、視野に隣接して配置される。こうした配置は、患者及び他の人にとって視覚的に目立ちにくい、インパクトが小さく、目立たず、滑らかな見た目を提供する。
【０１２５】
具体的には、明るい色は、暗色より目につきやすく、例えば、明るい色は患者の目に光を反射するので、より簡単に患者の目に留まり、視野の中で避けるべきである。従って、できるだけ目障りにならないか、または目立たないようにするために、暗色Ｄが視野に隣接して配置される。一実施形態では、患者には患者とのインターフェースが、患者の視野の外側の境界において見えるだけであり、例えば、患者とのインターフェースの患者の目の高さより下に位置する部分のみ見ることができる。更に、暗色Ｄは、視野の端では消えると思われ、その結果、患者にはあまり目障りにならない。
【０１２６】
また、２色のテキスタイルカバーＳは、患者の顔面上にある患者とのインターフェースの寸法の認識を低下させることができる。すなわち、こうした構成は、関連する領域をより小さく、より薄く、またはよりかさばらないような見た目にするカバーに、より明るい色、例えば、白を組み込むことができるという機能上の利点を有する。従って、患者とのインターフェースは、見た目のインパクトはより小さくなる（例えば、外観があまり目障りでない）。更に、患者とのインターフェースは、衣服のようによりファッショナブルにすることができる。代替の実施形態では、１つまたは複数の明色の線、例えば、白い線を、カバーに組み込むことができる。また、一実施形態では、インターフェース構造の境界面は、目障りでなくなるように、より暗い色を含むことができる。
【０１２７】
様々な色、柄、及び／または表面テクスチャー加工を様々なユーザのために選択することができることを理解されたい。一実施形態では、カバーは、透明でもよく、患者の肌と調和するように、例えば、肌の色に似た（camouflaged）色または肌の色を選択してもよい。例えば、患者の肌の色が比較的暗い場合は、カバーは、患者の肌と調和するように、黒またはこげ茶色とすることができる。代替の実施形態では、カバーの色及び／または生地を、患者の髪に合うように選択することができる。
【０１２８】
１．７．３  バルブ
一実施形態では、図１１−１に示すように、バルブＶ、例えば、両方のチューブ４２が閉塞したときに開くように適合された機械式のゲートを、患者とのインターフェースに提供することができる。例えば、バルブＶは、内部圧力Ｐｉｎｔが２ｃｍＨ２Ｏより大きい場合には閉じたままにすることができ、内部圧力Ｐｉｎｔが２ｃｍＨ２Ｏより小さい場合には開くことができ、それにより、両方のチューブ４２が閉塞した場合に患者が呼吸することが可能になる。
【０１２９】
１．７．４  ブロワへの連結
一実施形態では、患者とのインターフェース１０を、１対の空気送達チューブ、すなわち、１５ｍｍのチューブ及び２２ｍｍのチューブによってブロワに連結することができる。図１−２に示すように、１５ｍｍチューブＴ１は、マニフォールド７０を２２ｍｍチューブＴ２に連結し、２２ｍｍチューブＴ２は、１５ｍｍチューブＴ１をブロワに連結する。１５ｍｍ及び２２ｍｍチューブＴ１、Ｔ２を速く解放することを可能にし、従って、患者とのインターフェース１０をブロワから速く解放することが可能になるように、クイックリリースコネクタ９０が、１５ｍｍチューブＴ１と２２ｍｍチューブＴ２の間の移行部に提供される。代替の実施形態では、患者の頭頂部に隣接して配置されたマニフォールド７０にクイックリリースコネクタを提供することができる。クイックリリースコネクタは、配管の組立て／分解を容易にするために、例えば、機械式の相互連結、摩擦嵌め、ねじ式の機構等、適切な構造を有することができる。様々な連結点により、患者とのインターフェースシステムの組立て／分解を容易にし、その結果、クリーニング、調整等が容易になる。
【０１３０】
１５ｍｍチューブＴ１は、患者がクイックリリースコネクタ９０、例えば、患者の視野にあるクイックリリースコネクタ９０に簡単にアクセスすることが可能になるように、適切な長さを有する。また、１５ｍｍチューブＴ１は、クイックリリースコネクタ９０を患者とのインターフェースから十分に離して配置し、そのため、クイックリリースコネクタの重さを、ベッドのマットレスまたは他の支持システムによって支持することがでるように適切な長さを有する。
【０１３１】
チューブ４２の一方が開通していても両方が開通していても治療が大幅に変化しないように、システム中の抵抗をできるだけ小さくする。従って、システムは、液圧の制限またはボトルネックが患者とのインターフェースの上流に提供されるように設計され、それには、チューブ４２の一方だけが開通しており、すなわち、液圧のボトルネックが、マニフォールド７０中またはマニフォールド７０の上流のどこか（例えば、１５ｍｍチューブ中及び／または２２ｍｍチューブ中）に提供される場合も含まれる。
【０１３２】
抵抗は、少なくともある程度はチューブの長さに基づく。図示の実施形態では、配管は、チューブ４２が、１５ｍｍチューブ及び２２ｍｍチューブ、例えば、少なくとも長さ４０〜５０ｃｍの１５ｍｍチューブ及び２２ｍｍチューブそれぞれより短くなるように設計される。一実施形態では、２２ｍｍインレットチューブの長さが約２ｍで、１５ｍｍインレットチューブの長さが約７０〜７５ｃｍでよく、ボトルネックは、その長さのため、２２ｍｍインレットチューブにある。しかし、他の適切な長さが可能である。
【０１３３】
一実施形態では、マニフォールドにつながる空気送達配管は、インレットチューブ４２と同様の見た目及び感触を有することができる。空気送達配管は、滑らかで雑音のない外側部分、例えば、感触が柔軟な遮音性を提供する材料から構築された外側部分を有することができる。空気送達配管は、ＰＡＰ装置またはブロワから患者とのインターフェースのマニフォールドまでの形状の連続性を提供することができる。
【０１３４】
１．７．５．１  チューブを引きずらないためのクリップ
ベッドのヘッドボードまたは他の支持システムに取り付けるように適合された、空気送達チューブＴ１、Ｔ２及び／またはクイックリリースコネクタ９０に、クリップまたはクランプを提供することができる。クリップまたはクランプは、ベッドのヘッドボードまたは他の支持システム上で空気送達チューブ及び／またはクイックリリースコネクタを支持して、患者とのインターフェースがチューブを引きずらないようにする。一実施形態では、クリップまたはクランプは、磁力による取付けを可能にするように、磁性のものでよい。
【０１３５】
例えば、図１２−１は、ヘッドボードに磁力で取り付けられたクイックリリースコネクタ９０を示し、図１２−２は、チューブＴ１をヘッドボードに取り付けるように適合されたクリップ９２を示し、図１２−３は、患者とのインターフェースにクリップ留めされたチューブＴ１を示す。
【０１３６】
１．７．５．２  ＣＰＡＰ治療をオン／オフにするためのスイッチ
ＣＰＡＰ治療を提供するブロワをオン及び／またはオフにするように適合された、患者とのインターフェースの適切な部分に沿ってスイッチを提供することができる。例えば、空気送達チューブまたはクイックリリースコネクタ上に、スイッチを提供することができる。一実施形態では、スイッチは、ブロワと無線で連絡することができる。
【０１３７】
１．７．６  膨張可能なヘッドギア
代替の実施形態では、患者の顔面から空気送達チューブを絶縁するために、比較的剛性のある空気送達チューブの周りに膨張可能なチューブを提供することができる。
【０１３８】
１．７．７  可動式チューブ
代替の実施形態では、患者の頭部が方向を変えたときにその経路から外に動くように適合されたチューブを提供することができる。
【０１３９】
２．インターフェース構造
２．１  背景及び概要
既知の患者とのインターフェースは、典型的には、患者の鼻及び／または口の周り及び／または中で封止するように適合されたシリコーン封止を含む。封止の仕組みは、（１）フラップタイプの封止、（２）バルク圧縮またはガスケットタイプの封止、或いは（３）（１）と（２）の組合せに分類することができる。フラップタイプの封止は、信頼性の高い封止式インターフェースを実現するために、可撓性の膜の機構を利用することができる。フラップのたわみによって働くフラップタイプの封止と比較すると、バルク材封止は、物質の圧縮によって働く。本発明の好ましいインターフェース構造は、バルク圧縮タイプの封止の形態の発泡体を利用するが、発泡体は他の形態をとることができる。
【０１４０】
本発明の一態様は、発泡体から作られた鼻下とのインターフェース８０の形態のインターフェース構造２０に関し（例えば、図１−６、図１−８、図１−１０、図１３−１、図１３−２参照）、その鼻下とのインターフェース８０は、使用中に患者の鼻の下側との効果的で快適性の優れた係合をもたらす。いくつかの実施形態では、鼻下とのインターフェースは、カップ状の受け部分、プロング、または枕の形態でよい。上述の空気送達及び安定化システム３０のそれぞれのチューブ４２と連通するように適合された、支持体及び／或いはフレームまたはシェルによって、発泡体インターフェース８０を支持することができる。
【０１４１】
例えば、図１−６、図１−８、及び図１−１０に示すように、例えば、シリコーンから形成された比較的堅いシェルまたはフレーム２２に、発泡体インターフェース８０を提供することができ、シェルまたはフレーム２２は、例えば、摩擦嵌めによってチューブ４２の各端部と係合するように適合されたチューブ部分２５を含む。
【０１４２】
他の実施形態では、図１３−１から図１３−２に示すように、例えば、シリコーンから構築された円筒形の支持体またはベース８２に発泡体インターフェース８０を提供することができ、その円筒形の支持体８２は、チューブ４２の各端部に係合するように適合された比較的剛性のフレーム（図示せず）に取り付けられるように適合される。円筒形の支持体８２は、参照によりその全体が本明細書に組み込まれている特許文献４に記載された、ノズルアセンブリの（ノズルを取り外した）ベース部分とほぼ同様の構造を有することができる。円筒形の支持体８２の可撓性により、インターフェースのコンプライアンスが向上する。円筒形の支持体８２は、フレームのチャネルに連結するために分割したベースを有することができる。一実施形態では、インターフェースのコンプライアンス及び／または調節を更に向上させるために、インターフェース、円筒形の支持体、及び／またはフレームを、回転するように適合することができる。一実施形態では、摩擦、間欠送り、及びロック機構の使用によって回転式の調節及び配置を維持することができる。
【０１４３】
図示の実施形態では、発泡体インターフェース８０は、非常に柔軟性のある発泡体から構築することができ、その発泡体は、患者の鼻を優しく支えるのに十分コンプライアンスがあり、目立たない快適な鼻とのインターフェース、例えば、鼻下との発泡体インターフェースを提供する。鼻下との発泡体インターフェースは、患者の鼻の中の内側におけるシリコーンプロングの侵入性及び潜在的な不快さなしに、鼻プロングを視覚的に見えなくし目立たなくする。
【０１４４】
鼻プロングインターフェースの普及に関して現れた１つの問題は、具体的には、吸い込み及び圧力がより高い際、空気がより速く鼻の中を通るときに、鼻の中を勢いよく通る空気から、冷たく、摩擦のあるまたは焼けるような感覚を鼻の内側で感じることがある場合に、認識可能なほど呼吸の快適性が低下することである。こうした感覚は、「噴流の影響（jetting effect）」と呼ばれている。その噴流の影響は、空気が細いプロングのオリフィスを通るチャネルを通るようにして鼻に入り、敏感な鼻の粘膜に衝突することが原因の一部であると考えられる。空気の温度及び湿度が原因のこともある。従って、鼻下との発泡体インターフェースの他の利点は、鼻プロングが発生させると知られている、噴流の影響をなくすかまたは最低限に抑えることである。これは、空気が鼻孔の内側の狭いオリフィスを強制的に通されず、両方の鼻孔の開口部を覆う、より大きいオリフィスを通るからである。発泡体インターフェースの出口の全体または大部分が鼻の外側に残ることにより、小さいオリフィスによる抵抗（impedance）を鼻孔の開口部に匹敵するかまたそれより低くすることが可能になり、その結果、流れが鼻の内側に限定されず鼻の中に噴流を形成しなくなる。発泡体は、流れが鼻に入るときにその境界において拡散効果も有する。その発泡体のでこぼこの表面は、鼻孔に入る流れの境界層に乱流を加えることができ、従って、鼻の内側の敏感な解剖学的構造に集中した力を加えないように鼻腔を通す。その拡散効果はまた、鼻孔とインターフェースの位置合わせが、噴流の影響の生成に関してあまり重要ではなくなるようにすることができる。わずかに空気を通すことができる発泡体は、湿度及び温度が原因の噴流の影響の様相を最小限に抑えるという利点も有する。鼻を出入りする冷気及び温度の変化する空気は、既知のインターフェースでは鼻の内側のひりひりする感覚を引き起こす虞がある。息を吐く際には、発泡体に暖かい呼気を吹き込むことができ、続いて息を吸う際には、この少量の暖かい空気は、再度入り且つ／または鼻に入る空気流を加熱することができ、従って、噴流の影響が低減する。噴流の影響に関するこの発泡体の他の利点は、やはり発泡体の透過性による、水分（例えば、湿り空気）を保持する能力である。蓄えられていた水分が、吸い込むときに、吸気の湿度に加わり、噴流の影響を低減することができる。
【０１４５】
他の実施形態では、鼻下とのインターフェースは、単一のオリフィスを２つに分割する中心部分を有することができる。この実施形態では、その結果生じた２つのオリフィスは、鼻孔に匹敵する寸法でも、鼻孔より小さくても大きくてもよい。
【０１４６】
上述の実施形態（単一のオリフィス及び２つのオリフィス）の両方において、鼻孔とオリフィスとの位置合わせを、鼻プロングの設計に比べて緩和することができる。これは、鼻孔の内側に構成物（feature）を積極的に挿入しない結果である。インターフェースは、インターフェース及び／または封止を損傷することなしに皮膚の表面に沿って大きく動くことができる。発泡体の硬度が非常に低い（例えば、具体的には非常に柔軟な粘弾性のグレードである）結果、発泡体は、それが界接している解剖学的構造の形状をとるので、鼻孔の内側に少し侵入することがある。
【０１４７】
好ましい実施形態では、インターフェースを、非常に柔軟性のある、粘弾性発泡ポリウレタンのグレードから作ることができる。発泡体の粘弾性の性質を定量化する一方法は、発泡体に圧力をかけた後で、発泡体の変形速度または回復速度を測定することである。一実施形態では、回復速度は、マスクを装着したままでインターフェースがユーザの顔面と快適に封止係合した状態になるように設計される。粘弾性の性質は、マスクを装着したまま動く間に快適性及び封止を維持するための特定の利益を有する。他の実施形態では、粘弾性の範囲は、非常に遅い回復速度を有する発泡体から非常に速い回復速度まで及んでよい。
【０１４８】
本発明の好ましい実施形態によるインターフェース構造の他の態様は、既知のインターフェース構造と比べると、比較的復元速度が遅いことである。シリコーンまたは他の剛性のエラストマークッションは、５から１０ｃｍ／秒以上程度の比較的速い復元速度を有する。本発明の一実施形態では、インターフェース構造は、約５ｃｍ／秒より遅い復元速度を有する。好ましい一実施形態では、復元速度は約１ｃｍ／秒である。
【０１４９】
底部の剛性の平板と上部の剛性の軽量の平板との間にバルク材のサンプルを挟むことによって、復元速度を測定することができる。バルク材を圧縮することによって、上板を所定の距離だけ下方向に移動し、次いで解放する。バルク材が上板を元の位置まで上げるのにかかった時間を測定する。元の位置まで戻すのにかかる時間は板の重さに応じて変わるので、測定は相対的でしかない。復元速度は、発泡体の厚さを戻す時間で割ったものに等しい。比較的速い復元速度は１秒以下で起こる。
【０１５０】
発泡体の好ましいタイプは、上述の復元速度試験を利用して測定され、上板の重さを無視することができるように、（剛性の発泡体の）非常に軽量の上板が使用された。２枚の板にはさまれた発泡体のブロックは、厚さ５ｃｍであり、それを挟んで厚さ約１ｃｍになるまで手で下に押した。戻すのに３．５秒かかった。これは、約１ｃｍ／秒の復元速度に相当する。比較すると、典型的な従来技術のシリコーン膜は、２分の１秒未満で戻った。
【０１５１】
関連する材料の特性はヒステリシスである。図１４−１を参照すると、本発明の好ましい実施形態の他の態様は、２５から３５％のヒステリシスを呈する材料である。
【０１５２】
鼻下とのインターフェースを、セル状ポリマー構造を形成する他の材料、例えば、ポリエチレン、ポリプロピレン、シリコーン、ラテックスゴムから構築することができることを理解されたい。
【０１５３】
鼻下とのインターフェースを、他の適切な材料のタイプ及び構成、例えば、テキスタイルで被覆した発泡体、テキスタイル、テキスタイル層、シリコーン（例えば、膜及びアンダークッションを有する２重壁面のシリコーンの鼻下とのインターフェース）、シリコーン発泡体から構築することができることも理解されたい。
【０１５４】
他の実施形態では、発泡体インターフェースは、ＨＣＨ（吸湿凝縮加湿器、Hygroscopic Condenser Humidifier）またはＨＭＥ（熱湿度交換器、Heat and Moisture Exchanger）として働く発泡体を特徴とする。これにより、ユーザの気道から捕捉しそこへ戻す熱及び水分が、噴流の影響に関して上述した呼吸の快適性を向上させることが可能になる。
【０１５５】
発泡体の多孔性の水分吸収及び水分保持の特性により、インターフェースの装着前または装着中に、インターフェースに香りを付けた、蒸気状の液体を加えることができる。このような香りは、本質的に治療効果があってもなくてもよい。香りを付けた液体の蒸発速度を調節するために、発泡体の機械的な特性（例えば、孔の寸法、表面張力）を改変することができる。同様に、発泡体の乾燥効率を調整することができる。
【０１５６】
２．２  バルク材の特性
図示の実施形態では、発泡体インターフェース８０は、非常に柔軟で、可撓性のある、粘弾性の発泡体（例えば、改造したスラブ材）であり、その発泡体は、図１４−１で定義した特性を有する、患者の皮膚に対して柔軟で快適な感触と、患者の顔面の柔軟で肉厚の解剖学的構造に似た硬度または堅さとを有する。患者とのインターフェース設計によって、十分な安定性及び封止反力がもたらされる場合、硬度は、理想的には顔面の肉厚の解剖学的構造より柔軟になる。インターフェースの硬度が、それが界接している解剖学的構造より柔軟であることは、顔面にかかる最小の圧力がユーザの気道に対するインターフェースの強化または圧力の上昇を実現可能にすることによって、快適性を最大にする（すなわち、低硬度及び高粘弾性により、接触圧力を抑え、患者の顔面の形状に対する適合性を最大にすることが可能になる（形状形成能力））。インターフェースの動力学を改善することもでき、それにより、このインターフェースが顔面を変形させるインターフェースより更に顔面の解剖学的構造の周りに適合し、例えば、インターフェースが、患者の顔面の比較的小さい顔の構成物（例えば、ゴルフボールのへこみの寸法の顔の皺及び構成物、起伏等）を収容することができる。
【０１５７】
発泡体インターフェースは、ヘッドギアからのより低いストラップの張力が封止力を生成することを可能にする固定用封止と、インターフェースが、患者がベッドの上で寝返りをうつことによる大きい動きに耐え、インターフェースを維持することを可能にする運動用封止とを提供する。このようなインターフェースの特性を以下により詳細に説明する。
【０１５８】
汗ばんだ、プラスチックの感触を有することがある従来のシリコーンインターフェースと比べて、粘弾性の発泡体は、患者の皮膚に対して更に自然な感触を有する。発泡体は、水分を含有することができ、例えば、使用または洗浄後に、わずかに湿っているかまたは湿潤であり、そのため、使用中に空気が発泡体の中を通るときに、冷却効果または爽快な感覚をもたらすことができる。
【０１５９】
好ましい一実施形態では、発泡体インターフェース８０は、低硬度であり、低密度から高密度であり、柔軟性があり、香りが薄く、通気性が低く、弾性が低く、微細な異質のセル構造及び粘弾性の挙動を有する、低イソシアネートインデックスのポリエーテル発泡ポリウレタンでよい。発泡体はまた、パントンの基準に対する色及び耐変色性を特徴とする。更に、発泡体は、患者の皮膚から水分または汗を吸い上げるために、吸水機能をもたらすことができる。一実施形態では、発泡体インターフェースの特性は、その厚さに沿って変わってよく、例えば、発泡体の密度、間隙率、または硬度は、異なる層において変わってよく、且つ／または発泡体インターフェースの特性は、その外周に沿って変わってよく、例えば、呼吸可能性は、インターフェースの外周の異なる領域において変わってよい。粘弾性は、発泡体インターフェースの圧縮から回復する範囲である。
【０１６０】
例えば、図１３−３から図１３−４は、異質のセル構造が混在した発泡体を示し、図１３−７ａ及び図１３−７ｂは、異質のセル構造が層になった発泡体を示す。図１３−７ａ及び図１３−７ｂはまた、異なる層において発泡体の特性がどのように変わるかを示す。図１３−７ａ及び図１３−７ｂに示すように、発泡体は、３つの層、すなわち、セルの寸法が小、中、大である層を含むことができる。図１３−７ａでは、セルの小さい層は、表面の近くにあり、セルの層は、内部に向かうにつれて徐々に大きくなり、図１３−７ｂでは、セルが大きい層は、表面の近くにあり、セルの層は、内部に向かうにつれて徐々に小さくなる。しかし、それらの層は、適切な配置を有することができ、例えば、中くらいの層が表面の近くにあり、小さい層及び大きい層が、内部の近くにあってよい。こうしたセル構造の配置は、製造方法の選択によって実現することができる。
【０１６１】
図１３−７ｃは、例えば、より堅い発泡体、プラスチック、または金属の積層体から構築された補強要素Ｒをその内部に含む発泡体を示す。補強要素Ｒは、使用時に発泡体に剛性を加えるように構成される。補強要素の各側面上の発泡体部分は、（図１３−７ｃに示すような）均質の構造及び／または（層状または混在した）異質の構造を含むことができる。好ましい実施形態では、補強要素Ｒは、発泡体インターフェースの一方の面、例えば、底部／顔面に接しない面に位置することができる。このようにして、補強は、２つの機能、すなわち、補強とマスクに取り付けるための方法（例えば、機械的締まり嵌め、ベルクロ（登録商標）、感圧性接着剤）の両方を提供することができる。
【０１６２】
図１４−１は、本発明の実施形態による発泡体インターフェースの機械的特性の表を示す。
【０１６３】
本発明の好ましい実施形態の一態様は、封止構造の低硬度の発泡体（または他の柔軟な材料）である。硬度は、押込み硬さと圧縮硬さの両方で定義することができる。好ましい押込み硬さは、４０％で２５から８０Ｎであり、好ましい圧縮硬さは、０．４から１．５ｋＰａである。
【０１６４】
本発明の実施形態による発泡体インターフェースは、１つまたは複数の以下の特徴をある程度含むこともできる。
【０１６５】
セル状発泡体タイプ−可撓性のポリウレタン；
【０１６６】
ポリウレタンのタイプ−ポリエーテル系；
【０１６７】
セル構造−発泡体の（「手触り」としても知られる）感触及び見た目を制御するために、セル構造を制御することが望ましい。セル構造を、セル寸法のより異質またはより均質の分布を有するように制御することができ、これにより、様々な様式で発泡体の感触及び見た目に影響を与えることができる。発泡体を、連続気泡及び独立気泡の含有を様々な程度に含むセル構造を有するように製造することができ、これは、発泡体の特性のいくつかの様相、例えば、空気及び水分の透過度に影響を与えることがある。
【０１６８】
封止−独立気泡の含有量が多い発泡体は、皮膚に対して圧力をかける際に、インターフェースの内側に陽圧の封止を生み出すことができるように、十分に低い透過性を有することができる。一実施形態では、発泡体は、連続気泡より独立気泡をずっと多く含み、例えば、独立気泡が９０％、連続気泡が１０％にすることができる。従って、発泡体が封止に与える圧縮力は、発泡体の機械的な堅さの関数であり、発泡体のセル構造の内側に圧縮空気を有することによって加えられる圧縮堅さ（例えば、空気ばね／空気圧堅さ）の関数でもある。このようにして、少量のゆっくりとした空気の流れが、発泡体構造の表面に沿って、その本体の中を通って漏れるのを可能にしながらも封止機能が提供される。いくつかの実施形態では、発泡体は、皮膚に接する切断された連続気泡構造を有するが、他の実施形態は、透過性の外皮を有する発泡体を含むことができる。他の実施形態は、インターフェースの、皮膚と接触する面にのみ、被覆（透過性の外皮と不浸透性の外皮の両方）した発泡体を有することができ、皮膚が接触する面に沿ってではなく、発泡体構造の本体中を通した流れが残る。
【０１６９】
通気性−通気性の範囲を制御した発泡体を生産することができる。典型的には、封止の用途では、発泡体は、空気または水分が発泡体の中を通ることを防止するために可能である、最大の独立気泡含有量を有するように生産されることになる。一実施形態では、比較的少ない量の通気性が可能になることが望ましい場合がある。これは、着用時にインターフェースの快適性と封止機能の両方に関するいくつかの明確な利点を有し、例えば、発泡体中を通る少量の拡散流を可能にすることにより、皮膚のインターフェースと接している部分に呼吸する能力を与え、過度の水分を使用中にインターフェースから除去することが可能になる。
【０１７０】
通気性の永続性−所与の仕様に合わせるために、マスクシステムのすべての要素を通る流れが必要とされることがあるので、構成要素の使用寿命を通して所望のレベルの通気性を維持することが望ましい。通気性の変化は、周期的な機械的圧縮荷重と共に起きることがあり、従って、発泡体構造の透過性に関する永続性を改善するために行われる測定は利点である。好ましい実施形態では、ＭＤＩ（メチレンビスジイソシアネート（Methylene-Bis-Di-Isocyanate））タイプのイソシアネートを使用するポリウレタン配合物を、発泡体に永続性のある独立気泡含有を与えるように選択することができる。
【０１７１】
臭い／揮発性−発泡体は人の鼻に密接して使用されることが意図されているので、臭いを最小限に抑制または選択的に改変するために行うことができる測定は、利点である。好ましい一実施形態では、ＭＤＩ（メチレンビスジイソシアネート）タイプのイソシアネートを使用するポリウレタン配合物が、臭いを最小限に抑えるには好ましい選択である。
【０１７２】
粒子状物質−発泡体構成要素が、使用中に吸い込まれる虞がある微細粒子を生成しないように、発泡体の化学的性質及び加工が選択される。
【０１７３】
感触／手触り−絹のような柔軟な感触を有する発泡体を生産することには外観上の利点がある。好ましい実施形態では、発泡体は、発泡体の平滑な感触を最大にするために、微細セルの異質のセル構造を有するように生産することができ、皮膚の擦り傷及び刺激の可能性を最小限に抑える助けをすることもできる。外観の魅力を助けることができる発泡体の機械的特性の他の態様は、高いレベルの粘弾性を有するように発泡体を生産することができることであり、これは、発泡体に興味深い相互作用特性を与える。
【０１７４】
耐久性−発泡体の化学的性質を、構成要素の必要な保存寿命及び使用寿命のための所望の機械的特性を維持するように選択することができる（例えば、発泡体の構造を、一度きりの使用から長期にわたる使用まで所定の耐用期間を有するように操作することができる）。これは、適切な交換頻度で新しくすることが可能な製品をユーザに提供するという利点を与え、それにより、発泡体の構成要素を、毎日、毎週、毎月または他の基準で交換することができる。次いで、所定の倍数で包装された構成要素をユーザに、例えば、３カ月おき、６カ月おき、または１２カ月おき或いは他の適切な基準で供給することができる。
【０１７５】
熱安定性−発泡体を、保管及び輸送の温熱条件に耐えるように設計することができる。消毒及び殺菌処理の温度に耐えることができるように設計することもできる（例えば、オートクレービング温度及び場合によっては１８０℃までの温度）。
【０１７６】
紫外線安定性／耐光性−発泡体材料は、露光によって簡単に破損しない。
【０１７７】
耐膨潤性−発泡体の構成要素を、水または他の液体で飽和したときに所与の耐膨潤性を有するように設計することができる。飽和状態での発泡体の所望の特徴に応じて、形状の変化を最小限に抑えるかまたは最大限にするように設計することもできる（例えば、清掃のために発泡体の細孔を開くために膨潤が望ましいこともあり、飽和状態での機能上の形状を保存するために膨潤が望ましくないこともある）。
【０１７８】
乾燥可能であること−発泡体構成要素を、特定の時間的な制約及び環境条件の下で乾燥するように設計することができる。例えば、構成要素は、使用または洗浄手順後に湿っていることがあり、そのため、更なる使用の前にできるだけ速く構成要素が乾くことが望ましいことがある。例えば、特定の使用状況（暑い状況で皮膚に対する冷たい感触）の下では、インターフェース中の水分が望まれることがあり、そのため、構成要素がより長い期間水分を保持することが有利になることがある。例えば、ＣＰＡＰ療法中に圧力のかかった状況下で材料を通る空気によって使用中に乾燥（自動乾燥）するように、構成要素を設計することができる。
【０１７９】
加水分解安定性−発泡体に所望のレベルの加水分解安定性を与えるように、発泡ポリウレタンの配合を選択することができる。ポリエステルポリオールを超えるポリエーテルポリオールの選択は、発泡体の耐加水分解（水分の存在で機械的に破損する）性を改善することができる。
【０１８０】
色−発泡体の構成要素を、定義されたパントンの基準（例えばＰＣ２８７）に着色することができる。
【０１８１】
耐変色性−発泡体の使用に関する重要な課題は、自然の経年変化と使用中の環境要因の両方による変色である。これは、自然色及び明色の発泡体に関して特に問題である。変色に逆らう一方法は、意図的に経年変化及び使用によりあまり明確に変化しない色で発泡体を着色することである（例えば、より暗い色及びより濃い色はあまり変色しない可能性がある）。言い換えると、発泡体の着色は、使用寿命中に、認識されている構成要素の有用性及び清潔さを保つ際に機能上の特性を有する。発生するかもしれない他の問題点は、発泡体構造に除去可能に含まれる染料または顔料の流出である。好ましい実施形態では、着色料が発泡体の化学構造に反応して、ポリウレタンの化学的背景の一部になるように、反応しやすい着色剤が組み込まれる（例えば、Milliken Chemical社のReactint（商標）着色剤）。これは、製品が最初の使用の際には良く見え、使用の継続中には見苦しくないままであるように変色に抵抗するために意図される用途において発泡体に重要な利点を与える。
【０１８２】
スラブ材の包装−スラブ材発泡体は、輸送及び保管のためにプラスチックで包装及び密封することができる。
【０１８３】
構成要素の包装及び配布方法−発泡体インターフェースの構成要素を、所定の使用寿命を有するように設計することができる。その場合、構成要素は、当業界で現在知られているより頻繁に取り替える必要があるかもしれない。取替えを便利にするために、構成要素を、１つの包装（例えば、箱または容器）に複数の構成要素を含むように包装することができる。例えば、１つの箱または容器の構成要素は、５０個の構成要素、１００個の構成要素を含むことができ、月単位の供給の構成要素、年単位の供給の構成要素、または他の適切な基準を含むことができる。構成要素を、連続した穴あきストリップの一部として個別に包装及び製造し、１つの包装で提供することができる（例えば、２つの側面がその外周に沿って密封されたコンドームの包みに似た１つの包装中に１つの発泡体インターフェース）。構成要素を、グループ分けしたまたは単独の構成要素のセルに入れることができる。一実施形態では、構成要素を真空包装することによって重要な利点が得られる。こうした形態の包装は、環境要因（例えば、酸素、湿度）からの経年変化に対する保護、並びにカスタマイズした微小環境（例えば、経年変化を防止するための不活性ガス、治療目的及び治療ではない目的のための香りを付けたガス、色、風味）にある構成要素を供給する能力をもたらす。真空パックは、輸送効率及び運搬の都合のために製品の物理的な体積を減少させる重大な利点をもたらす。発泡体を、数週間または数カ月の延長した期間の間圧縮することができ、包装をあけたときになお圧縮していない形状に戻すことができる。図１４−３は、発泡体インターフェースを収容している個別の包装Ｐを送り出すように適合された、回転可能なディスペンサまたはリールＤ、例えば、ミシン目で切り離すことができるように、ミシン目によって区切られたこの方向の連続した流れの概略図である。しかし、構成要素を、他の適切な、折れやすいまたは壊すことができる連結によって区切ることができる。
【０１８４】
機械加工性−発泡体は、複雑な３次元形状に機械加工することができるように、十分に稠密且つ硬くすることができる。
【０１８５】
生体適合性−生物学的な安全性（生体適合性）は、発泡体の主な意図される用途では最も重要である。従って、有害な揮発性物質を放出してはならず、或いは人体に有害であるかまたは刺激のある相互作用を有してはならない。発泡体の化学的性質及び加工は、ＩＳＯ１０９９３生体適合性基準に従った発泡体を生産するように選択される。
【０１８６】
微生物の繁殖−発泡体の構造は、特に暖かく湿度があると、鼻の近くで、微生物（例えば、細菌類、菌類）の可能性のある繁殖を有する環境がもたらされることがある。菌類及び細菌類の繁殖を抑えることができる手段が、清潔さを守り且つ／または構成要素の使用寿命を延ばすために望ましいことがある。典型的には、これは、最低限にしか吸収性がなくユーザと密着する構成要素のために簡単に洗浄可能である、無孔材料または被覆した多孔質材料を使用することによって実現することができる。しかし、（この開示で概略を述べたように）顔面に対して露出した切断または連続気泡構造（例えば、切断した発泡体）の使用において、使用時の快適性及び封止性能の重要な利点があるので、構成要素の清潔さ及び耐用期間に対処するために他の方法を求めなければならない。いくつかの実施形態では、発泡体インターフェースの構成要素は、適切な頻度（例えば、毎日、毎週、毎月または他の適切な体制）で取り替えられるように構成される。適切な洗浄及びメンテナンス体制を構成要素のために推奨することもできる（例えば、洗浄、乾燥、洗浄液（例えば、イソプロピルアルコール）、蒸気処理、マイクロ波による殺菌）。微生物の繁殖を抑制する他の方法は、発泡体の化学的性質に抗菌剤または殺菌剤（例えば、発泡ポリウレタンに対して殺菌性のあるAEGISブランド）を含むことである。
【０１８７】
再利用可能／生分解性−発泡体インターフェースは頻繁に取り替えられる構成要素なので、発泡体のグレードを、環境への影響を最小にするために、選択した期限内に分解可能になるように選択することができる。これは、ごみ処理場で分解するための物質の半減期として説明することができる。一実施形態では、発泡体は、当業界で知られた物質（例えば、シリコーン、被覆した多孔質の構造、ゲル）よりずっと短い期限内に分解するように設計される。これは、埋め立てごみ及び発泡体の分解を助ける微生物の侵入を可能にするように、発泡体の化学的性質及び発泡体の多孔質の構造を強化することによって実現することができる。環境への影響を最小にする発泡体の他の重要な利点は、その物質が当業界で知られた典型的な物質よりずっと柔軟でありずっと密度が低いことであり、これは、その物質を簡単に圧縮することができ、埋立地のずっと小さい空間しか取らないことを意味する。
【０１８８】
上述のように、発泡体インターフェースの構成要素は、別々に及び／または箱入りのセットまたはカートンで利用可能である。こうした構成は、広範囲の流通経路を可能にし、例えば、在宅医療の取扱業者、薬剤師、インターネット等を介して市販される。
【０１８９】
一実施形態では、インターフェース構成要素が、磨耗するかまたは取替えが必要なときに、患者が必要なときに箱を注文することもでき、取替え用の箱（例えば、常用のインターフェース構成要素を含む）を患者に定期的に送ることもでき、例えば、患者は、１年間毎月配達してもらうために手続きをする。
【０１９０】
こうした構成は、在宅医療の取扱業者のために繰り返しの業務を提供する。また、この構成は、組立てステップ（すなわち、インターフェース構成要素のフレームへの取付け）が患者に移されるので、組立てラインの効率を高める。この構成を、製造を現地で行うようにすることによって、輸送を縮小するように適合することができる。更に、この構成は、滅菌する必要がなく、単に使い捨てのインターフェース構成要素を使用するだけなので、睡眠研究室にも有利な点をもたらすことができる。
【０１９１】
一実施形態では、構成要素の包装は、取替えまたは再発注の要件を反映することができる。例えば、箱の中の最後の製品を、「備えの最後」であることを示すために、異なるように包装することができる。他の例では、包装は、異なる日、週、月等を示すために異なる色を含むことができる。
【０１９２】
上述のように、発泡体の構造は、一定の使用寿命または耐用期間を有することができる。本発明の実施形態によれば、発泡体の構造は、使用寿命に近づいていることを示すために使用寿命の終わりの表示を含むことができる。
【０１９３】
例えば、その使用寿命の終わりの表示は、ｐＨベースの変色（微生物が酸を生成して、交換の周期で変色させる）、汚れ／色の変化、環境による経年変化（環境ガスを包装の外に出す）、接着剤が時間と共に劣化すること（単一のアセンブリを提供し、そのため、患者が構成要素を破壊せずにその構成要素を取り外すことができない、接着剤より膠（glue）の粘着力が強い）、及び／または取替えが必要かどうかを見るために包装が構成要素を合わせる色ガイドを含むことのうち１つまたは複数を含むことができる。
【０１９４】
２．３  表面特性
発泡体インターフェース８０を、被覆した表面または被覆していない切断面を有するように、（例えば、フリーライズ（free rise）のスラブ材から）製造することができる。発泡体はセル状の内部構造を有するので、発泡体が切断（例えば、ダイカット）されるときに、連続気泡構造が露出される。インターフェースの皮膚と接触する面上にある、切断された連続気泡構造は、具体的には患者とのインターフェースとして使用するときに、被覆した発泡体と比べて、異なる性能特性を有する。例えば、図１３−３及び図１３−４は、被覆していない切断面ＣＳを有する発泡体インターフェース８０を示し、図１３−５及び図１３−６は、被覆した表面ＳＳを有する発泡体インターフェース８０を示す。図示のように、図１３−３及び図１３−４の切断面ＣＳは、発泡体のセル状構造を露出し、例えば、気泡及びピンホールが露出される。対照的に、図１３−５及び図１３−６の被覆面ＳＳは、発泡体のセル状構造を隠し、例えば、気泡もピンホールも露出されない平滑な外面である。
【０１９５】
２．３．１  快適性
具体的には、患者の皮膚と界接または接触する面上に切断セル状構造（例えば、図１３−３及び図１３−４参照）を含む発泡体は、具体的には、当業界ではほぼ例外なく使用されるシリコーン材料と比べると、皮膚に対する異なる感触を有する。また、シリコーンのように粘着性またはプラスチックの感触がない、非常に心地よい、快適な触感特性を有するように、発泡体を設計することができる。発泡体のセル状構造と患者の皮膚に対する快適性の間には関連性が存在する。粗いセル構造から非常に微細なセル構造及びセル寸法の均質または異質な分布を有するように、発泡体を生産することができる。これらの特性を、製造工程を通して制御することができる。好ましい一実施形態では、患者の皮膚に対する快適性を最大にするために、微細寸法のセルを多く含む異質のセル構造が好ましいことがある。
【０１９６】
２．３．２  封止及び／または把持機能
発泡体の切断セル表面（例えば、図１３−３及び図１３−４参照）は、封止及び／または把持を提供する。発泡体は、例えば、封止を提供するために、機械的に変形し患者の顔面と係合することができ、微小の移動（すなわち、１ｍｍより短い）の下で外れる（例えば、封止を損なう）ことのないように、十分に皮膚を把持することもできる。セル状切断構造は、把持（例えば、摩擦による把持）を提供し、そのセル状切断構造を、「より湿った」感触の発泡体のグレードにその発泡体のグレードの高い柔軟性及び粘弾性と組み合わせて改良することができる。封止及び／または把持が外れる場合、理想的には患者の顔面に患者とのインターフェースを再び戻す必要なしに、封止及び／または把持特性を簡単に回復すべきである。好ましい発泡体の一例は、湿った、粘着性の且つ／または湿り気のある感触を有する、非常に柔軟で、低（イソシアネート）インデックスの発泡体であってよい。発泡体の「粘着性」または「湿り気」は、封止（例えば、「クローリング（crawling）」封止）を実質上壊すことなしに、患者の顔面に沿って発泡体が摺動することを可能にすることができる。すなわち、封止の位置は、患者の顔面との接触を失うことなく、実質上の治療圧力を失うことなく、ずらすことができる。把持または粘着性の度合いは、少なくとも一部は、表面張力（例えば、静止摩擦係数）及び／または切断面の形状（例えば、粗さ）によって決定することができる。
【０１９７】
２．４  形状
発泡体インターフェース８０は、概してゆりかご（すなわち、１方向に湾曲した）形状または鞍（すなわち、２方向に湾曲した）形状を有することができる。インターフェースは、その形状の意図される機能に応じて、特定の解剖学的領域に対応し、一致し、または意図的に一致しないように、３方向以上の湾曲及び複雑な湾曲の構成を有することもできる。
【０１９８】
図示の実施形態では、発泡体インターフェース８０の上面は、患者の鼻及びそのオリフィスの係合を助ける２方向への湾曲を含む鞍の形を提供する。例えば、第１の方向の湾曲（例えば、図１５−１の正面図参照）は、患者の鼻の鼻翼角を形成する解剖学的構造を収容するように構成され、第２の方向の湾曲（例えば、図１５−２の側面図参照）は、患者の鼻の鼻唇角を形成する解剖学的構造を収容するように構成される。第１の方向と第２の方向の湾曲の程度は両方とも、インターフェースの厚さ（積層）が追加されると共に、インターフェースの機械特性におけるコンプライアンスが追加される場合は入れ替えることができ、例えば、界接している（例えば、鼻及び顔面）解剖学的構造を、快適且つ効果的に抱え込んで係合し、封止するために、十分な柔軟性及び厚さを有するインターフェースの場合は、第１及び第２の湾曲方向をなくすことができる。
【０１９９】
代替の実施形態では、発泡体の機械特性を、インターフェースが、（上述のような第１及び第２の方向の湾曲なしに）上面が平らな形状を利用して効果的に封止するように、調節する（例えば、柔軟にする）ことができる。
【０２００】
他の実施形態では、発泡体の湾曲及び形状を、発泡体が取り付けられているフレーム、裏当て、または他の支持構造によって提供することができる。
【０２０１】
当技術分野で知られた殆んどの封止式インターフェース（具体的には、シリコーンインターフェース）は、膜状である。それらは、長く、薄く、可撓性である。その膜の断面は、アスペクト比（長さを幅または厚さで割ったもの）が高く、従って、膜の材料の柔軟性と相まって、その長さに沿って簡単に歪み、その幅にわたって簡単に曲がる。膜は、簡単に歪み、その長さ方向で圧縮荷重を支持することができない（材料は縮む前に歪む）ので、典型的には、その長さに沿って縮むことはない。このように歪むことができ且つ曲がることができることにより、具体的には、（典型的には）顔面に対して接線方向に存在するときは、膜タイプの封止が、顔面の変化する解剖学的構造に適合し、順応することが可能になる。マスクの内側の気圧が、支持する反力を顔面に接する膜に提供することが知られている。
【０２０２】
本発明の一態様による鼻下とのインターフェースは、膜ではなく、そのように動作しない。その断面形状は、低アスペクト比を有し、図１５−１から図１５−２に示すように、概して、正方形、長斜方形、矩形またはダイヤモンド形である。他の実施形態では、断面は、製造工程によって与えられる可能性に応じて、円形、楕円または他のより有機的な形状でよい。インターフェースの断面が長くなく薄くないので、膜として動作しないが、圧縮封止として動作する。従って、従来の膜封止のように本質的に顔面に（接線方向に）適合するために歪む機能に依存するのではなく、それが界接する顔面の解剖学的構造に適合するように、顔面に垂直な方向への柔軟性及びコンプライアンスを頼りにする。主題のインターフェースは、これも、インターフェース構造を支持し且つ／または封止を形成する空気圧にそれほど依存していない。円形または環状のプロフィルと共に断面が非常に厚いことは、ほぼ自己支持型であることを意味し、上述のように、発泡体の封止構造が通気性である場合は、圧縮力は、漸増的に（incrementally）圧縮空気（空気ばねの堅さ）の関数である。インターフェースは、マスクチャンバ内部の陽圧の空気圧によって外側に変形することがあるが、この変形は、インターフェースが、それが界接している解剖学的構造と係合するように促進することができる特性であり、例えば、インターフェースの形状は、圧力下で変化して、患者の顔面の形状により厳密に近づくことができる。
【０２０３】
２．５  厚さ
一実施形態では、発泡体は、患者の鼻の底部の下及び周りで抱え込むまたは包み込む効果を有して変形することができるように、発泡体の硬度及び粘弾性に応じて、厚さ約５〜２０ｍｍ、例えば、１５ｍｍとすることができる。他の実施形態では、封止式インターフェースを構成する発泡体の層の数及び各層の機械特性（例えば、硬度）に応じて、それに合うように厚さを、例えば、５〜５０ｍｍ、１０〜３０ｍｍ、１４〜２０ｍｍに変えることができる。例えば、発泡体の皮膚接触層の厚さを、非常に柔軟且つ非常に薄く（例えば、１〜３ｍｍ）することができ、適合層を、より硬く厚く（５〜２０ｍｍ）することができる。より硬く、同様に薄いかまたはより薄い（例えば、１ｍｍより薄い）発泡体の層は、取付け機構として働く層の働きをすることができる。
【０２０４】
発泡体の厚さは、発泡体の硬度と共に、インターフェースの機械的なコンプライアンスを決定することができる。より柔軟な発泡体は、より大きい厚さと相まって、具体的には、当技術分野で知られたシリコーン封止と比較すると、機械的コンプライアンス及び適合範囲を追加することができる。提供された発泡体の厚さを完全に圧縮することなく、治療圧力を送達し快適な適合性をもたらすインターフェースを実現するために、発泡体の密度、硬度、及び厚さを制御することができる。発泡体の許容性及びコンプライアンスがある性質によって、当技術分野で知られた他のインターフェースを超える明確な利点は、寸法を統合すること、更にはフリーサイズのインターフェースを提供する可能性である。すなわち、インターフェースに使用される材料の柔軟性及びコンプライアンスにより、同じ数の寸法または少ない数の寸法で、インターフェース構成要素がずっと多くの人たちに適合することを可能にすることができる。
【０２０５】
２．６  オリフィス
好ましい実施形態では、発泡体インターフェース８０は、患者の鼻孔の両方と界接するように適合された、単一のオリフィス８４を含む（例えば、図１３−１から図１３−２参照）。具体的には、インターフェースは、オリフィス８４が鼻腔と空気の通路で連通するように、左右両方の鼻孔の開口の周りを圧縮し、例えば、鼻孔を取り囲むか、または部分的に閉塞させる。代替の実施形態では、空気通路による連通は、２つ以上のオリフィスを介することができる。いくつかの実施形態では、オリフィス８４のプロフィルは、概して円形、矩形、丸みのある矩形、三角形、楕円、または長円の形状を有することができる。しかし、他の適切なオリフィスの形状、例えば、丸みのある三角形、丸みのある台形、菱形が可能である。好ましい実施形態では、オリフィスは、構成要素の外側のプロフィルの形状に一致するが、オリフィスのプロフィル及び外側のプロフィルは、形状がかなり異なってよい（例えば、外側プロフィルが楕円でよく、内側プロフィルが三角形でよい）。代替の実施形態では、発泡体インターフェースは、オリフィスなしの発泡体のブロックを含むことができ、気道の開口に隣接する発泡体の透過性を、患者の鼻に十分な空気流を可能にするように十分に高くすることができる。
【０２０６】
２．７  インターフェースパス（interfacing path）
図示の実施形態では、発泡体インターフェース８０の外部の上側外周が、鼻の下側の幅を取り囲む、例えば、鼻の外側または外鼻孔と界接するインターフェースパスＰ（例えば、図１３−１から図１３−２参照）を形成する。
【０２０７】
例えば、発泡体インターフェースを、鼻の下側と係合するように設計することができる。インターフェースの形状は、上から見ると内周及び外周を有する、概して環状であると説明することができる。（オリフィスを画定する）インターフェースの内周は、鼻孔を取り囲むか、または鼻孔をある程度閉塞させて、インターフェースと鼻孔との位置合わせをあまり重要でないようにすることができる。内周と外周の間の領域は、当技術分野で知られた他のインターフェース（例えば、鼻プロング）と比べて、顔面のより広い面積と係合して、圧力を均等に分配し顔面にかかる力を小さくすることができる。外周は、鼻の下側の輪郭内に収まるか、または鼻の幅に非常に近い形状にすることができる。好ましい実施形態では、外周は、インターフェースが鼻の幅の周りで包み込むかまたは優しく支える効果を有することを可能にすることによって、安定性及びフィット感のよさを向上させるように、鼻の下側の輪郭の外側に位置する。これは、主観的ではない視点から見たときに、その製品の視覚的な印象を目立たないようにする助けをすることができる。或いは、インターフェースの外周を、鼻の下側の輪郭の外側に位置して、鼻の幅の周りで抱きこむまたは包み込む効果を有するように設計することができる。インターフェースの外周が鼻より広い場合は、こうした構成は、インターフェースの安定性及び付け心地のよさを向上させることができる。具体的には、（顔面で正面に見て）第１の方向への湾曲またはＶ字形と相まって、インターフェースを着用するのに更に直感的にすることを可能にすることもできる。次いで、インターフェースは、自動位置合わせ機構及び鼻が心地よく受けられるための直感的な位置決めを特徴とする。
【０２０８】
一実施形態では、発泡体インターフェースは、鼻孔の下に位置するように構成され、インターフェースまたは界接するベクトルの角度は、頭頂部に向かってより斜め上方向であり、従来の鼻を覆うインターフェースでは典型的である、顔面の平面に後ろ方向に直線的であるのとは対照的である。
【０２０９】
例えば、図１６−１に示すように、患者とのインターフェースは、第１のループＬＰ１（例えば、空気送達チューブ）と、使用中に第１のループＬＰ１に連結されている第２のループＬＰ２（例えば、バックストラップ）とを含むことができる。図示のように、第１のループＬＰ１は、患者の鼻の下側に対する封止力を画成するように、患者の鼻の下側に沿って、頬領域に沿って、耳の上を通り患者の頭頂部の上に至る。第２のループＬＰ２は、ヘッドギアのベクトルを、第１のループＬＰ１との角αを４０度〜８０度（例えば、６０度）に画定するように概して後頭骨の上を通る。
【０２１０】
他の実施形態が図１６−２から図１６−３に示され、それらは、インターフェースのベクトルをより後方に角度を付けるように適合された発泡体インターフェースを支持するためのフレーム２２２を概略的に示す。これは、剛性化要素を有する配管と組み合わせて、封止力と頭部上に患者とのインターフェースを安定させる力を分けることを可能にする。従って、これらの力のより明確な制御及び調節が行われ、より多くの安定化力が患者の上唇の上方及び頬領域の上で支持される。従って、インターフェースのベクトルは、強制的に患者の鼻の中に向けられることが減り、患者にとっての快適性が改善される。他の実施形態では、ヘッドギアのインターフェースに隣接する部分に耐荷重機能を提供することによって、安定化力を上唇から軽減しより頬領域上で支えることができる。これは、非常に柔軟なインターフェースを過度に鼻の中に引っ張る必要なしに、マスクシステムを頭部上で更に安定させる。この耐荷重機能は、発泡体インターフェースの構成要素の一体の部分を成し、ヘッドギアの（例えば、内側の）顔面と接触する面に沿って延びることができる。それらを、インターフェースとは別個のヘッドギアに恒久的または着脱可能に固定することもできる。
【０２１１】
更に、フレームによって提供される表面積をより小さく（例えば、顔面全体にわたる幅をより狭く、直径をより小さく）することができ、それにより、患者の顔面への反力をより小さくして、効果的なインターフェースを実現することができる。
【０２１２】
２．８  呼吸可能性
本発明の一実施形態によれば、発泡体インターフェースは、インターフェース材料（例えば、発泡体のバルク構造）中を通した空気流と、インターフェースと患者の皮膚との間（例えば、発泡体の切断面）の空気流の両方の計画的な量の空気流を可能にする、（例えば、切断面及び／または外皮の排除に基づいた）呼吸可能性または透過性の発泡体を含むことができる。患者の快適性及びコンプライアンスは、顔面周りの汗の蓄積を減らし、皮膚を乾燥した状態に維持し、皮膚のインターフェースと接触する部分及びその周りの部分の温度を適度にすることによって強化される。理想的には、空気流は、顔面に着用しているときに皮膚を過度に乾燥させインターフェースの周りの解剖学的構造を冷却する量より少なくなるように設計される。
【０２１３】
すなわち、発泡体の構築は、患者とインターフェースの間の接触境界面で結露の蓄積及び関連する刺激を避けることができるような、呼吸可能なインターフェースを提供する。発泡体は、空気を循環させて接触面を比較的乾燥させ快適に保つことを助ける、発泡体構造／基材を通る意図的／制御可能な漏出を有する、（例えば、通気流の割合によって測定可能である）「漏出」インターフェースを提供する（例えば、約１０％の換気流、３０〜４０％の換気流）。発泡体によってもたらされる漏出量は、例えば、快適性、皮膚の乾燥、及び／または不快さに応じて変えることができる。
【０２１４】
一実施形態では、発泡体インターフェースを、予測可能であり所定の限界及び物理的位置内で漏出するように構築することができ、例えば、インターフェースの外周の空気流の透過性または呼吸可能性を変えることができる。また、水分を扱うように、例えば、ある領域では水分の蓄積を避け、他の領域（例えば、加湿のために鼻の近く）では水分を促進するように、発泡体の材料を選択することができる。疎水性及び親水性（例えば、吸水性）材料（または同様の特性をもたらす処理）は、選択肢である。患者の皮膚から水分または汗を「引き上げる」ように適合された吸水発泡体は、皮膚の破損、圧迫性壊死、及び／または潰瘍形成を低減させることができる。
【０２１５】
発泡体を、発泡体のバルク及び発泡体の表面を通る、様々な程度の通気性を特徴とするように設計することができる。発泡体は、その本体が不浸透性でインターフェース面のみ透過性とすることができる。逆に、発泡体は、結果として異なる封止性になるが、その本体が透過性でインターフェース面が不浸透性でよい。例えば、それにより、本明細書で説明した切断セル状構造の発泡体インターフェースに対する代替のインターフェース及び／または封止特徴を実現しながら呼吸可能性を実現することが可能になる。この発泡体を、全体にわたって不浸透性または空気流の透過を避けるべき特定の位置（例えば、目に入る方向）が不浸透性になるように構成することもできる。
【０２１６】
呼吸可能なインターフェースは、従来のインターフェース材料よりも、運動性のインターフェース性能（すなわち、患者がベッドの上で寝返りをうつことによる大きい動きに耐え、インターフェースを維持する能力）を改善することができる。これは、少量の空気流が既にインターフェースの表面と患者の皮膚の間を流れており、従来のシリコーン封止に比べて、大きい動きを受けるときに、インターフェース機構にとってあまり重要ではないので実現することができる。シリコーンは、安定した運動用封止を提供するように患者の皮膚に「貼り付く」能力にある程度頼っている。従って、シリコーン封止が皮膚の表面に沿って接線方向に動くときに、強制的に歪み完全に皮膚から外され、封止するために位置するように設計された形状を回復するように、顔面に対して通常通りに付け直される。すなわち、シリコーン封止は、インターフェースを付け直す必要を生じさせるずれまたは大きい動きの際に突然漏出し、呼吸可能な発泡体インターフェースは、歪んだ形状から（例えば、インターフェースに対する顔面の動きから）回復するように発泡体インターフェースを患者の顔面上に付け直す必要なしに、簡単にそのインターフェース特性を取り戻すことができるインターフェースを提供する。これもまた、インターフェース及び／または封止のための膜の仕組みに頼らないインターフェースを有する結果である。インターフェースの断面の幅は、典型的には、膜の厚さより大きい程度（０．３５〜１．０ｍｍと比べて、好ましくは５〜１２ｍｍ、更に好ましくは８〜１０ｍｍ）にすることができる。そのより大きい幅により、インターフェースがより大きい面積にわたって患者の顔面と係合することが可能になり、従って、患者の顔面上での移動または表面の不規則性のため、インターフェース機構で局所的な分離にそれほど影響されやすくはない。更に、発泡体インターフェースの切断面は、顔面に押し付けられるときは表面全体にわたってより低い張力を伝達し、顔面上で移動するときに漏出を受けやすいシリコーン膜の封止の運動性の封止性能を改善する。
【０２１７】
代替の実施形態では、発泡体インターフェースは、被覆した表面を有することができ、その被覆した表面は、被覆していない切断面を有する発泡体インターフェースと同様の効果を提供するように、透過性でよい。例えば、被覆した表面は、呼吸可能性ポリウレタンの外皮、透過性を可能にする膜、テクスチャード加工面、スプレーで吹き付けた多孔質被覆、穿孔した外皮、及び／またはテキスタイルの形態でよい。他の例では、図１３−８に示すように、発泡体インターフェース８０は、被覆した表面ＳＳを有することができ、通気口８１は、発泡体内部から外気まで延びて、透過性を可能にすることができる。
【０２１８】
図１４−２は、本発明の実施形態による発泡体インターフェースの特性を示すグラフである。図示のように、発泡体インターフェースを、（圧縮と拡張の両方の）インターフェースにかかる力が増大するにつれて漏出が減少するように構成することができる。また、患者の顔面から離れる方への移動による漏出の流れの分離が最小限になる。
【０２１９】
２．９  コンプライアンス
発泡体インターフェースは、シリコーン及び当技術分野で知られた他の材料でできたインターフェースと比べると、非常に広範囲の顔面形状を受け入れることができる、（機械的な）コンプライアンスの性質を有する。こうした構成は、患者の人数に合わせるために、必要な寸法の数を統合する可能性を見込んでいる（例えば、場合によってはフリーサイズのインターフェース）。
【０２２０】
バルク材に機械的コンプライアンスがあるので、発泡体による封止材は、発泡体ではない封止材と比べると、より広い範囲の顔面形状に簡単に適合する。
【０２２１】
コンプライアンスを定量化することができる一手法は、所与の直径の円柱の周りにバルク材が巻きつく範囲を測定することによる。より具体的には、バルク材が円柱に巻きつく角度を、円柱の長手方向軸に対して測定することができる。
【０２２２】
本発明の実施形態による好ましい形態は、切断した、すなわち被覆していない患者との接触面を有し、厚さが８ｍｍと１４ｍｍの間であり、密度が４０ｋｇ／立方メートルと７０ｋｇ／立方メートルの間である。
【０２２３】
すなわち、発泡体インターフェースは、優れた機械的コンプライアンスを提供することができ、界接する領域が複雑でなくなることや人体測定の差の程度が小さくなることと共に、（例えば、従来の鼻用及び全顔面用インターフェースと比較すると）インターフェースに優れた適合性の品質を与える。発泡体は、インターフェースを損傷する（例えば、歪ませる、皺にする）ことなしに、また、患者を不快にすることなしに（例えば、顔面に、より小さくより均一の圧力）、適切な寸法及び形状に変形（例えば、局所的に変形）することができる。更に、コンプライアンスの高い発泡体は、具体的には、シリコーンインターフェースと比べると、所与の形状（例えば、寸法）に関して、より幅広い人口に合い界接する。更に、発泡体インターフェースの機械的なコンプライアンスにより、患者とのインターフェースの設計をヘッドギアからのストラップの張力に頼らないものにすることができる。一実施形態では、患者とのインターフェースを、空気送達及び安定化システム（例えば、ヘッドギア）によって適合させることによって患者の顔面に適合させることができ、次いで、調節を正確にする必要なく、インターフェースが患者の鼻への進路を見つけることを可能にする。すなわち、発泡体インターフェースは、不正確な装着をうまく吸収する。
【０２２４】
発泡体のコンプライアンスの性質は、インターフェースを損傷することなく、また、患者に不快さを加えることなく（例えば、最初の装着の際または睡眠中に患者が動くかまたは寝返りをうつときに）発泡体が患者の顔面に速く適合することも可能にする。すなわち、発泡体は、位置合わせ不良に対する許容がより大きい。
【０２２５】
２．１０  加温
発泡体インターフェースは、例えば、寒い夜に毛布の中で呼吸するのと同様の、息を吐くときに患者の鼻孔に温かい感覚を与えることができる。この仕組みは、鼻プロングまたは鼻枕インターフェースの一部のユーザが経験する「凍結した鼻（frozen nose）」の影響を低下させる。一実施形態では、発泡体インターフェースは、患者の顔面の他の領域に温かい感覚を与えるために、患者の顔面の横に沿って、例えば、空気送達チューブと口の近くまたは口から延長した患者の頬の間の上側頬領域に沿って延びる、延長側方部分を含むことができる。
【０２２６】
２．１１  層
一実施形態では、インターフェース構造は、より堅い構造に取り付けられた柔軟な発泡体、例えば、参照によりその全体が本明細書に組み込まれている特許文献４に記載されている円筒形の支持体等、壁厚約１．５ｍｍのショアＡが４０のシリコーンシェルを含むことができる。
【０２２７】
他の実施形態では、インターフェース構造は、各層が特定の機能を提供する複数の層を含むことができる。例えば、図１７−１は、４つの機能上の層を含むインターフェース構造を概略的に示す。第１の層Ｌ１は、患者の顔面及び／または鼻の皮膚に対して快適な封止を提供するように構成された皮膚接触層を表す。第２の層Ｌ２は、患者の鼻の解剖学的構造に簡単に適合するように構成された、適合層を表す。第３の層Ｌ３は、（Ｌ１及びＬ２層の柔軟性により、荷重状態の下で十分な自己支持をすることができないので）その全体的な形状を保持するためにインターフェースを支持するように構成された形状保持層を表す。第４の層Ｌ４は、インターフェース構造を患者とのインターフェース、例えば、フレーム、シェルに保持／取付けするように構成された、保持／取付け層を表す。
【０２２８】
単純にするために、できるだけ少ない物理的な層または構成要素によって、すべての機能が提供されるようになる。例えば、皮膚接触層Ｌ１及び適合層Ｌ２の機能を、皮膚上の快適な感触と鼻の下側の周りに適合する適切なプラッシュ（plush）の圧縮特性の両方を含む１つの材料によって提供することができる。他の例では、Ｌ３層の補強機能及びＬ４層の取付け機能を、（Ｌ４）取付け機構によって、且つ／または機能上の層を一緒に接合するために使用される下地（例えば、接着剤）によって提供することができる。
【０２２９】
図１３−１及び図１３−２に示す発泡体インターフェース等の一実施形態では、切断セル状構造を有する発泡体インターフェース８０が、第１及び第２の層Ｌ１、Ｌ２の機能を提供することができ、（例えば、シリコーン製の）円筒形の支持体８２が、第３の層Ｌ３の機能を提供することができ、フレームに取り付けるためのループ材が、（以下で説明する）第４の層Ｌ４の機能を提供することができる。
【０２３０】
他の実施形態では、形状保持層であるＬ３は、インターフェースを手で変形させてより効果的で快適な形状にすることができるように、可鍛性の材料（例えば、アルミニウム線）を含むことができる。
【０２３１】
代替の実施形態では、第１の層、すなわち皮膚接触層Ｌ１を、例えば、快適性、把持、代替の吸水性、及び／または代替の通気性のために、フロック加工してもよく、テキスタイル（または他の適切な呼吸可能な材料）で覆ってもよい。
【０２３２】
２．１２  取付け機構
図示の実施形態では、インターフェース構造２０は、空気送達及び安定化システム３０とは別個の構成要素である。従って、インターフェース構造を空気送達及び安定化システムに（例えば、着脱可能に）固定するために、取付け機構が提供される。上述のように、取付け機構の一部分は、インターフェース構造の保持層Ｌ４を形成することができる。
【０２３３】
２．１２．１  一般的な物理的要件
インターフェース構成要素は、典型的には、患者とのインターフェースの残りの部分とは別個の構成要素である。それには、多くの理由があり、インターフェースの形状が通常は複雑であり患者とのインターフェースの他の構成要素と組み合わせて製造することが難しいこと；インターフェースは、通常、人体測定の大きい差を吸収する必要があり、従って、全範囲の差をカバーするために、いくつかの交換可能なインターフェースの寸法が存在すること；インターフェースは、その寿命の間に何度も洗浄する必要とすることがあり、それを着脱可能にすることにより、より徹底的な洗浄が可能になり、洗浄を簡単な作業にすること；及び／またはインターフェースは、患者とのインターフェースの残りの部分より頻繁に取り替えられ、取り替えるために着脱可能にする必要があることを含む。
【０２３４】
取付け機構は、特に、患者の年齢並びに知的及び身体的な能力が様々である可能性を考えると、患者が行うすべての組立て及び分解作業をできるだけ簡単にすべきであるように構成される。
【０２３５】
組立てを簡単にするために、設計において方向、配列、及び力の要素が検討される。一実施形態では、インターフェースは、（例えば、機能上の正しい取付けができるだけ多くの異なる（例えば、２つの）方向で可能になる）できるだけ小さい非対称性、取付け方法に関する直感的なきっかけ（例えば、自動整列または自動方向決め））、扱いにくくない（例えば、器用さを最低限にしか必要としない）寸法、形状、及びテクスチャー、整列不良に対する許容、組立てのためのできるだけ小さい力、及び／または分解のためのできるだけ小さい力を含む。機構からフィードバックされる力は、通常、ユーザに、組立てが完了したこと及びそれが正しいことを示すことができる。組立てに要する力はできるだけ小さくしながら、正確な組立ては患者に明確であるべきである。
【０２３６】
組立ての力が非常に低い場合は、分解の力は、意図しない分解が起きないことを確実にするために、組立ての力より大きくすべきである。分解の力は、インターフェース構成要素または患者とのインターフェースの他の構成要素に損傷を与えるリスクに応じて、高すぎないようにすべきである。
【０２３７】
患者とのインターフェースのフレームへのインターフェースの取付けは、空気漏れがないように（例えば、封止する）または治療の圧力の範囲を超える知られた量の少ない空気漏れになるようにすべきである。
【０２３８】
一実施形態では、図１７−２に示すように、発泡体インターフェース８０をベースＢに提供することができ、そのベースＢは、発泡体インターフェースをフレームＦに保持するように適合される。図示のように、ベースＢは、フレームへの入口より十分に長く（例えば、長さＤはフレームの入口の長さｄより長く）、そのため、ベースＢはフレームＦに提供された入口を通りスロットＳ中に弾性的に押し込まれ且つ／または単純に操作され、そこで動作位置に保持される。
【０２３９】
他の実施形態では、図１７−３Ａから図１７−３Ｃに示すように、機械的な干渉式の取付け機構は、インターフェース構造を患者とのインターフェースに着脱可能に取り付けることができる。図示のように、ベースＢ（例えば、堅い積層板）を、（例えば、発泡体インターフェース１８０の形態の）インターフェース構造の下側に提供することができ、取付け構造ＡＴを、患者とのインターフェースのフレームに提供することができる。
【０２４０】
図示のように、フック部分ＨＰが、取付け構造ＡＴの内側縁部から延びる。使用の際には、ベースＢは、フック部分ＨＰの上から、弾性的に伸び且つ／または単純に操作され、そこで、例えば、機械的な締まり嵌めで動作位置に保持される。図１７−３Ｃに示すように、不意に外れることを防止するために、フック部分ＨＰの自由端１８５は、ベースＢの内側縁部に覆いかぶさる。
【０２４１】
また、フック部分ＨＰの自由端１８５は、封止を提供するために発泡体インターフェース１８０に押し付けられる内部リップを提供する。従って、ベースＢ及び取付け構造ＡＴは、インターフェース構造とフレームの間の取付けと外周の封止の両方を提供する。
【０２４２】
図示の実施形態では、ベースＢ及び取付け構造ＡＴはそれぞれ、全体的に平坦な構成を有し、ベースＢ及び取付け構造ＡＴのプロフィルは、インターフェース構造の下面のプロフィルと実質上同様であり、例えば、細長い形または楕円形である。
【０２４３】
図示のように、ベースＢ及び取付け構造ＡＴの外側縁部は、発泡体インターフェース１８０の下面の外側縁部と実質上位置合わせされる。取付け構造ＡＴの内側縁部は、例えば、フック部分ＨＰによって、発泡体インターフェース１８０の下面の内側縁部よりわずかに外側にすることがある。
【０２４４】
しかし、他の適切な外周の境界が可能である。例えば、インターフェース構造の下面のベースＢ及び取付け構造ＡＴの範囲は、下面の形状プロフィルの内側及び外側縁部と同じでもよく、それより内側でも外側でもよい。一実施形態では、ベース及び取付け構造は、使用中にベース及び取付け構造が患者の上唇と接触するのを防止するために、下面の外側縁部に対して内側にすることができる。
【０２４５】
機械的干渉のタイプの取付け機構は、他の適切な構成を有することができる。例えば、機械的干渉のタイプの取付け機構は、スリーブ部分を有する内部リップ、角度部分を有する内部リップ、単一の補強層を有する外部リップ、２重の補強層を有する外部リップ、単一の発泡層を有する押込み嵌め（push-in fit）、２重の発泡層を有する押込み嵌めを含むことができる。
【０２４６】
他の実施形態では、接着剤タイプの取付け機構が、インターフェース構造を患者とのインターフェースに着脱可能に取り付けることができる。例えば、インターフェース構造を患者とのインターフェースのフレームに着脱可能に取り付けることを可能にする接着剤（例えば、感圧性接着剤（ＰＳＡ、pressure sensitive adhesive））を、（例えば、発泡体インターフェースの形状の）インターフェース構造の下面に提供することができる。
【０２４７】
一実施形態では、下面及びそれに提供される接着剤（例えば、ＰＳＡ）は、全体的に平坦な構成を有することができる。他の実施形態では、下面及び接着剤は、第１の方向に沿った湾曲をもたらすことができる。他の例示的な実施形態では、ベース及び接着剤は、心合わせ動作により２つ以上の方向に沿った湾曲、例えば、鞍の形状をもたらすことができる。
【０２４８】
インターフェース構造の下面の接着剤の範囲は、下面の形状プロフィルの内側及び外側縁部と同じでもよく、それより内側でも外側でもよい。一実施形態では、製造を簡単にするために、接着剤をプロフィルの縁部に合わせることができる。他の実施形態では、接着剤は、使用中に患者の上唇と接着剤が接触するのを防止するために、下面の外側縁部の内側にすることができる。
【０２４９】
他の実施形態では、インターフェースの耐用期間を操作するように取付け機構を構成することができ、例えば、取付け機構が所定の時間で働かなくなり、従って、インターフェースの取替えを必要とする。
【０２５０】
他の実施形態では、インターフェースが使用中にフレームと患者の顔面の間に挟まれるときに、大型の取付け機構を提供しなくてよい。
【０２５１】
２．１２．２  フック及びループ材
一実施形態では、取付け機構は、フック及びループ材の形態、例えば、ベルクロ（登録商標）でよい。例えば、フック材を、フレームに提供することができ、ループ材、例えば、切れ目のないループ（ＵＢＬ、UnBroken Loop）を、インターフェース構造の下側またはベースに提供することができる。例えば、ループ材を、円筒形の支持体８２の下面に、例えば、接着剤によって提供することができる。
【０２５２】
フック及びループ材のこうした構成は、逆にしてもよいが、インターフェースが非常に頻繁に取り替えられることに照らして、フック及びループ材の耐久性のない方、すなわち、ループ材がインターフェース構造に取り付けられることが好ましい。フック及びループスタイルの取付け機構により、組立て／分解のために非常に小さい力しか必要としない、直感的な組立てが可能になる。
【０２５３】
フック及びループのインターフェースは、典型的には、気密ではない。従って、本発明の実施形態によるフック及びループのインターフェースは、組立て動作の間に定義された範囲内で再現可能である、周知の少量の漏れを含むことができる。
【０２５４】
代替の実施形態では、取付け及びインターフェース／フレーム間の封止の働きを別々に行うことができる。例えば、取付けを行うために、フック及びループのインターフェースを使用することができ、封止を行うために、柔軟で変形可能な閉ループ線状インターフェースを使用することができる。フック及びループのインターフェースは、インターフェース構造とフレームの間の取付けを行うことができ、そうする際に、インターフェース／フレーム間の構成の両側で、ループ材を柔軟な円周の封止材に押し付ける垂直の力を提供する。インターフェース構造は、フレームに提供されたフック材の上またはそれに隣接して位置することができる。
【０２５５】
他の実施形態では、インターフェースまたはループ材を押し付ける封止の代わりに、ループ材は、それに対して働くために界接または封止するための対応する平滑なゴム／プラスチック表面を有することができる。
【０２５６】
例示的な実施形態では、インターフェース構造は、１枚の発泡体材料（例えば、発泡体材料のスラブ材またはブロック（例えば、１ｍ×０．５ｍ×２ｍのブロック））を準備し、フック材を発泡シートに積層またはそうでない場合は取り付け、発泡シートをダイカットして所望の形状のインターフェース構造を形成することによって形成することができる。
【０２５７】
図１７−４Ａから図１７−４Ｃは、インターフェース構造を患者とのインターフェースに着脱可能に取り付けるように構成された、フック及びループタイプの取付け機構（例えば、ベルクロ（登録商標））の他の実施形態を示す。図示のように、（例えば、発泡体インターフェース１８０の形態の）インターフェース構造の下面にループ材ＬＰを提供することができ、フック材ＨＫを、患者とのインターフェースのフレームに提供することができる。フック及びループ材の配置は逆にすることができることを理解されたい。
【０２５８】
図示のように、封止リップＳＬが、フック材ＨＫの内側縁部から延びる。使用の際には、フック及びループ材は、互いに着脱可能に係合し、それにより、ループ材ＬＰが封止リップＳＬに押し付けられて、封止を提供する。従って、フック及びループタイプの取付け機構は、インターフェース構造とフレームの間に取付けを提供し、封止リップＳＬは、インターフェース構造とフレームの間の円周の封止を提供するために変形可能である。
【０２５９】
図示の実施形態では、フック及びループ材ＨＫ、ＬＰはそれぞれ、全体的に平坦な構成を有し、フック及びループ材ＨＫ、ＬＰのプロフィルは、インターフェース構造の下面のプロフィルと実質上同様であり、例えば、縦長または楕円形である。
【０２６０】
図示のように、フック及びループ材の内側及び外側縁部は、発泡体インターフェース１８０の下面の内側及び外側縁部と実質上整列する。すなわち、フック及びループ材の外周の境界は、例えば、製造を容易にするために、インターフェースの下側の形状プロフィルの縁部と合わせることができる。
【０２６１】
しかし、他の適切な外周の境界が可能である。例えば、インターフェース構造の下面のフック及びループ材の範囲は、下面の形状プロフィルの内側及び外側縁部と同じでもよく、それより内側でも外側でもよい。一実施形態では、フック及びループ材は、使用中にフック及びループ材が患者の上唇と接触するのを防止するために、下面の外側縁部に対して内側にあってよい。
【０２６２】
フック及びループタイプの取付け機構は、他の適切な構成を有することができる。例えば、フック及びループ材は、封止リップなしの上述の構成等、平坦な構成を提供することができる。他の例示的な実施形態では、フック及びループ材は、第１の方向に沿った湾曲を提供することができる。他の例示的な実施形態では、フック及びループ材は、第１の方向に沿った湾曲及び上述のような封止リップを提供することができる。他の例示的な実施形態では、フック及びループ材は、心合わせ動作により２つ以上の方向に沿った湾曲、例えば、鞍の形状を提供することができる。
【０２６３】
２．１２．３  低保持力のスナップ嵌合
図１８−１から図１８−３は、本発明の他の実施形態による、鼻下との発泡体インターフェース３８０をフレーム３２２に接合する方法を示す。この実施形態では、鼻下とのインターフェース３８０は、スナップ嵌合でフレーム３２２に取り付けることが可能になる構造を含み、その連結は、その強度のために鼻下とのインターフェース３８０とフレーム３２２の間の摩擦及び／または機械的なかみ合いを当てにしている。その結果生じた接合部は、強度が制限されることになるが、その接合部の位置により、患者とフレームの間の力が接合部を強化するのを助けることが可能になる。
【０２６４】
図１８−１及び図１８−２に示すように、フレーム３２２は、使用中に患者の顔面の輪郭をたどり、且つ／または患者の顔面形状に適合することができるように、その長さに沿って湾曲した全体的にチューブ状の構造を含む。図１８−２及び図１８−３に示すように、鼻下とのインターフェース３８０は、スナップ嵌合でフレーム３２２に取り付けることができるように構成される。具体的には、鼻下とのインターフェース３８０の裏には、チューブ状のフレーム３２２の一部分をその中に受けるように適合された長手方向軸に沿った溝３８７がある。溝３８７の１つまたは複数の面及び／または縁部は、摩擦嵌め及び／または機械的なかみ合い嵌合でフレーム３２２に係合するように適合される。また、鼻下とのインターフェース３８０の端部はそれぞれ、その長さに沿って湾曲するときに、フレーム３２２の端部分をそれぞれ受けるように適合された弓形の切り欠き３８９を含む。
【０２６５】
２．１２．４  ＰＳＡを伴うスナップ嵌合
他の実施形態では、鼻下とのインターフェースまたは発泡体インターフェースを、感圧性接着剤（ＰＳＡ）によってフレームに接合することができる。図１９−１から図１９−３は、本発明の実施形態による鼻下とのインターフェースの裏にＰＳＡを塗布するための製造工程を示す一連の図である。図１９−１は、処理されていない鼻下とのインターフェース４８０を示し、図１９−２は、ＰＳＡ４８５が塗布された後の鼻下とのインターフェース４８０を示し、図１９−３は、着脱可能なバッキング４８６を鼻下とのインターフェース４８０上のＰＳＡ４８５に貼った後の完成したサブアセンブリを示す。
【０２６６】
鼻下とのインターフェース４８０は、図１８−１から図１８−３に示すのと同様にして、例えば、スナップ嵌合で組み立てられる。逆に、バッキング４８６は、ＰＳＡ４８５を露出するために、組立ての前に、鼻下とのインターフェース４８０から取り外される。その結果得られた接合部は、ＰＳＡ４８５により接合部の強度が向上するようになる。ＰＳＡを選ぶときは、ＰＳＡは、フレームより鼻下とのインターフェースによく接着するように構成されるべきである。すなわち、ＰＳＡの粘着力は、好ましくは接着力より高い。こうした構成により、例えば、洗浄または取替えのために鼻下とのインターフェースをフレームから引き離すときに、ＰＳＡがフレーム上ではなく鼻下とのインターフェース上に残ることが可能になる。
【０２６７】
２．１２．５  溝またはアンダーカットを伴うスナップ嵌合
図２０−１から図２０−３は、本発明の他の実施形態による鼻下とのインターフェースまたは発泡体インターフェース５８０をフレーム５２２に接合するための方法を示す。この実施形態では、鼻下とのインターフェース５８０は、その両側に溝またはアンダーカット５９５を含み、それらの溝またはアンダーカット５９５は、例えば、スナップ嵌めで、フレーム５２２に備えられた突起部５９６とそれぞれ嵌め合うかまたはかみ合うように適合される。その結果生じる接合部は、例えば図１８−１から図１８−３に示す接合部に対して、向上した接合部強度を有することになる。
【０２６８】
代替の実施形態では、鼻下とのインターフェースは、複合型のスナップ嵌合構成を提供することができる。例えば、図２０−４から図２０−７は、本発明の実施形態による複合型の鼻下とのインターフェースを形成するための製造工程を示す一連の図である。図２０−４では、患者とのインターフェースを提供する第１の側部と、間隔をあけて配置されたプラットフォーム１２９３を提供する第２の側部とを有する、粘弾性の発泡体部分１２９１が形成される。図２０−５では、溝またはアンダーカット１２９５をそれぞれ有する連結部分１２９７が形成される。連結部分１２９７は、粘弾性の発泡体部分１２９１よりずっと弾性及び構造を有する材料、例えば、高密度の発泡体、ＴＰＥ、ＴＰから構築される。図２０−６では、接着剤１２８５、例えば、ホットメルト接着剤が、発泡体部分１２９１のプラットフォーム１２９３それぞれに塗布される。従って、図２０−７に示すように、連結部分１２９７は、複合型の鼻下とのインターフェース１２８０を組み立てるために、接着剤１２８５によって発泡材部分１２９１のプラットフォーム１２９３それぞれに取り付けられる。使用の際には、複合型の鼻下とのインターフェース１２８０を、図２０−１から図２０−３で説明したフレーム等のフレームに取り付けることができ、例えば、溝またはアンダーカット１２９５がフレーム上に備えられた突起部それぞれとかみ合う。複合型の鼻下とのインターフェース１２８０は、単独の粘弾性の発泡体より接合部強度が高くなるように構成された連結部分１２９７を提供する。複合型の鼻下とのインターフェースを作るために他の適切な製造工程を利用してよいことを理解されたい。
【０２６９】
他の実施形態では、インターフェースの発泡体が、フレームまたはシェルの受取りチャネル中で受けられることが可能になるように取付け機構を構成することができる。この場合の封止及び保持は、発泡体とフレームまたはシェルのチャネルとの間の締まり嵌めを当てにしている。その非常に柔軟なインターフェースの発泡体は、好ましくは積層またはそうでない場合は接合されて、より硬くより稠密な発泡体（または他の構造）を形成し、それにより、チャネルと係合したときにより大きい締まり嵌めの力がもたらされる。
【０２７０】
他の実施形態では、取付け機構を、柔軟なインターフェースの発泡体の下側に接着した剛性または半剛性の構成要素によって実現することができる。剛性／半剛性の構成要素を、例えば、フレーム中／上にクリップ留めされた、数箇所の機械的な締まり嵌めを提供するように構成することができる。
【０２７１】
２．１２．６  磁石装置
代替の実施形態では、取付け機構は、フレームとインターフェース構造を磁力で結合するために、磁石装置を含むことができる。
【０２７２】
２．１３  構造上のコンプライアンス
２．１３．１  背景
鼻の周りの局所解剖学は、急な勾配と、それらの勾配の間にとがった移行部を有する。インターフェースを最も効果的にするためには、インターフェースを実現する、例えば、封止するために、すべての表面と面一になる必要がある。弾性が低い構造により、インターフェース、例えば、テキスタイルインターフェースを実現しながらも、快適性を最大にすることができる。しかし、テキスタイルのインターフェースは、典型的には非常に薄く（例えば、２ｍｍより薄く）、それ自体でコンプライアンスを追加するために必要な特性を提供することができない。テキスタイルインターフェースが患者の顔面に沿うためには、支持構造が必要である。しかし、支持構造はテキスタイルインターフェースに限定されず、すなわち、いくつか例を挙げると、発泡体及びシリコーンインターフェースも支持構造から利益を得る。
【０２７３】
２．１３．２  可撓性フレーム
一実施形態では、インターフェースを、可撓性の材料から作られたフレーム、例えば、射出成形されたシリコーンフレーム上に取り付けることができる。フレームの端部はそれぞれ、各チューブ４２に取り付けられる。患者の顔面に対して引っ張ると、可撓性のフレームは、患者の顔面に適合し、例えば、患者の鼻をはさむことなしにその周りを包み込むことができる。
【０２７４】
フレームを、異なる堅さを有する材料から構築することができる。フレームがシリコーンから構築される場合は、単に異なるショア硬度を有するシリコーンを使用するだけでこうした構成を実現することができる。
【０２７５】
例えば、図２１−１から図２１−３は、本発明の実施形態による鼻下とのインターフェース６８０及び通気口６２７を支持するためのフレーム６２２を示す。図２１−２及び図２１−３に最も良く示すように、フレーム６２２の（より暗く示した）中心部分Ｃは、フレーム６２２の側部Ｓより堅い。
【０２７６】
こうした配置により、フレーム６２２の中心部分Ｃより可撓性がある側部Ｓがもたらされる。図２１−３に示すように、フレーム６２２に加えられる力が増大するにつれて、側部Ｓのたわみは、中心部分Ｃのたわみより大きくなる。その結果、フレーム６２２は、患者の鼻をはさまず、中心部分Ｃは、インターフェースが鼻孔を閉塞することを防止するために、比較的直線のままである。更に、より堅い中心部分Ｃは、患者の鼻の正面にある導管を、使用中に確実に開いた状態に維持する。
【０２７７】
図２２−１は、本発明の他の実施形態による可撓性のフレーム７２２を示す。この実施形態では、フレーム７２２は、鼻下とのインターフェース、例えば、取替え可能な発泡体鼻下とのインターフェース及び通気口に係合するように適合された開口部７２２．１及び７２２．２を含む、成型された発泡体の導管でよい。フレーム７２２の端部は、任意の適切な様式で各チューブ４２に取り付けることができる。
【０２７８】
２．１３．３  ばね要素を有する可撓性フレーム
他の実施形態では、上述のような可撓性のフレームが、快適性を向上させるためにばね要素を含むことができる。例えば、図２３−１は、フレーム８２２に提供されたばね要素８２８及びインターフェース８８０を含む可撓性のフレーム８２２を示す。ばね要素８２８は、熱可塑性エラストマー（ＴＰＥ、thermoplastic elastomer）または金属（例えば、ポリカーブ、ニチノール等）でよい。図示の実施形態では、ばね要素８２８は、フレーム８２２に沿って水平に取り入れられる。しかし、他の適切な配置が可能である。使用の際には、ばね要素８２８は、空気送達及び安定化システム３０、例えば、チューブ４２によって与えられた力を打ち消すように構成される。ばね要素は、患者に取り付けるときにフレーム８２２の半径を効果的に拡大する。
【０２７９】
一実施形態では、ばね要素は、ｋ値がその長さにわたって変わる可変のばね要素をすることができる（例えば、図２３−２のグラフ参照）。図示のように、ばね要素は、ばね要素の中間部が比較的堅く、ばね要素の端部が比較的ゆるくなるような、概ねベル型曲線の構成に似たｋ値を有することができる。こうした構成は、患者の曲率にうまく合わせることができるので有利になることがある。例えば、インターフェースが鼻下タイプのインターフェースの場合、比較的堅いばねをフレームの中間部に提供することができ、次いで、フレームが鼻孔の中心から離れる方に移るにつれてゆるくなるばねを提供することができる。
【０２８０】
更にコンプライアンスを高めるために、ばね要素とインターフェースの間に、弾性の低い発泡体を追加することができる。例えば、図２３−３は、弾性の低い発泡体９５６と、中間の密度の発泡体９５７と、例えば、ニチノールから構築されたばね要素９２９を有するフレームに提供されたインターフェース９８０を示す。
【０２８１】
２．１４  排気
一実施形態では、呼吸可能な発泡体インターフェースは、必要な体積のＣＯ２の除去または排気を行うことができ、それにより、別々のＣＯ２除去用の排気口の必要性をなくすことができる。更に、呼吸可能な発泡体インターフェースは、排気を静かにするかまたは拡散する機能を提供することができる。従って、呼吸可能な発泡体インターフェースは、例えば、封止及び排気の２重の目的を有する単一の構成要素を提供することができる。しかし、例えば、結露が呼吸可能な発泡体インターフェースの１つまたは複数の呼吸可能な部分をふさぐことがあるので、ＣＯ２の排気口を、発泡体インターフェースと一緒に使用してよい。ＣＯ２排気穴からの空気の排気は、排気の流れから騒音を拡散し低減する手段として発泡体の中を通ることができる。
【０２８２】
例えば、発泡体インターフェースを支持するフレームまたは支持体は、ＣＯ２除去のための１つまたは複数の排気穴を含むことができる（例えば、図１−８、図２−１、及び図１８−１参照）。
【０２８３】
また、図２４−１は、排気を行うリジダイザ１０９８を含む発泡体インターフェース１０８０を示す。リジダイザ１０９８は、排気のための穴１０９９を含む剛性／半剛性の裏当て部品の形態でよい。図示のように、発泡体インターフェース１０８０は「ブーメラン」形を有する。発泡体の半多孔性及び「ブーメラン」形の延長アームにより、発泡体がオリフィスから外に絶えず出てくる非常に少量の拡散空気流を有するので、患者の皮膚が発泡体の下で呼吸することが可能になる。
【０２８４】
更に、代替の実施形態では、発泡体インターフェースを支持するフレームまたは支持体は、例えば、酸素を補給し且つ／または圧力／湿度データを収集するために、１つまたは複数の補助的な穴を含むことができる。
【０２８５】
２．１５  代替のインターフェース構成
インターフェース構造が他のインターフェース構成を有することができることを理解されたい。すなわち、発泡体インターフェースのタイプは、単なる例示に過ぎず、発泡体インターフェースを、例えば、鼻を覆うインターフェース、鼻クッション、口、全顔面、鼻プロング等、他の適切なインターフェースのタイプと共に使用するように適合することができる。例えば、図２５−１は、使用時に患者の口に界接または封止するために、例えば、発泡体から構築された、鼻下とのインターフェース１１８０及び口とのインターフェース１１８１を含む、患者とのインターフェース１１１０の一実施形態を示す。
【０２８６】
２．１６  発泡シリコーン
上述のような粘弾性の発泡体（例えば、ポリウレタン）を使用する代わりに且つ／またはそれに加えて、患者とのインターフェースの様々な構成要素を、少なくとも部分的に、発泡したシリコーン、すなわち、発泡シリコーンから構築することができる。すなわち、構成要素の１つまたは複数の部分を、発泡シリコーンから構築してもよく、構成要素全体を発泡シリコーンから構築してもよい。
【０２８７】
例えば、患者とのインターフェースの前頭部サポートのための前頭部パッドは、前頭部パッドをフレームに連結するように適合された軸またはコネクタと、患者の前頭部と接触するように適合された患者接触パッド部分とを含む。一実施形態では、軸を、非発泡シリコーン（例えば、ＬＳＲ）から構築することができ、患者接触パッド部分を、発泡シリコーンから構築することができる。
【０２８８】
他の例では、患者とのインターフェースのクッション及び／または患者とのインターフェースに連結された導管を、部分的にまたは全体的に発泡シリコーンから構築することができる。
【０２８９】
発泡シリコーンは、異なる「感触」及び／または異なる連結特性を有する、各構成要素を提供することができる。
【０２９０】
例えば、発泡シリコーンは、軽量；魅力的な肌触り、快適性；少ない材料を使用する；不透明または透明；構成要素を長持ちさせ取替え頻度を低くするために洗浄可能（例えば、独立気泡の割合が十分高い場合）；所与の厚さまたはデュロメーターにおいてより柔軟性がある；低い伸張性及び引裂き抵抗；表面特性を変えることができる（例えば、外皮を有する）；空気／生物物質の不浸透性；経年変化に伴う封止特性の耐久性（例えば、オイル／グリース吸収度）；及び／または表面が呼吸可能で本体が不浸透性の特徴のうち１つまたは複数を提供することができる。
【０２９１】
３．既知のマスクへの適用
当業者には明らかであるように、本発明の１つまたは複数の態様または特性を、使用のために適合し、且つ／或いは既知のマスクの実施形態及び／または構成要素に組み込むことができる。
【０２９２】
３．１  Respironics社のComfortCurve（商標）
図２６−１は、Respironics社によってComfortCurve（商標）という名で市販されている既知のマスク１５００を示し、このマスクの１つまたは複数の部分は、２００５年１１月２４日発行の特許文献５に記載されている。図示のように、マスク１５００は、フレーム１５０２と、フレーム１５０２に取り付けるために提供され使用中に患者の鼻と封止を形成するように適合されたクッション１５０４と、使用中にクッション１５０４を支持するためにフレーム１５０２に提供されたチークパッド１５０６と、フレーム１５０２に提供され患者に呼吸に適した気体を送達するように適合されたインレットチューブ１５０８と、患者の顔面の所望の位置にマスク１５００を維持するためにフレーム１５０２に着脱可能に取り付けられたヘッドギア１５０５とを含む。
【０２９３】
３．１．０  改良形態／代替の構成
以下の実施形態は、呼吸療法を強化するための、Respironics社のComfortCurve（商標）マスクの改良形態及び／または代替の構成を説明する。
【０２９４】
３．１．１  発泡体の封止
ComfortCurve（商標）マスクは、シリコーン材料から構築されたクッションを含む。代替の実施形態では、図２６−２に示すように、クッションは、発泡体材料Ｆから構築された発泡体クッション１５０４Ｆでよい。発泡体材料Ｆは、例えば、粘弾性、被覆しない等、上述の１つまたは複数の発泡体の特性を含むことができる。
【０２９５】
こうした実施形態では、フレーム取付け機構またはクリップ１５０７を、ベース基部として維持することができ、発泡体材料Ｆをクリップ１５０７に取り付けることができる。このような構成により、ComfortCurve（商標）マスクの現行のフレームに発泡体クッションを着脱可能に取り付けることが可能になる。
【０２９６】
一実施形態では、図２６−３に示すように、発泡体クッション１５０４Ｆは、使用中に患者の顔面に対して引っ張られるときに、発泡体材料Ｆが患者の鼻の周りを包み、且つ／または患者の顔面に適合することができるように、フレーム１５０２の側部に沿って（例えば、チークパッド１５０６の位置に）延びることができる。
【０２９７】
一実施形態では、発泡体クッション１５０４Ｆは、複数の層を含むことができ、例えば、高密度の発泡体から構築された第１の層と、患者の顔面と係合するように適合されたよりコンプライアンスの高い発泡体から構築された第２の層を含むことができる。
【０２９８】
他の実施形態では、図２６−４に示すように、ComfortCurve（商標）クッション１５０４は、患者の顔面と係合するように適合された接触面上に、発泡体または布地層ＦＬを備えることができる。発泡体または布地層ＦＬを、例えば、発泡体をフロック加工のようにスプレーで吹き付ける、布地をクッションに接着する等、適切な様式でクッションに提供することができる。発泡体または布地層ＦＬは、快適性、感触、及び／または柔軟性を改善することができ、水分を吸い上げる特性を提供することができる。
【０２９９】
３．１．２  導管ヘッドギア
ComfortCurve（商標）マスクは、患者の顔面上の所望の位置にマスクを維持するために、布地タイプの材料から構築されたヘッドギアを含む。代替の実施形態では、図２６−５に示すように、ヘッドギアを、圧潰可能な導管１５４０と取り替えるかまたはそれと組み合わせることができ、その圧潰可能な導管１５４０は呼吸に適した気体を送達し患者の顔面上でクッションインターフェースを安定させるように適合される。その導管１５４０は、例えば、患者の顔面に調和する部分的または完全に圧潰可能な断面の外形等、上記の１つまたは複数のチューブの特性を含むことができ、導管１５０４は、リジダイザを含むことができる。
【０３００】
３．１．３  チューブの経路設定
他の実施形態では、図２６−６に示すように、インレットチューブ１５０８の経路を、例えば、フレームから下に吊り下がるのではなく患者の頭頂部に向けて上方へ、ヘッドギア１５０５を介して設定することができる。
【０３０１】
こうした実施形態では、安定性を改善するために、ヘッドギアに支持部材を提供することができる。例えば、ワイヤ部材（例えば、マグネシウムワイヤ）を、フレームから患者の頭頂部まで延びるヘッドギアストラップに提供することできる。
【０３０２】
３．１．４  ヘッドギアストラップ上の柔軟な材料
他の実施形態では、図２６−７に示すように、ヘッドギア１５０５の１つまたは複数のストラップは、快適性を向上させるために、例えば、発泡体またはゲルから構築された、比較的柔軟なカバー、ソックス、またはパッド１５０９を含むことができる。
【０３０３】
３．１．５  チークパッドに取り付けられたインレットチューブ
他の実施形態では、図２６−８に示すように、チークパッド１５０６は、膨張可能でよく、インレットチューブ１５０８を、使用中にチークパッド１５０６を膨張させるために、チークパッド１５０６に取り付けるかまたはそうでない場合は連通させることができる。このような構成を、上述の導管ヘッドギアと一緒に使用するように適合することができる。
【０３０４】
また、一実施形態では、チークパッドは、空気がインレットチューブからクッションの空所とチークパッドの両方に流れるように、クッションと流体連絡することができる。
【０３０５】
３．１．６  フレーム／ヘッドギアの内側に沿ったインレット配管
他の実施形態では、インレットチューブは、患者の顔面の外側に沿うのではなく、フレーム及び／またはヘッドギアの内側に沿って（例えば、患者の顔面に隣接して）延びることができる。
【０３０６】
３．１．７  鼻翼及び鼻唇角の収容
他の実施形態では、クッションを、患者の鼻の鼻翼及び鼻唇角を収容するように構成することができる。
【０３０７】
３．１．８  チークパッドの排除
他の実施形態では、チークパッドをなくすことができる。こうした実施形態では、図２６−９に示すように、安定性を改善するために、ヘッドギア１５０５の１つまたは複数のストラップにヨークまたはリジダイザ１５１１を提供することができる。例えば、リジダイザをResMed社のVISTA（商標）及びSWIFT（商標）マスクに提供されるものと同様に構成することができる（例えば、各々参照によりその全体が本明細書に組み込まれている、特許文献６及び特許文献４参照）。
【０３０８】
一実施形態では、リジダイザ１５１１、フレーム１５０２、及びインレットチューブ１５０８に関連する入口ポート１５１４を、一体の１部片構造として形成することができる。
【０３０９】
他の実施形態では、チークパッドをなくすことができ、安定性を改善するためにフレームを延ばすことができる。例えば、図２６−１０に示すように、フレームは、延長した側面部分１５１３を含むことができ、その側面部分１５１３は、患者の頭部の両側に沿って延び、患者のこめかみに向かって先細りになる／薄くなる。側面部分１５１３の各端部は、各ヘッドギアストラップに取り付けるための適切な構造を含むことができる。
【０３１０】
３．２  Respironics社のOptiLife（商標）
図２７−１は、OptiLife（商標）という名でRespironics社によって市販されている他の既知のマスク１６００を示す。図示のように、マスク１６００は、フレーム１６０２と、フレーム１６０２に提供され使用時に患者の鼻腔と封止を形成するように適合された鼻枕１６０４と、フレーム１６０２に提供され患者に呼吸に適した気体を送達するように適合されたインレットチューブ１６０８と、患者の顔面の所望の位置にマスク１６００を維持するためにフレーム１６０２に着脱可能に取り付けられた、顎ストラップ１６０６を含むヘッドギア１６０５とを含む。
【０３１１】
３．２．０  改良形態／代替の構成
以下の実施形態は、呼吸療法を強化するための、Respironics社のOptiLife（商標）マスクの改良形態及び／または代替の構成を説明する。
【０３１２】
３．２．１  発泡体インターフェース
OptiLife（商標）マスクは、鼻枕を含む。代替の実施形態では、図２７−２に示すように、鼻枕の代わりに、発泡体材料Ｆから構築された発泡体インターフェースＦを使用することができる。発泡体インターフェースＦは、例えば、粘弾性、被覆しない等上述の１つまたは複数の発泡体の特性を含むことができる。
【０３１３】
こうした実施形態では、発泡体インターフェースＦは、ベースを有するアダプタを備えることができ、そのアダプタは、発泡体インターフェースＦを支持し、発泡体インターフェースＦをOptiLife（商標）マスクの現行のフレーム１６０２に結合させる。
【０３１４】
３．２．２  発泡体チークパッド
他の実施形態では、図２７−３に示すように、ヘッドギア１６０５の側部ストラップはそれぞれ、快適性及び／または安定性を改善するために、発泡体チークパッド１６０７を含むことができる。
【０３１５】
３．２．３  側部入口ポート
他の実施形態では、図２７−４に示すように、フレーム１６０２は、側部入口ポート１６１４を含むことができ、その側部入口ポート１６１４は、インレットチューブ１６０８それぞれと係合するように適合される。例えば、フレームを、Respironics社のComfortCurve（商標）マスクに提供されているのと同様に構成することができる。
【０３１６】
３．２．４  圧潰可能なインレットチューブ
他の実施形態では、図２７−５に示すように、フレーム１６０２は、１つまたは複数の圧潰可能なチューブの上述の特性を含む、圧潰可能なインレットチューブ１６４０と係合するように適合された側部入口ポート１６１４を含むことができる。
【０３１７】
一実施形態では、圧潰可能なインレットチューブ１６４０の経路を、ヘッドギア１６０５を通るように、例えば、患者の頭頂部に向かって上方に設定することができる。
【０３１８】
３．２．５  リジダイザ
他の実施形態では、図２７−６に示すように、剛性及び／または安定性を改善するために、ヘッドギア１６０５の１つまたは複数のストラップにリジダイザ１６１１を提供することができる。
【０３１９】
３．２．６  隙間を埋める構造
他の実施形態では、マスクは、患者の顔面とマスク／ヘッドギアの間に設けられた隙間または空間を埋めるように適合された（例えば、ヘッドギア、フレーム等に提供される）構造を含むことができる。隙間を埋める構造は、使用時の快適性及び／または安定性を改善することができる。例えば、図２７−７に示すように、マスクは、患者の顔面とマスク／ヘッドギアの間に設けられた隙間または空間Ｓを埋めるための構造を含むことができる。
【０３２０】
３．３  Respironics社のComfortLite（商標）及びComfortLite（商標）２
図２８−１Ａは、Respironics社によってComfortLite（商標）という名で市販されている既知のマスクを示し、図２８−１Ｂは、Respironics社によってComfortLite（商標）２という名で市販されている既知のマスクを示す。図示のように、ComfortLite（商標）及びComfortLite（商標）２マスク１７００はそれぞれ、フレーム１７０２と、フレーム１７０２に提供され使用時に患者の鼻腔と封止を形成するように適合された鼻枕１７０４と、フレーム１７０２に提供され患者に呼吸に適した気体を送達するように適合されたインレットチューブ１７０８と、患者の顔面の所望の位置にマスク１７００を維持するためのヘッドギア１７０５とを含む。
【０３２１】
３．３．０  改良形態／代替の構成
以下の実施形態は、呼吸療法を強化するための、Respironics社のComfortLite（商標）及びComfortLite（商標）２マスクの改良形態及び／または代替の構成を説明する。
【０３２２】
３．３．１  ２本チューブ構成
他の実施形態では、マスクはそれぞれ、患者の鼻の上を患者の頭頂部まで延びる単一のインレットチューブではなく、２本のインレットチューブを含むことができる。例えば、図２８−２Ａ及び図２８−２Ｂに示すように、フレーム１７０２は、患者の頭頂部に向かって経路設定された各インレットチューブ１７０８と係合するように適合された、側部入口ポート１７１４を含むことができる。
【０３２３】
こうした実施形態では、前頭部支持体等のヘッドギアの１つまたは複数の部分をなくすことができる。
【０３２４】
３．４  Fisher & Paykel社のOpus（商標）
図２９−１は、Fisher & Paykel社によってOpus（商標）という名で市販されている他の既知のマスク１８００を示す。図示のように、マスク１８００は、フレーム１８０２と、フレーム１８０２に提供され使用時に患者の鼻腔と封止を形成するように適合された鼻枕１８０４と、フレーム１８０２に提供され患者に呼吸に適した気体を送達するように適合されたインレットチューブ１８０８と連結したエルボー１８０７と、患者の顔面の所望の位置にマスク１８００を維持するために支持構造またはリジダイザ１８０９を含むヘッドギア１８０５とを含む。
【０３２５】
３．４．０  改良形態／代替の構成
以下の実施形態は、呼吸療法を強化するための、Fisher & Paykel社のOpus（商標）マスクの改良形態及び／または代替の構成を説明する。
【０３２６】
３．４．１  クイックリリース
Opus（商標）マスクのフレーム１８０２、鼻枕１８０４、エルボー１８０７は、クリップ機構を介して支持構造１８０９に連結されるサブアセンブリを形成する。代替の実施形態では、サブアセンブリを支持構造に解放可能に連結するために、クイックリリース機構を提供することができる。例えば、サブアセンブリを、磁石機構を介して支持構造に結合することができる。
【０３２７】
他の実施形態では、ヘッドギアを患者の頭部に維持しながらサブアセンブリを取り外すことができるようにして、サブアセンブリを支持構造に結合することができる。
【０３２８】
他の実施形態では、エルボーとフレームの間の接合部を、クイックリリース設計で構成することができ、例えば、エルボーのボールジョイントをフレームに弾性的に取付け／取外しすることができる。こうした機構により、フレーム／鼻枕を患者の頭部のヘッドギアに沿って維持することが可能になる。
【０３２９】
図２９−２に示すように、Opus（商標）マスクのクリップ機構は、フレーム１８０２の底部にクリップ１８１７を含み、そのクリップ１８１７は、支持構造１８０９に提供されたクリップ受け１８１９と係合するように適合されている。代替の実施形態では、図２９−３に示すように、クリップ機構は、例えば、クリップ１８１７をフレーム１８０２の上部に提供した、逆の配置を有することができる。こうした機構は、マスクの正面にわたるより連続した形状を可能にすることができる。
【０３３０】
他の実施形態では、図２９−４に示すように、支持構造の後方から（例えば、図２９−２参照）ではなく、サブアセンブリが支持構造の正面から支持構造１８０９を係合することを可能にするように、クリップ機構を配置することができる。
【０３３１】
他の実施形態では、図２９−５に示すように、支持構造は、環状リング１８２１を提供することができ、その環状リング１８２１は、フレーム１８０２に設けられた、弾性はめ合い部分またはスナップ嵌めコネクタ１８２３と係合するように適合される。そのスナップ嵌め機構は、ResMed社のVISTA（商標）マスクのエルボー連結機構と同様のものでよい（例えば、参照によりその全体が本明細書に組み込まれている特許文献６参照）。
【０３３２】
他の実施形態では、図２９−６に示すように、フレーム１８０２及び支持構造１８０９の一方が、フランジ（例えば、フレーム図２９−６に示すようなフランジＦ）を含むことができ、フレーム１８０２及び支持構造１８０９のもう一方が、フレームを支持構造に保持するためにフランジを受けるように適合された凹所（例えば、図２９−６に示すような支持構造上の凹所Ｒ）を含むことができる。
【０３３３】
３．４．２  調節機構
他の実施形態では、患者の鼻の鼻翼及び鼻唇角を収容するように、鼻枕の調節を可能にするために、フレーム及び／または鼻枕に調節機構を設けることができる。
【０３３４】
３．４．３  摺動可能なエルボー／インレットチューブ
他の実施形態では、エルボー及び／またはチューブを、チューブの引きずりから封止を切り離すために、フレームに対して摺動するように構成することができる。例えば、図２９−７は、フレーム１８０２に対して複数の動作位置、例えば、２箇所以上の動作位置に摺動可能である、摺動可能なエルボー１８０７Ｓを示す。
【０３３５】
３．４．４  低プロフィルのエルボー
他の実施形態では、エルボーの一部分は、プロフィルがより低いエルボーにするために、（円形の断面でなく）断面が実質上長円形でよい。
【０３３６】
３．４．５  チューブの経路設定
他の実施形態では、マスクは、単一のインレットチューブではなく、２本のインレットチューブを含むことができる。例えば、図２９−８に示すように、フレーム１８０２は、側部入口ポート１８１４を含むことができ、その側部入口ポート１８１４は、患者の頭頂部に向かって経路設定された各インレットチューブ１８０８と係合するように適合される。
【０３３７】
こうした実施形態では、ヘッドギアを、なくすかまたはチューブと一体にすることができ、例えば、呼吸に適した気体を送達し鼻枕を患者の顔面上で安定させるように適合された２本のインレットチューブにすることができる。
【０３３８】
また、インレットチューブは、圧潰可能でよく、１つまたは複数の上述の圧潰可能なチューブの特性を含むことができる。
【０３３９】
３．４．６  発泡体の封止
代替の実施形態では、図２９−９に示すように、Opus（商標）マスクのシリコーン鼻枕の代わりに、発泡体Ｆから構築され上述の１つまたは複数の発泡体の特性を含む発泡体インターフェース１８１５を使用することができる。
【０３４０】
一実施形態では、発泡体インターフェースは、発泡体（例えば、網状の発泡体）のブロックでよく、インターフェースの周囲部分は、封止されるかまたは比較的透過性が低く、インターフェースの中央部分は、呼吸可能であり拡散機構として働くように。こうした実施形態では、インターフェースの中央部分は、各鼻孔のための２つの不連続な領域を有することができる。
【０３４１】
他の形状の代替案は、食用の包装の発泡体、繊維性の濾過材、及び発泡体プロングを含む。発泡体プロングは、円筒形の出口孔を有するベル形でよく、任意選択の補強材を、発泡体プロングの１つまたは複数の部分、例えば、内壁、外壁等に設けることができる。
【０３４２】
他の実施形態では、シリコーン鼻枕は、患者の鼻と係合するように適合された接触面上に、発泡体層を備えることができる。その発泡体層は、例えば、マイクロ拡散層をスプレーで吹き付ける（例えば、ＨＣ４０５）等、適切に鼻枕に提供することができる。発泡体層は、快適性、感触、及び／または柔軟性を改善することができ、水分を吸い上げる特性を提供することができる。
【０３４３】
３．５  PuritanBennett社のBreeze（登録商標）、SleepGear（登録商標）、DreamSeal（登録商標）
図３０−１及び図３０−２は、PuritanBennett社によってBreeze（登録商標）、SleepGear（登録商標）、DreamSeal（登録商標）という名で市販されている他の既知のマスク１９００を示す。図示のように、マスク１９００は、フレーム１９０２と、フレーム１９０２に提供され使用時に患者の鼻と封止を形成するように適合されたクッション１９０４と、フレーム１９０２に提供され患者に呼吸に適した気体を送達するように適合されたインレットチューブ１９０８と、患者の顔面の所望の位置にマスク１９００を維持するためにフレーム１９０２に提供されたヘッドサポート１９０５とを含む。
【０３４４】
３．５．０  改良形態／代替の構成
以下の実施形態は、呼吸療法を強化するための、PuritanBennett社のBreeze（登録商標）、SleepGear（登録商標）、DreamSeal（登録商標）マスクの改良形態及び／または代替の構成を説明する。
【０３４５】
３．５．１  発泡体による封止
Breeze（登録商標）、SleepGear（登録商標）、DreamSeal（登録商標）マスクは、シリコーン材料から構築されたクッションを含む。代替の実施形態では、図３０−３に示すように、クッションは、発泡体材料Ｆから構築された発泡体クッション１９０４Ｆでよい。発泡体材料Ｆは、例えば、粘弾性、被覆しない等上述の１つまたは複数の発泡体の特性を含むことができる。
【０３４６】
３．５．２  １部片のチューブ／ヘッドサポート
Breeze（登録商標）、SleepGear（登録商標）、DreamSeal（登録商標）マスクのヘッドサポート１９０５は、金属ばね１９１１を含み、その金属ばね１９１１は、患者の後頭部と係合（例えば、図３０−１参照）するように適合されたクレードル１９１３を支持する。代替の実施形態では、金属ばね１９１１の代わりに、プラスチックの構成要素を使用することができ、その構成要素は、ヘッドサポートの残りの部分と１部片に成型することができる。更に、例えば、部品の数を減らし、組立てを簡単にする等のために、１部片のヘッドサポートを、インレットチューブ１９０８でオーバーモールドすることができる。
【０３４７】
３．５．３  低プロフィル
図３０−２に示すように、Breeze（登録商標）、SleepGear（登録商標）、DreamSeal（登録商標）マスクは、インレットチューブ１９０８と患者の顔面の鼻／前頭部の間に隙間Ｇを含む。代替の実施形態では、インレットチューブ１９０８の外形及び／または経路を変更することによって、隙間Ｇを縮小することができる。例えば、図３０−４に示すように、インレットチューブ１９０８は、患者の頭頂部に向けてより平坦にすることができ（円形の断面１９１９とは逆に、例えば、より長円形の断面１９１７）、患者の目の間を通るときに幅の狭い部分１９２１を提供するような構成（例えば、砂時計の形状）を有することができる。
【０３４８】
３．５．４  ２本チューブ構成
他の実施形態では、マスクは、単一のインレットチューブではなく、２本のインレットチューブを含むことができる。例えば、図３０−５に示すように、フレーム１９０２は、側部入口ポート１９１４を含むことができ、その側部入口ポート１９１４は、患者の頭頂部に向かって経路設定された各インレットチューブ１９０８と係合するように適合される。
【０３４９】
こうした構成では、チューブ１９０８同士を相互連結するために、患者の頭頂部にマニフォールド１９１６を提供することができる。
【０３５０】
３．５．５  カバーまたはソックス
他の実施形態では、フレーム、インレットチューブ、及び／またはヘッドサポートの１つまたは複数の部分は、外観及び／または快適性を改善するためにカバーまたはソックスを含むことができる。
【０３５１】
３．６  InnoMed Technologies社のNasal-Aire（商標）
図３１−１及び図３１−２は、InnoMed Technologies社によってNasal-Aire（商標）という名で市販されている他の既知のマスク２０００を示す。図示のように、マスク２０００は、使用時に患者の鼻に提供される鼻とのインターフェース２００４と、患者に呼吸に適した気体を送達するために鼻とのインターフェース２００４それぞれの側部に提供されたインレットチューブ２００８と、インレットチューブ２００８を相互連結するマニフォールド２００６と、患者の顔面の所望の位置にマスク２０００を維持するヘッドストラップ２００５とを含む。
【０３５２】
３．６．０  改良形態／代替の構成
以下の実施形態は、呼吸療法を強化するための、InnoMed Technologies社のNasal-Aire（商標）マスクの改良形態及び／または代替の構成を説明する。
【０３５３】
３．６．１  圧潰可能なチューブ
Nasal-Aire（商標）マスクのインレットチューブは、実質上圧潰不能であり、且つ／または押しつぶすのに抵抗する。代替の実施形態では、インレットチューブの代わりに、呼吸に適した気体を送達し患者の顔面上に鼻とのインターフェースを安定させるように適合された圧潰可能な導管を使用することができる。圧潰可能な導管は、上述の１つまたは複数の圧潰可能なチューブの特性を含むことができる。例えば、各導管は、リジダイザを備えることができ、且つ／または各導管は、全体的にＤ字形の断面を有することができる。
【０３５４】
３．６．２  バックストラップ
一実施形態では、図３１−３に示すように、マスクは、患者の顔面の所望の位置にマスクを維持するために、全頭用のヘッドストラップではなくバックストラップ２００９を含むことができる。バックストラップ２００９は、上述の１つまたは複数のバックストラップの特性を含むことができる。
【０３５５】
３．６．３  発泡体による封止
Nasal-Aire（商標）マスクは、シリコーン材料から構築された鼻とのインターフェースを含む。代替の実施形態では、図３１−４に示すように、鼻とのインターフェースは、発泡体材料Ｆから構築された、発泡体の鼻とのインターフェース２００４Ｆでよい。発泡体材料Ｆは、例えば、粘弾性、被覆しない等上述の１つまたは複数の発泡体の特性を含むことができる。
【０３５６】
３．６．４  マニフォールド
Nasal-Aire（商標）マスクのマニフォールドは、比較的剛性の、１部片プラスチック構造を含む。代替の実施形態では、マニフォールドは、快適性及び／または外観を改善するために、複数の材料、例えば、剛性の部分及び半剛性の部分から構築することができる。
【０３５７】
他の実施形態では、マニフォールドを、患者の頭部から下方向に吊り下げるのではなく、患者の頭部上に配置することができる。
【０３５８】
本発明の実施形態による好ましいインターフェース構造は、図１４−１に示した特性を有する発泡体を使用する。既知の封止式インターフェースは、全く異なるバルク特性を有し、例えば、典型的なシリコーンは、密度１０５０から１１５０ｋｇ／ｍ３、引裂き強度２０から４０Ｎ／ｍｍ、引張り強度約１０Ｍｐａ、破断伸び６００％、ショアＡ硬度４０、ヒステリシス約５％未満、弾性約４０から５０％、通気性０である。
【０３５９】
現在最も実用的且つ好ましい実施形態と考えられているものに関連して、本発明を説明してきたが、本発明は、開示した実施形態に限定されるべきではなく、逆に、本発明の精神及び範囲内に包含される様々な改変形態及び等価物の構成をカバーするものであることを理解されたい。また、上述の様々な実施形態は、他の実施形態と併せて実施することができ、例えば、一実施形態の態様は、他の実施形態の態様と組み合わせて、更に他の実施形態を実現することができる。更に、所与のアセンブリのそれぞれ独立の特性または構成要素は、追加の実施形態を構成することができる。更に、本発明は、ＯＳＡを患う患者への特定の用途を有するが、他の病気（例えば、鬱血性心不全、糖尿病、病的肥満、脳卒中、肥満手術等）を患う患者が、上記の教示から利益を得ることができることを理解されたい。更に、上記の教示は、医療とは関係のない用途において、患者にも患者ではない人にも同様に適用性を有する。
【符号の説明】
【０３６０】
１０    患者とのインターフェース
２０    インターフェース構造
３０    空気送達システム
４２    チューブ
５０    リジダイザ
６０    バックストラップ
７０    マニフォールド
【図１−１】
2020171825.tif 000003
【図１−２】
2020171825.tif 000004
【図１−３】
2020171825.tif 000005
【図１−４】
2020171825.tif 000006
【図１−５】
2020171825.tif 000007
【図１−６】
2020171825.tif 000008
【図１−７】
2020171825.tif 000009
【図１−８】
2020171825.tif 000010
【図１−９】
2020171825.tif 000011
【図１−１０】
2020171825.tif 000012
【図１−１１】
2020171825.tif 000013
【図１−１２】
2020171825.tif 000014
【図１−１３】
2020171825.tif 000015
【図１−１４】
2020171825.tif 000016
【図１−１５】
2020171825.tif 000017
【図１−１６】
2020171825.tif 000018
【図２−１】
2020171825.tif 000019
【図２−２】
2020171825.tif 000020
【図２−３】
2020171825.tif 000021
【図２−４ａ】
2020171825.tif 000022
【図２−４ｂ】
2020171825.tif 000023
【図３−１】
2020171825.tif 000024
【図３−２ａ】
2020171825.tif 000025
【図３−２ｂ】
2020171825.tif 000026
【図３−３】
2020171825.tif 000027
【図３−４】
2020171825.tif 000028
【図３−４ａ】
2020171825.tif 000029
【図３−４ｂ】
2020171825.tif 000030
【図３−４ｃ】
2020171825.tif 000031
【図３−４ｄ】
2020171825.tif 000032
【図３−４ｅ】
2020171825.tif 000033
【図３−４ｆ】
2020171825.tif 000034
【図３−５ａ】
2020171825.tif 000035
【図３−５ｂ】
2020171825.tif 000036
【図３−５ｃ】
2020171825.tif 000037
【図３−６ａ】
2020171825.tif 000038
【図３−６ｂ】
2020171825.tif 000039
【図４−１】
2020171825.tif 000040
【図４−２】
2020171825.tif 000041
【図４−３】
2020171825.tif 000042
【図４−４】
2020171825.tif 000043
【図４−５】
2020171825.tif 000044
【図４−６】
2020171825.tif 000045
【図４−７】
2020171825.tif 000046
【図４−８】
2020171825.tif 000047
【図４−９】
2020171825.tif 000048
【図５−１】
2020171825.tif 000049
【図５−２】
2020171825.tif 000050
【図５−３】
2020171825.tif 000051
【図６−１】
2020171825.tif 000052
【図６−２】
2020171825.tif 000053
【図６−３】
2020171825.tif 000054
【図６−４】
2020171825.tif 000055
【図６−５】
2020171825.tif 000056
【図７−１】
2020171825.tif 000057
【図７−２】
2020171825.tif 000058
【図８−１】
2020171825.tif 000059
【図８−２】
2020171825.tif 000060
【図８−３】
2020171825.tif 000061
【図８−４】
2020171825.tif 000062
【図８−５】
2020171825.tif 000063
【図８−６】
2020171825.tif 000064
【図８−７】
2020171825.tif 000065
【図９−１】
2020171825.tif 000066
【図９−２】
2020171825.tif 000067
【図９−３】
2020171825.tif 000068
【図１０−１】
2020171825.tif 000069
【図１０−２】
2020171825.tif 000070
【図１０−３】
2020171825.tif 000071
【図１０−４】
2020171825.tif 000072
【図１０−５】
2020171825.tif 000073
【図１０−６】
2020171825.tif 000074
【図１１−１】
2020171825.tif 000075
【図１２−１】
2020171825.tif 000076
【図１２−２】
2020171825.tif 000077
【図１２−３】
2020171825.tif 000078
【図１３−１】
2020171825.tif 000079
【図１３−２】
2020171825.tif 000080
【図１３−３】
2020171825.tif 000081
【図１３−４】
2020171825.tif 000082
【図１３−５】
2020171825.tif 000083
【図１３−６】
2020171825.tif 000084
【図１３−７ａ】
2020171825.tif 000085
【図１３−７ｂ】
2020171825.tif 000086
【図１３−７ｃ】
2020171825.tif 000087
【図１３−８】
2020171825.tif 000088
【図１４−１】
2020171825.tif 000089
【図１４−２】
2020171825.tif 000090
【図１４−３】
2020171825.tif 000091
【図１５−１】
2020171825.tif 000092
【図１５−２】
2020171825.tif 000093
【図１６−１】
2020171825.tif 000094
【図１６−２】
2020171825.tif 000095
【図１６−３】
2020171825.tif 000096
【図１７−１】
2020171825.tif 000097
【図１７−２】
2020171825.tif 000098
【図１７−３Ａ】
2020171825.tif 000099
【図１７−３Ｂ】
2020171825.tif 000100
【図１７−３Ｃ】
2020171825.tif 000101
【図１７−４Ａ】
2020171825.tif 000102
【図１７−４Ｂ】
2020171825.tif 000103
【図１７−４Ｃ】
2020171825.tif 000104
【図１８−１】
2020171825.tif 000105
【図１８−２】
2020171825.tif 000106
【図１８−３】
2020171825.tif 000107
【図１９−１】
2020171825.tif 000108
【図１９−２】
2020171825.tif 000109
【図１９−３】
2020171825.tif 000110
【図２０−１】
2020171825.tif 000111
【図２０−２】
2020171825.tif 000112
【図２０−３】
2020171825.tif 000113
【図２０−４】
2020171825.tif 000114
【図２０−５】
2020171825.tif 000115
【図２０−６】
2020171825.tif 000116
【図２０−７】
2020171825.tif 000117
【図２１−１】
2020171825.tif 000118
【図２１−２】
2020171825.tif 000119
【図２１−３】
2020171825.tif 000120
【図２２−１】
2020171825.tif 000121
【図２３−１】
2020171825.tif 000122
【図２３−２】
2020171825.tif 000123
【図２３−３】
2020171825.tif 000124
【図２４−１】
2020171825.tif 000125
【図２５−１】
2020171825.tif 000126
【図２６−１】
2020171825.tif 000127
【図２６−２】
2020171825.tif 000128
【図２６−３】
2020171825.tif 000129
【図２６−４】
2020171825.tif 000130
【図２６−５】
2020171825.tif 000131
【図２６−６】
2020171825.tif 000132
【図２６−７】
2020171825.tif 000133
【図２６−８】
2020171825.tif 000134
【図２６−９】
2020171825.tif 000135
【図２６−１０】
2020171825.tif 000136
【図２７−１】
2020171825.tif 000137
【図２７−２】
2020171825.tif 000138
【図２７−３】
2020171825.tif 000139
【図２７−４】
2020171825.tif 000140
【図２７−５】
2020171825.tif 000141
【図２７−６】
2020171825.tif 000142
【図２７−７】
2020171825.tif 000143
【図２８−１Ａ】
2020171825.tif 000144
【図２８−１Ｂ】
2020171825.tif 000145
【図２８−２Ａ】
2020171825.tif 000146
【図２８−２Ｂ】
2020171825.tif 000147
【図２９−１】
2020171825.tif 000148
【図２９−２】
2020171825.tif 000149
【図２９−３】
2020171825.tif 000150
【図２９−４】
2020171825.tif 000151
【図２９−５】
2020171825.tif 000152
【図２９−６】
2020171825.tif 000153
【図２９−７】
2020171825.tif 000154
【図２９−８】
2020171825.tif 000155
【図２９−９】
2020171825.tif 000156
【図３０−１】
2020171825.tif 000157
【図３０−２】
2020171825.tif 000158
【図３０−３】
2020171825.tif 000159
【図３０−４】
2020171825.tif 000160
【図３０−５】
2020171825.tif 000161
【図３１−１】
2020171825.tif 000162
【図３１−２】
2020171825.tif 000163
【図３１−３】
2020171825.tif 000164
【図３１−４】
2020171825.tif 000165
【手続補正書】
【提出日】令和2年8月20日(2020.8.20)
【手続補正２】
【補正対象書類名】特許請求の範囲
【補正対象項目名】全文
【補正方法】変更
【補正の内容】
【特許請求の範囲】
【請求項１】
空気供給源から陽圧で患者に空気を供給するための患者とのインターフェースであって、
患者の気道の入口に係合するように構成されたインターフェース構造であって、少なくとも患者の鼻に供給空気を送達するように適合されたインターフェース構造と、
該インターフェース構造に着脱自在に接続可能とされると共に、前記インターフェース構造に供給空気を送達するように適合された２つのインレット導管であって、該インレット導管の各々が、
−  使用時に患者の頭頂部または患者の頭頂部の正面から、患者の目と耳の間を通って患者の顔面の両側に沿って、前記インターフェース構造へと延在するように構成され、
−  使用時に前記インターフェース構造と係合するように構成された底部と、使用時に圧縮空気供給源と流体的に連通している上部と、を備えており、
更に該インレット導管の各々が、
−  （１）該インレット導管が過度の抵抗なしに空気流を可能にする開通フェーズと、（２）前記インレット導管が少なくとも部分的に圧潰されて実質的に空気流を制限または防止する、少なくとも部分的に圧潰したフェーズと、の間を移行することを可能にするように構成された少なくとも１つの部分を含み、
−  供給空気によって加圧されることなく前記開通フェーズを維持するように構成されている、
患者とのインターフェース。
【請求項２】
前記インレット導管の各々が、その長さに沿って変化する横断面を有している、請求項１に記載の患者とのインターフェース。
【請求項３】
前記インレット導管の各々が、その長さに沿って略一定の水力直径を有する断面領域を備えている、請求項１または２に記載の患者とのインターフェース。
【請求項４】
前記インレット導管の各々が、非円形の断面形状を有している、請求項１〜３のいずれか一項に記載の患者とのインターフェース。
【請求項５】
前記インレット導管の各々が、比較的平坦で内側に向いた外側面を備えている、請求項１〜４のいずれか一項に記載の患者とのインターフェース。
【請求項６】
前記インレット導管の各々が、略Ｄ字形の断面を備えている、請求項１〜５のいずれか一項に記載の患者とのインターフェース。
【請求項７】
前記インレット導管の各々が、前記上部では比較的長い幅と比較的短い高さを有しており、前記底部では比較的短い幅と比較的高い高さを有している、請求項１〜６のいずれか一項に記載の患者とのインターフェース。
【請求項８】
前記インレット導管の各々がシリコーン材料から成形されている、請求項１〜７のいずれか一項に記載の患者とのインターフェース。
【請求項９】
前記インレット導管の各々が蛇腹構造を有している、請求項１〜８のいずれか一項に記載の患者とのインターフェース。
【請求項１０】
使用時に患者の頭頂部に位置決めされ、前記空気供給源と陽圧で接続するように適合されたマニフォールドを更に備えている、請求項１〜９のいずれか一項に記載の患者とのインターフェース。
【請求項１１】
前記マニフォールドと前記インレット導管とが、一部片構造として一体に形成されている、請求項１０に記載の患者とのインターフェース。
【請求項１２】
前記インターフェース構造が一対のチューブ部分を備えており、該チューブ部分の各々が、前記インレット導管のうちのそれぞれ１つの底部と係合するように適合されている請求項１〜１１のいずれか一項に記載の患者とのインターフェース。
【請求項１３】
前記インレット導管の各々が前記チューブ部分のそれぞれに取り付けられる際に、前記チューブ部分のそれぞれにわたって、且つ前記インレット導管それぞれの前記底部にわたって目に見える段差が存在しない、請求項１２に記載の患者とのインターフェース。
【請求項１４】
前記インターフェース構造が鼻下とのインターフェースである、請求項１〜１３のいずれか一項に記載の患者とのインターフェース。
【請求項１５】
前記インターフェース構造がシリコーンを含んでいる、請求項１〜１４のいずれか一項に記載の患者とのインターフェース。
【請求項１６】
前記インターフェース構造が少なくとも１つの排気穴を備えている、請求項１〜１５のいずれか一項に記載の患者とのインターフェース。
【請求項１７】
前記インターフェース構造が、患者の鼻孔の両方と界接するように適合された、単一のオリフィスを備えている、請求項１〜１６のいずれか一項に記載の患者とのインターフェース。
【請求項１８】
前記インレット導管に提供され、患者の頭部の後ろと係合するように適合されたバックストラップを更に備えている、請求項１〜１７のいずれか一項に記載の患者とのインターフェース。
【請求項１９】
前記バックストラップは、使用の際に患者の後頭骨上に全体的に配置されるように適合されている、請求項１８に記載の患者とのインターフェース。
【請求項２０】
前記バックストラップが、所定の長さの伸縮性ストラップを備えている、請求項１８または１９に記載の患者とのインターフェース。